(57)【要約】薬剤送達装置は、ブリスター軸の周囲に配置されたブリスターを含んでもよい。投薬チャンバは、前記ブリスターから薬剤を受け取るように構成されてもよく、投薬チャンバはチャンバ軸の周囲に配置されてもよい。トランスデューサが前記投薬チャンバに対面していてもよい。前記トランスデューサは、トランスデューサが作動した際、薬剤をエアロゾル化するように構成されてもよい。前記チャンバ軸は、前記ブリスターが投与位置にあるとき、前記ブリスター軸を横断してもよい。【選択図】図１Ａ
2019529061.tif 000002
【特許請求の範囲】
【請求項１】
ブリスター軸の周囲に配置されたブリスター；
前記ブリスターからドライパウダー薬剤を受け取るために構成された投与チャンバであって、チャンバ軸の周囲に配置された投与チャンバ；
前記投与チャンバと対面しているトランスデューサであって、前記投与チャンバと前記トランスデューサは、音響的に共振性であり、前記投与チャンバは、前記トランスデューサの作動に応答して共振するように構成されている；
前記投与チャンバと流体連通している出口通路であって、出口通路軸の周囲に配置された出口通路；及び
トンネル中央軸の周囲に配置されたトンネルであって、前記トランスデューサが作動したとき、前記ブリスターからのドライパウダー薬剤が、当該トンネルを通じて前記投与チャンバ内に移動できるように、前記投与チャンバ及び前記ブリスターと流体連通しているトンネル；
を含むドライパウダー薬剤送達装置であって、
前記出口通路軸と前記チャンバ軸は、実質的に平行であり、前記チャンバ軸と前記出口通路軸は、前記ブリスター軸を横断し、前記トンネル中央軸は前記ブリスター軸に対して傾斜しており、前記チャンバ軸と前記出口通路軸とを横断する、ドライパウダー薬剤送達装置。
【請求項２】
前記トランスデューサは、トランスデューサ軸の周囲に配置されており、前記チャンバ軸と前記トランスデューサ軸が同軸である、請求項１に記載のドライパウダー薬剤送達装置。
【請求項３】
前記チャンバ軸が対称軸である、請求項１又は２に記載のドライパウダー薬剤送達装置。
【請求項４】
前記ブリスター軸が対称軸である、請求項１〜３のいずれか１項に記載のドライパウダー薬剤送達装置。
【請求項５】
前記トランスデューサ軸が対称軸である、請求項２に記載のドライパウダー薬剤送達装置。
【請求項６】
前記ブリスターは、ブリスター開口を取り囲むリムを有し、ブリスターリムは、前記トランスデューサから距離をあけて配置されており、前記トランスデューサと直接物理的に接触していない、請求項１〜５のいずれか１項に記載のドライパウダー薬剤送達装置。
【請求項７】
前記トンネル中央軸と前記チャンバ軸との角度が、約１００°〜約１４０°である、請求項１〜６のいずれか１項に記載のドライパウダー薬剤送達装置。
【請求項８】
前記装置が、取り外し可能なカートリッジと、ベースとを含み、薬剤の個々の投与量が、前記取り外し可能なカートリッジ内に収容されている、請求項１〜７のいずれか１項に記載のドライパウダー薬剤送達装置。
【請求項９】
請求項１〜８のいずれか１項に記載のドライパウダー薬剤送達装置を使用して、治療的有効量の１種又は複数種の薬剤を投与する方法であって、装置からの連続的な吸入よりなる吸入サイクルを完了させることを含む、方法。
【請求項１０】
呼吸器疾患又は障害、あるいはその症状を治療する方法であって、請求項１〜８のいずれか１項に記載の薬剤送達装置からの連続的な吸入よりなる吸入サイクルを完了させることを含み、前記装置は、吸入サイクルの間に、治療的有効量の１種又は複数種の薬剤を投与する、方法。
【請求項１１】
患者のＦＥＶ1を増加させる方法であって、請求項１〜８のいずれか１項に記載の薬剤送達装置からの連続的な吸入よりなる吸入サイクルを完了させることを含み、前記装置は、吸入サイクルの間に、治療的有効量の１種又は複数種の薬剤を投与する、方法。
【請求項１２】
ＣＯＰＤ又はその症状を治療する方法であって、請求項１〜８のいずれか１項に記載の薬剤送達装置からの連続的な吸入よりなる吸入サイクルを完了させることを含み、前記装置は、吸入サイクルの間に、治療的有効量の１種又は複数種の薬剤を投与し、前記１種又は複数種の薬剤は、ＬＡＭＡ、 ＬＡＢＡ、ＳＡＢＡ、コルチコステロイド、及びそれらの組み合わせからなる群より選択される、方法
【請求項１３】
喘息又はその症状を治療する方法であって、請求項１〜８のいずれか１項に記載の薬剤送達装置からの連続的な吸入よりなる吸入サイクルを完了させることを含み、前記装置は、吸入サイクルの間に、治療的有効量の１種又は複数種の薬剤を投与し、前記１種又は複数種の薬剤は、ＬＡＭＡ、 ＬＡＢＡ、ＳＡＢＡ、コルチコステロイド、及びそれらの組み合わせからなる群より選択される、方法
【請求項１４】
嚢胞性線維症又はその症状を治療する方法であって、請求項１〜８のいずれか１項に記載の薬剤送達装置からの連続的な吸入よりなる吸入サイクルを完了させることを含み、前記装置は、吸入サイクルの間に、治療的有効量の１又は複数の抗生物質を投与する、方法。
【請求項１５】
嚢胞性線維症又はその症状を治療する方法であって、請求項１〜８のいずれか１項に記載の薬剤送達装置からの連続的な吸入よりなる吸入サイクルを完了させることを含み、前記装置は、吸入サイクルの間に、治療的有効量のデオキシリボヌクレアーゼを投与する、方法。
【請求項１６】
突発性肺線維症又はその症状を治療する方法であって、請求項１〜８のいずれか１項に記載の薬剤送達装置からの連続的な吸入よりなる吸入サイクルを完了させることを含み、前記装置は、吸入サイクルの間に、治療的有効量のピルフェニドンを投与する、方法。
【発明の詳細な説明】
【関連出願の相互参照】
【０００１】
この出願は、それぞれ２０１６年１０月１１日に出願された、米国仮出願第６２/４０６，８４４号、第６２/４０６，８４７号、第６２/４０６，８４８号、第６２/４０６，８５４号、第６２/４０６，８５８号、第６２/４０６，８６０号、第６２/４０６，８６５号、第６２/４０６，８６７号、及び第６２/４０６，８７０号に基づく優先権の利益を主張する。各出願は、全体として及び全ての目的のために、参照により、本明細書に包含される。
【技術分野】
【０００２】
本発明は、薬剤を投与する装置に関する。特に、本発明は、粉末形態の薬剤を投与する際に使用する装置に関する。
【背景技術】
【０００３】
気道のある種の疾患及び障害は、治療薬の直接投与による治療に応答することが知られている。これらの薬剤は、ドライパウダー形態で最も容易に入手できるため、それらの利用は、鼻又は口を通じて粉末物質を吸入することによって、最も都合よく達成される。薬剤は、その作用が必要とされる部位に付着するため、この粉末形態は、医薬のより良い利用をもたらす；それゆえ、非常に少量の薬剤が、しばしば、経口又は注射によって投与されるより多い量と同程度に有効であり、結果として、望まない副作用の発生率及び医薬コストの著しい減少をもたらす。あるいは、粉末形態の薬剤は、呼吸器系以外の疾患及び障害の治療のために使用されうる。薬剤が、肺の広い表面積上に付着すると、それは血流へ速やかに吸収され、それゆえ、この適用方法は、注射、錠剤又は他の常法による投与に取って代わる可能性がある。
【０００４】
従来技術のドライパウダー吸入器(ＤＰＩ又はＤＰＩ'ｓ)は、製剤を気流中に導入するための手段を有する。粉末形態の医薬を投与するのに有用な複数の吸入装置が従来技術において知られている。例えば、米国特許第２,５１７,４８２号、第３,５０７,２７７号、第３,５１８,９９２号、第３,６３５,２１９号、第３,７９５,２４４号、第３,８０７,４００号、第３,８３１,６０６号、第３,９４８,２６４号、及び第５,４５８,１３５号は、吸入装置について記載しており、その多くは粉末化された医薬を含むカプセルの頂部に穴をあける又は頂部を取り除くための手段を有する。これらの特許のいくつかは、カプセルの外へ粉末を取り出すのに役立つプロペラ手段を開示している。他のＤＰＩは、米国特許第５,６９４,９２０号、第６,０２６,８０９号、第６,１４２,１４６号、第６,１５２,１３０号、第７,０８０,６４４号及び第７,３１８,４３４号に記載されているもののように、振動エレメントを利用する。
【０００５】
従来技術の装置は、いくつかのデメリットを有する。例えば、それらはしばしば、吸入された気流中に粉末を引き込むために、吸入の際に相当な努力を行うことをユーザーに要求する。このように、それらのパフォーマンスはしばしば、ユーザーが生じさせる流量(流速)に大きく依存する−低い流量は、十分に脱凝縮された粉末をもたらさない可能性があり、これは、微細分散した医薬品を制御された量でコンスタントに吸入するのではなく、むしろ、ユーザーの口内に吸入される粉末の量又は凝集塊のコントロールを不能にする。これは、患者に送達される用量に悪影響を与え、脱凝集プロセスにおける一貫性の欠如に起因した「dose-to-dose」からの薬剤の生物学的利用率における不一致につながる可能性がある。その結果として、十分に高い流量を生じることができない患者、例えば小児、高齢者、及び重度に障害された肺機能(例えば、ＣＯＰＤ)を有する患者は、目的とする送達部位に、減少した用量及び／又は変動する用量を受ける可能性がある。さらに、吸入によるカプセル貫通孔を通じた粉末の吸引は、しばしば、カプセルから粉末の全てあるいはほとんどを引き出さず、それゆえ、医薬の無駄を生じさせる。電気機械系の吸入器を駆動するために必要な多量のエネルギーは、通常、装置のサイズを大きくし、それらを携帯使用に適さないものとする。
【０００６】
ネブライザーは、力強い吸気を要求しない様式で、呼吸器系に医薬を送達する別のメカニズムを提供する。しかしながら、現在の噴霧システムは、比較的遅い薬剤送達による制限を受ける：例えば、いくつかのシステムは少なくとも１０〜２０分の時間を要求する。それは、特に、一日あたり定期的に複数回ネブライザーを使用する患者にとっては望ましくない。また、いくつかある欠点の中でも特に、ネブライザーは一般的に携帯性を欠き、セットアップが面倒であり、クリーニングとメンテナンスにかなりの金額が必要である。
【０００７】
吸入された医薬の効率的な送達が、肺送達治療法の成功のために望ましい。ＤＰＩからの肺送達における最も望ましいファクターの一つは、高品質エアロゾル(エアロゾルの空気力学的粒径の観点から)、及び生体内での所望の肺沈着を一貫して達成するポテンシャルである。現在の装置では、吸気と装置を調和させながら、患者が力強く吸入する必要があることによって、及び、患者の身体的制約によって、吸入医薬の最適な送達が妨害される。粉末を脱凝集する手段を備えた装置が、一貫した用量の送達又は粒径分布を提供することは、これまで示されていなかった。これらの問題は、よりシンプルで、携帯でき、より使いやすい装置であって、力強い吸気との連携を必要とせず、短時間の投与を提供し、且つ、装置の寿命を通じて送達量の一貫した粒度分布を確保する様式にて、製剤を脱凝集する装置に対する、満たされていない大きなニーズを強調する。
【発明の概要】
【課題を解決するための手段】
【０００８】
ある実施形態では、薬剤送達装置は、ブリスター軸の周囲に配置されたブリスター；前記ブリスターからドライパウダー薬剤を受け取るために構成された投与チャンバであって、チャンバ軸の周囲に配置された投与チャンバ、前記投与チャンバと対面している(向い合う)トランスデューサ、ここで、前記投与チャンバと前記トランスデューサは、音響的に共振性であり、前記投与チャンバが、トランスデューサの作動(活性化)に応答して共振するように構成されている；前記投与チャンバと流体連通している出口通路であって、出口通路軸の周囲に配置されている出口通路；及び、トンネル中央軸の周囲に配置されているトンネルであって、前記トランスデューサが作動した際、前記ブリスターからのドライパウダー薬剤が、当該トンネルを通じて前記投与チャンバ内に移動できるように、投与チャンバ及びブリスターと流体連通しているトンネル、とを有する。好ましくは、出口通路軸とチャンバ軸は、実質的に平行であり、チャンバ軸と出口通路軸は、ブリスター軸を横断し(横切り)、トンネル中央軸はブリスター軸に対して傾斜しており、チャンバ軸と出口通路軸を横断する。
【０００９】
トランスデューサは、トランスデューサ軸の周囲に配置されてもよく、チャンバ軸とトランスデューサ軸は、同軸であってもよい。チャンバ軸は、対称軸であってもよい。ブリスター軸は対称軸であってもよい。トランスデューサ軸は対称軸であってもよい。ブリスターは、ブリスター開口を取り囲むリムを有していてもよく、ブリスターリムは、トランスデューサから距離をあけて配置されてもよく、トランスデューサと直接物理的に接触していなくてもよい。トンネル中央軸とチャンバ軸との角度は、約１００°〜約１４０°とすることができる。装置は、取り外し可能なカートリッジとベースを有していてもよく、薬剤の個々の用量は、取り外し可能なカートリッジ内に収容されていてもよい。
【００１０】
治療的有効量の１種又は複数種の薬剤を投与するために、前記ドライパウダー薬剤送達装置を使用する方法は、装置からの連続的な吸入よりなる吸入サイクルを完了することを含んでもよい。呼吸器疾患又は障害、あるいはそれらの症状を治療する方法は、薬剤送達装置からの連続的な吸入よりなる吸入サイクルを完了することを含んでもよく、ここで前記装置は、吸入サイクルの間に治療的有効量の１種又は複数種の薬剤を投与する。患者におけるＦＥＶ1を増加させる方法は、薬剤送達装置からの連続的な吸入よりなる吸入サイクルを完了することを含んでもよく、ここで前記装置は、吸入サイクルの間に治療的有効量の１種又は複数種の薬剤を投与する。ＣＯＰＤあるいはその症状を治療する方法は、薬剤送達装置からの連続的な吸入よりなる吸入サイクルを完了することを含んでもよく、ここで前記装置は、吸入サイクルの間に治療的有効量の１種又は複数種の薬剤を投与し、前記１種又は複数種の薬剤は、ＬＡＭＡ、ＬＡＢＡ、ＳＡＢＡ、コルチコステロイド、及びそれらの組み合わせからなる群より選択されてもよい。喘息あるいはその症状を治療する方法は、薬剤送達装置からの連続的な吸入よりなる吸入サイクルを完了することを含んでもよく、ここで前記装置は、吸入サイクルの間に治療的有効量の１種又は複数種の薬剤を投与し、前記１種又は複数種の薬剤は、ＬＡＭＡ、ＬＡＢＡ、ＳＡＢＡ、コルチコステロイド、及びそれらの組み合わせからなる群より選択されてもよい。
【００１１】
嚢胞性線維症あるいはその症状を治療する方法は、薬剤送達装置からの連続的な吸入よりなる吸入サイクルを完了することを含んでもよく、ここで前記装置は、吸入サイクルの間に治療的有効量の１又は複数の抗生物質を投与する。嚢胞性線維症あるいはその症状を治療する方法は、薬剤送達装置からの連続的な吸入よりなる吸入サイクルを完了することを含んでもよく、ここで前記装置は、吸入サイクルの間に治療的有効量のデオキシリボヌクレアーゼ(DNase)を投与する。突発性肺線維症あるいはその症状を治療する方法は、薬剤送達装置からの連続的な吸入よりなる吸入サイクルを完了することを含んでもよく、ここで前記装置は、吸入サイクルの間に治療的有効量のピルフェニドンを投与する。
【図面の簡単な説明】
【００１２】
前述の説明、及び、以下に示す装置の実施形態及び使用方法の詳細な説明は、例示的な実施形態を示す添付の図面と併せて読むとよりよく理解される。しかしながら、本発明は、そこに示される正確な配置及び手段に限定されないことが理解されるべきである。当然のことながら、図面は、単に本発明による装置について考えられる実施形態の模式的な図を示し、例えば、図示された装置の形状は、本発明にとって不可欠ではなく、別の装置の実施形態は、図面に示される外観とは外見的に異なっていてもよい。
【００１３】
［図１Ａ］図１Ａは、本発明の一実施形態による吸入器を図示する。
【００１４】
［図１Ｂ］図１Ｂは、本発明の一実施形態によるブリスター及びコグ(cog)を図示する。
【００１５】
［図１Ｃ］図１Ｃは、本発明の一実施形態によるブリスター及びコグを図示する。
【００１６】
［図１Ｄ］図１Ｄは、ブリスターストリップを図示し、図１Ｃのブリスターとオフセットコグを含む。
【００１７】
［図１Ｅ］図１Ｅは、図１Ｃのオフセットコグ(単独)の上面斜視図を図示する。
【００１８】
［図１Ｆ］図１Ｆは、図１Ｂのインボリュートコグの断面図を図示する。
【００１９】
［図１Ｇ］図１Ｇは、線１−１で示される平面に沿った図１Ａの吸入器の断面図を図示する。
【００２０】
［図１Ｈ］図１Ｈは、図１Ｇの部分拡大図を図示する。
【００２１】
［図１Ｉ］図１Ｈは、図１Ｂのインボリュートコグを含む本発明の一実施形態によるブリスターストリップ進行(前進)機構を図示する。
【００２２】
［図２Ａ］図２Ａは、内部構成部品を示すためにカバーを外した、図１Ａの吸入器の前方部の正面図を図示する。
【００２３】
［図２Ｂ］図２Ｂは、図２Ａの吸入器の前方部の正面図を図示し、本発明の一実施形態によるブリスターストリップを含む。
【００２４】
［図２Ｃ］図２Ｃは、前進位置にブリスターストリップを有する、図２Ａの吸入器の前方部の正面図を図示する。
【００２５】
［図３Ａ］図３Ａは、本発明の一実施形態による戻止め(detent)クラッチの正面図を図示する。
【００２６】
［図３Ｂ］図３Ｂは、図３Ａの戻止めクラッチの分解斜視図を図示する。
【００２７】
［図４Ａ・４Ｂ］図４Ａ・４Ｂは、本発明の一実施形態による駆動列(drive train)の一例を図示する。
【００２８】
［図５Ａ］図５Ａは、本発明の一実施形態による吸入器の前方部の分解組立図を図示する。
【００２９】
［図５Ｂ］図５Ｂは、図５Ａの前方部を含む本発明の一実施形態による吸入器の後方の分解組立図を図示する。
【００３０】
［図５Ｃ］図５Ｃは、図５Ｂの吸入器の上面分解組立図を図示する。
【００３１】
［図５Ｄ］図５Ｄは、図５Ｂの吸入器の正面斜視図を図示する。
【００３２】
［図６］図６は、本発明の一実施形態による戻止めの配置の一例を図示する。
【００３３】
［図７Ａ］図７Ａは、本発明の一実施形態による吸入器におけるブリスターストリップ進行機構を図示する。
【００３４】
［図７Ｂ］図７Ｂは、図７Ａのブリスターストリップ進行機構を含む吸入器を図示する。
【００３５】
［図８］図８は、例示的なセンサと制御ロジックを伴う、気流パターンの一例を図示する。
【００３６】
［図９］図９は、方法の一例のフローチャートである。
【００３７】
［図１０］図１０は、駆動手段からハブを一時的に解放する別の例示的な手段を図示する。
【００３８】
［図１１］図１１は、線１−１で示される平面に沿った、図１の吸入器の側断面図である。
【００３９】
［図１２］図１２は、本発明の例示的な実施形態によるハウジングの正面図である。
【００４０】
［図１３］図１３は、図１２のハウジングの側面図である。
【００４１】
［図１４］図１４は、本発明の一実施形態による膜の正面図である。
【００４２】
［図１５］図１５は、図１４の膜の側面図である。
【００４３】
［図１６］図１６は、図１４の膜に連結される図１２のハウジングの後面斜視図である。
【００４４】
［図１７］図１７は、図１の吸入器の前方部の単独背面図である。
【００４５】
［図１８］図１８は、図１７の線１８−１８で示される平面に沿った、図１の吸入器の前方部の断面図である。
【００４６】
［図１９］図１９は、図１７の前方部の上面斜視図である。
【００４７】
［図２０］図２０は、カバーを外した図１９の前方部の上面斜視図である。
【００４８】
［図２１］図２１は、カバーを外した図１７の前方部の背面図である。
【００４９】
［図２２］図２２は、図１７の線２２−２２で示される平面に沿った、前方部の上面斜視図である。
【００５０】
［図２３］図２３は、図１７の線２３−２３で示される平面に沿った、前方部の上面斜視図である。
【００５１】
［図２４］図２４は、図１の吸入器の前方部の単独正面図である。
【００５２】
［図２５］図２５は、本発明の一実施によるトランスデューサとホルダーの分解組立図である。
【００５３】
［図２６］図２６は、組み立てられた図２５のトランスデューサとホルダーの底面斜視図である。
【００５４】
［図２７］図２７は、組み立てられた図２５のトランスデューサとホルダーの側面斜視図である。
【００５５】
［図２８］図２８は、図１の吸入器の背面カバーの単独斜視図である。
【００５６】
［図２９］図２９は、図２８の背面カバー、及び、図２５のトランスデューサとホルダーを含む、図１の吸入器の部分的に組立てられた後方部の側面斜視図である。
【００５７】
［図３０］図３０は、図１の吸入器の後方部の側面図である。
【００５８】
［図３１］図３１は、図３０の後方部の正面図である。
【００５９】
［図３２］図３２は、図１１の部分拡大図である。
【００６０】
［図３３］図３３は、呼吸サイクルとの関連におけるパルス期間を示すグラフである。
【００６１】
［図３４］図３４は、本発明の一実施形態に係る図１の吸入器の動作を描写するフローチャートである。
【００６２】
［図３５］図３５は、本発明の一実施形態による吸入器特性観測装置の概略図を示す。
【００６３】
［図３６Ａ・Ｂ・Ｃ］図３６Ａ、３６Ｂ、３６Ｃはそれぞれ、トランスデューサ面に配置されるスペーサーの一実施形態を図示する。
【００６４】
［図３７］図３７は、気流導管の一実施形態を図示する。
【００６５】
［図３８Ａ・Ｂ］図３８Ａと３８Ｂは、ブリスターストリップの実施形態を図示する。
【００６６】
［図３８Ｃ］図３８Ｃは、ブリスターストリップ蓋シート及びベースシートの一実施形態の概略図である。
【００６７】
［図３９］図３９は、本発明の一実施形態による流れ抵抗測定システムの概略図である。
【００６８】
［図４０］図４０は、ノード(Ｎ：nodes)とアンチノード(Ａ：anti-nodes)を有する投与チャンバの一実施形態を図示する。
【００６９】
［図４１Ａ］図４１Ａは、頂部を有する投与チャンバの一実施形態を図示する。
【００７０】
［図４１Ｂ］図４１Ｂは、頂部を有さない投与チャンバの一実施形態を図示する。
【００７１】
［図４２］図４２は、内のり高さがＸである投与チャンバの一実施形態を図示する。
【００７２】
［図４３］図４３Ａは、図４３Ｂに示す投与チャンバの実施形態と比べて内のり高さが短い投与チャンバの一実施形態を図示する。
【００７３】
［図４４］図４４は、吸入器の駆動スキームが異なる実施形態について、圧電バーストごとに送達される用量(ｍｃｇ)を示すグラフである。
【００７４】
［図４５Ａ］図４５Ａは、実施例６に記載した実施形態による、１５ＬＰＭ, ３０ＬＰＭ, ６０ＬＰＭ,及び９０ＬＰＭの流量での、ホルモテロールフマル酸塩二水和物の送達量を示すグラフである。
【００７５】
［図４５Ｂ］図４５Ｂは、実施例６に記載した実施形態による、１５ＬＰＭ, ３０ＬＰＭ, ６０ＬＰＭ,及び９０ＬＰＭの流量で送達された、ホルモテロールフマル酸塩二水和物の粒子サイズを示すグラフである。
【００７６】
［図４５Ｃ］図４５Ｃは、実施例６に記載した実施形態による、１５ＬＰＭ, ３０ＬＰＭ, ６０ＬＰＭ,及び９０ＬＰＭの流量で送達された、ホルモテロールフマル酸塩二水和物の送達量、微粒子量及びＭＭＡＤを示すグラフである。
【００７７】
［図４６Ａ］図４６Ａは、実施例９に記載した実施形態による、異なる厚みのポリカーボネート(ＰＣ)膜に対するシンセティックジェット(合成ジェット)性能のグラフである。
【００７８】
［図４６Ｂ］図４６Ｂは、実施例９に記載した実施形態による、５０μｍ厚のＰＣ膜と２３μｍ厚のMylar(登録商標)813膜を取り付けた投与チャンバの送達量パフォーマンスのグラフである。
【００７９】
［図４７］図４７は、実施例１０に記載した、フェーズ１ｂのホルモテロールフマル酸塩の臨床研究に関する、処置によるベースラインＦＥＶ1(ｍＬ)からの平均変化と、投与後１２時間までの時点を示すグラフである。
【００８０】
［図４８］図４８は、実施例１０に記載した、フェーズ１ｂのホルモテロールフマル酸塩の臨床研究に関する、２４時間にわたる、処置によるホルモテロール血漿中濃度の算術平均-対-時間プロファイルを示すグラフである。
【００８１】
［図４９］図４９は、実施例１０に記載した、フェーズ１ｂのホルモテロールフマル酸塩の臨床研究に関する、最初の４日間にわたる、処置によるホルモテロール血漿中濃度の算術平均-対-時間プロファイルを示すグラフである。
【発明を実施するための形態】
【００８２】
本発明は、被験者(患者)による吸入によって、薬剤をドライパウダーとして投与するための装置に関する。装置のいくつかの実施形態は、ドライパウダー吸入器(ＤＰＩ)に分類されてもよい。装置のいくつかの実施形態は、ドライパウダーネブライザー(液体ネブライザーではなく)に分類されてもよい(特に、周期的な呼吸(例えば、周期的な吸入)が、多重吸入によるドライパウダー薬剤の送達に使用される場合に)。前記装置は、本明細書中で互換的に「薬剤送達装置」又は「吸入器」と称されることがあり、そのどちらも、被験者による吸入で(好ましくは多重吸入により、最も好ましくは周期的な吸入が用いられる)、薬剤をドライパウダーとして投与するための装置を意味する。「周期的な呼吸」とは、好ましくは、安静時の通常の呼吸(力強い呼吸ではなく)の間の吸気と呼気を指す。同様に、「周期的な吸入(吸息)」は、ユーザー側の特別な努力(例えば、高い吸気流での力強い吸入、あるいはゆっくりとした、深い吸入)を要求する吸入ではなく、安静時の通常の吸入を指す。別の言い方をすれば、特別な努力を必要とする吸入には、安静時の通常の吸入と比べて、よりゆっくりの、より深い、より速い、又はより強い吸入が含まれ、他方、周期的な吸入は、特別な努力を必要としない、安静時の通常の吸入を意味する。
【００８３】
本明細書で使用される、治療的有効量という用語は、ある被験者に投与された際、被験者における疾患、障害、又は症状(単数又は複数)を、抑制する、軽減する、又は治癒することによって、あるいは疾患、障害、又は症状(単数又は複数)の発症を予防的に抑制する、防止する、又は遅らせることによって、治療効果を達成する量を指すことができる。治療的有効量は、被験者における疾患又は障害の１以上の症状をある程度緩和する量；及び／又は、疾患又は障害に関連するあるいは疾患又は障害の原因となる１以上の生理的又は生化学的パラメータを部分的に又は完全に正常に戻す量；及び／又は、疾患、障害、又は症状(単数又は複数)が発症する可能性を減らす量であってもよい。
【００８４】
薬剤、医薬品、活性薬剤、医薬品有効成分、ＡＰＩ、薬剤、医薬、活性剤という用語は、本明細書で、薬剤組成物中の医薬的に有効な化合物(単数又は複数)を指すために互換的に使用される。薬剤組成物中の他の成分(例えばキャリア又は賦形剤など)、は実質的に又は完全に薬学的に不活性である。薬剤組成物(本明細書中で、組成物、製剤、薬剤製剤、医薬組成物、医薬製剤、又はＡＰＩ製剤とも称される)は、１又は複数のキャリア及び／又は１又は複数の賦形剤と併用して、薬剤を含んでもよい。本発明による適切な薬剤の例には、呼吸器系の疾患又は障害を治療するものが含まれる。呼吸器系の疾患及び障害の非限定的な例には、慢性閉塞性肺疾患(ＣＯＰＤ)(慢性気管支炎及び／又は肺気腫を含む)、喘息、気管支炎、嚢胞性線維症、突発性肺線維症、及び肺炎などの胸部感染症が含まれる。
【００８５】
本明細書で使用される「薬学的に許容される」という用語は、規制機関(例えば、欧州又は米国の連邦又は州政府)によって許可されていること、又は、米国薬局方あるいは動物における(特にヒトにおける)使用のために一般的に認識されている他の薬局方に記載されていることを意味する。
【００８６】
ユーザー、被験者及び患者という用語は、本明細書で互換的に使用され、哺乳類の個体、特に人間を指してもよい。
【００８７】
マイクロメーター、ミクロン及びμｍという用語は、互換的に使用されてもよい。マイクログラム、ｍｃｇ及びμｇという用語は、互換的に使用されてもよい。
【００８８】
本明細書で使用される、呼吸器疾患及び呼吸器障害と言う用語はそれぞれ、肺疾患及び肺障害と互換的に使用されてもよい。
【００８９】
本明細書で使用される各化合物は、その化学式、化学名、略称などに関して互換的に論じられてもよい。例えば、臭化グリコピロニウムは、グリコピロレートと互換的に使用されてもよい。
【００９０】
本発明の薬剤送達装置(本明細書中で吸入器とも称される)の実施形態は、幅広い範囲の呼吸パターン及び流量にわたって、ドライパウダー薬剤の投与量(一用量)を、一貫した粒度分布を有する一貫した量にて送達することが可能である。例えば、吸入器の実施形態は、医薬の送達をトリガー(誘発)するために、通常の呼吸パターン(例えば、周期的な呼吸あるいは周期的な吸入)を使用する患者に、一貫した用量を送達することができ、力強い吸気は必要とされない。好ましい実施形態によれば、本発明の薬剤送達装置は、幅広い範囲の流量にわたって、実質的に均一な投与量と粒度分布を送達する。また好ましくは、前記装置は、従来の吸入器及びネブライザーと比べて、より少ない用量の薬剤から、有効量の薬剤を送達する。言い換えると、前記装置のエアロゾルエンジンは、均一な投与量送達と粒度分布を、効率的及び正確に達成する。
【００９１】
好ましい実施形態によれば、前記吸入器は吸入(吸息)を検出し、検出した吸入に応答して薬剤を投与し、それによって、エアロゾル化された薬剤が、気流導管中に放出され、被験者の吸入空気中に取り込まれる。以下により詳細に説明するように、これは好ましくは、物質をエアロゾル化し、気流導管中に放出するための振動手段(又は振動エレメント)の使用を通じて達成され、ここで、前記振動エレメントは好ましくは、シンセティックジェット(合成ジェット)を経て、薬剤をエアロゾル化する機械的振動と音響的振動を生み出す。
【００９２】
ある実施形態によれば、ユーザーは、装置のマウスピースを通じて、好ましくは周期的な吸入により、吸入を行い、投与量は、複数の連続的な吸入を通じて送達される。それゆえ、図１Ａ−１Ｉに図示されているある実施形態では、吸入器１００は、１つのブリスター１３０から完全な医薬投与量をユーザーに送達するために、トランスデューサ１５０を２回以上作動させるように構成されている。ユーザーが、マウスピースを通じて吸引すると、空気が装置の吸気口の中に吸引され、装置の気流導管を通じて、マウスピースからユーザーの肺の中に吸引される。空気が気流導管を通じて吸引される間に、ドライパウダー薬剤が、気流通路の中に放出され、ユーザーの吸入空気中に取り込まれる。このように、気流導管は、好ましくは、吸気口から排気口(すなわち、マウスピースによって形成される開口部)への空気流路を決める。各呼吸サイクルは、吸気(吸入)と呼気を含み、各吸気の後に、呼気が続き、それゆえ連続的な吸入は、好ましくは連続的な呼吸サイクルにおける複数の吸気を指す。各吸入の後、ユーザーは、吸入器のマウスピースの中に息を吐き戻してもよく、あるいは吸入器の外側に息を吐いてもよい(例えば、彼又は彼女の口をマウスピースから離し、吸入空気をそのそばで吐き出すことによって)。好ましくは、ユーザーは吸入器の外に息を吐く。
【００９３】
ある実施形態によれば、本発明の吸入器は、あらかじめ計量された投与量(既定用量)の、少なくとも１つの薬剤を含むドライパウダー薬剤組成物を複数含み、ここで、前記複数の既定用量の個々の投与量は、ブリスターなどの容器内にある。本明細書で使用されるブリスターは、好ましくはドライパウダー薬剤の投与量(一用量)を含むのに適した容器である。好ましくは、複数のブリスターは、ストリップ上のポケットに配列される(すなわち、プリスターストリップ)。ブリスターストリップのポケット内に含まれる薬剤用量へのアクセスは、関連するポケットを裂く、孔を開ける、又は剥がすことを含む任意の適切なアクセス手段による。好ましい実施形態によれば、個々のブリスターは剥離可能なブリスターストリップ上に配置されており、ブリスターストリップは、ベースシートと蓋シートを含み、ベースシート中でブリスターは、個々の薬剤用量を含むために、その中でポケットを形成しており、蓋シートは、蓋シートとベースシートが剥離できるような方法で、ベースシートにシールされている；それゆえ、それぞれのベースと蓋シートは、互いから剥離により分離することができ、各ブリスターの内側に収容されている投与量を放出することができる。ブリスターは、好ましくは、間隔を空けて配置されており、より好ましくは、各投与量が独立して利用できるように、ストリップ上に進行方向に沿って配置されている(例えば、連続的に)。ブリスターストリップとその投与量進行機構は、本発明の全ての実施形態で要求されるわけではなく、ドライパウダー薬剤の１又は複数の用量は、エアロゾル化され、ユーザーに放出される前に、装置内の別のタイプの容器又は区画に含まれていてもよい。
【００９４】
例示的な実施形態によれば、吸入器は、吸入センサ(本明細書において、流量センサ又は呼吸センサとも称される)を含み、このセンサは、患者が装置を通じて吸引を行うのを検知する；例えば、吸入センサは、圧力センサ、空気流速センサ又は温度センサであってもよい。それゆえ、ある実施形態によれば、トランスデューサ１５０は、センサ１２７８(図１Ｉ)がユーザーによる吸入を検知するたびに作動し、ユーザーによる複数の吸入を経て投与量を送達する。ユーザーの吸入開始時のトランスデューサ１５０の作動時間(活性化時間)が比較的短かいこと、及び複数の吸入にわたる送達により、ユーザーは、彼らの自然で周期的な呼吸パターンを用いて、医薬投与量を受け取ることが可能になる(図３３に示す最も良い例のように)。
【００９５】
好ましくは、呼吸センサは圧力センサである。本発明の実施形態によって使用されうる圧力センサの非限定的な例には、ＷＯ ２０１６/０３３４１８(参照により本明細書に包含される)に記載されているような、マイクロエレクトロメカニカルシステム(ＭＥＭＳ)圧力センサ又はナノエレクトロメカニカルシステム(ＮＥＭＳ)圧力センサが含まれる。モータをトリガーして投与量を推進するために、吸入センサは、ユーザーがマウスピースを通じて吸入を行うのを検知できるよう、気流導管の中又はその近くに配置されてもよい。好ましい実施形態によれば、吸入器は、気流導管(それを通じてユーザーが吸入を行うことができる)に通気連結(空気的に連結)された圧力センサ；前記センサから受け取ったデータを処理し、気流導管を通じて息の吸入が進行中であること(又は呼気が発生していること)を決定するように構成されたプロセッサ；前記決定に応答して、投与開始シグナルを発するように構成されたコントローラ；及び、前記投与開始シグナルの受信に応答して、吸入の間に、ドライパウダー薬剤を気流導管内に放出するように構成されたエアロゾルエンジンを含む。エアロゾルエンジンとは、好ましくは、粉末製剤をエアロゾル化して、それが容器から移動して被験者の吸入空気流中に取り込まれるようにするアセンブリを指す。エアロゾル化は好ましくは、容器の内側の粉末の塊を、空気中に運ばれるべく十分に脱凝集(すなわち、十分に小さく且つ軽く)された粒子に変換することを含む。
【００９６】
ある実施形態によれば、装置は、吸入サイクルの投薬呼吸の間に(好ましくは、複数の投薬呼吸の間に)、ドライパウダー薬剤を投与するように構成される。ある実施形態では、各投薬呼吸の間、患者が装置を通じて吸入を行い、吸入センサが吸入を検出すると、エアロゾルエンジンがトリガーされ、薬剤容器(例えば、ブリスター)内の薬剤をエアロゾル化し、患者の吸入空気中に取り込ませることによって、患者にドライパウダー薬剤を送達する。好ましくは、エアロゾルエンジンは活性化により振動する振動エレメントを含む。以下により詳細に記載するように、例示的な実施形態によれば、エアロゾルエンジンは、投与チャンバと向き合うトランスデューサ(例えば、圧電トランスデューサ)等の振動手段を有する。いくつかの実施形態では、吸入センサは、活性化事象が発生した後のみ、投薬呼吸の検出を伝えるように構成されている。この活性化事象は、選ばれた呼吸数(例えば、１，２，３，４あるいは５つの予備呼吸)、定量の呼吸(例えば、空気の総容積又は質量が呼吸される)又は、選ばれた閾値に達することを含んでもよい。吸入器の稼働の実施形態は、図３４に図示され、図中の「吸入事象」は投薬呼吸である。
【００９７】
例示的な実施形態によれば、吸入センサが投薬呼吸を検出すると、電気信号が、電気信号を機械的振動と音響エネルギーに変換する振動エレメントに供給される。振動エレメントは、好ましくはトランスデューサであり、より好ましくは圧電トランスデューサあるいは「ピエゾ(piezo)」である。トランスデューサが振動のために作動されると、振動とその結果得られた音波が、容器中のドライパウダー薬剤をエアロゾル化させ、患者の吸入空気中に取込み可能にする。ある実施形態によれば、トランスデューサが活性化すると、ドライパウダー薬剤投与量の少なくとも一部がエアロゾル化し、ブリスターから投与チャンバ内に移動する。トランスデューサの同一の活性化又はそれに続く活性化に応答して、機械的振動及び／又は音波が、投与チャンバ内の薬剤の少なくとも１部を、投与チャンバの１又は複数の開口から、気流導管内に排出させ、患者の吸息中に取り込ませる。ある実施形態によれば、トランスデューサが作動されると、ドライパウダー薬剤の少なくとも１部が、ブリスターから投与チャンバ内に移動し、トランスデューサの同一の活性化又はそれに続く活性化が、薬剤の少なくとも１部を投与チャンバから気流導管内に移行させ、患者の吸息中に取り込ませる。好ましくは、トランスデューサは、吸入サイクル中の検知された投薬呼吸それぞれによってトリガーされ、ドライパウダー薬剤投与量の少なくとも１部を投与し、それによって、投与量が複数の投薬呼吸の間に投与される。
【００９８】
好ましい実施形態によれば、吸入器を使用する方法は、吸入器から(例えば、吸入器のマウスピースから)、連続的な吸入よりなる吸入サイクルを完了させることを含む。本明細書において、吸入サイクルは、好ましくは、薬剤の投与量を受け取るための、吸入器を通じたユーザーの連続的な吸入を指す。連続的な吸入は、ドライパウダー薬剤の投与量が、吸入器によって投与される間の、一連の吸入を指し、被験者が一連の各吸入ごとに吸入器を通じて吸引を行う場合、あるいは被験者が一連の間に、薬剤を含まない空気を定期的に吸引する場合を含む。好ましくは被験者は、一連の間に、各吸入ごとに吸入器を通じて吸引する。連続的な吸入は、薬剤送達をトリガーしない呼吸(検証呼吸及び投与量進行呼吸など)に加えて、薬剤送達をトリガーする投薬呼吸を含んでもよい。
【００９９】
本発明の実施形態の吸入器は、以下に記載するように、複数の可能性のある投与スキーム(すなわち、吸入サイクルのバリエーション)に従って、薬剤の一用量(投与量)を投与することが可能である。投与スキームは、吸入サイクル中の連続的な吸入の数、吸入サイクル中の投薬呼吸の数、吸入サイクル中のトランスデューサ作動時の回数(好ましくは、吸入サイクル中の投薬呼吸の数と等しい)、吸入サイクルの間にトランスデューサが作動されたオンタイムの総量、各投薬呼吸に応答してトランスデューサが作動された時間の量、によって異なってもよい。吸入器(例えば、コントローラ)は、本明細書に記載されるように、異なる駆動スキームによりプログラムされてもよい；例えば、コントローラは、２〜２０の周期的な吸入の間に、５秒以下の総オンタイムの間、トランスデューサを作動させるために構成(プログラム)されてもよく、及び／又はコントローラは、投薬呼吸の間に、約５０〜１０００ミリ秒(ｍｓ)の間トランスデューサを作動させるために構成(プログラム)されてもよい。
【０１００】
好ましくは、吸入サイクルは、２〜３０の連続的な吸入、又は２〜２０の連続的な吸入、又は、３〜３０の連続的な吸入、又は３〜２０の連続的な吸入、又は２〜１５の連続的な吸入、又は３〜１５の連続的な吸入、又は２〜１２の連続的な吸入、又は３〜１２の連続的な吸入、又は２〜１０の連続的な吸入、又は３〜１０の連続的な吸入、又は２〜８の連続的な吸入、又は３〜８の連続的な吸入、又は４〜３０の連続的な吸入、又は４〜２０の連続的な吸入、又は４〜１５の連続的な吸入、又は４〜１２の連続的な吸入、又は４〜１０の連続的な吸入、又は４〜８の連続的な吸入、又は５〜３０の連続的な吸入、又は５〜２０の連続的な吸入、又は５〜１０の連続的な吸入、又は３０以下の連続的な吸入、又は２０以下の連続的な吸入、又は１５以下の連続的な吸入、又は１２以下の連続的な吸入、又は１０以下の連続的な吸入、又は８以下の連続的な吸入、又は６以下の連続的な吸入、又は５以下の連続的な吸入を含む。以下により詳細に記載するように、吸入サイクル中の吸入は、装置に薬剤を投与させる複数の投薬呼吸に加えて、装置に薬剤を投与させない１又は複数の活性化事象(例えば、以下により詳細に記載するように、１又は複数の検証呼吸及び／又は１又は複数の投与量進行呼吸)を含んでもよい。
【０１０１】
吸入器の例示的な実施形態は、一用量を送達するのに非常に少ない吸入しか必要としないため、短時間の投与を提供する；特に３０呼吸未満、２０呼吸未満、１５呼吸未満、１２呼吸未満、１０呼吸未満、８呼吸未満、６呼吸未満が必要とされる際；例えば、吸入器は、５分以内、又は４分以内、又は３分以内、又は２分以内、又は好ましくは９０秒以内、又は６０秒以内、又は４５秒以内、又は３０秒以内で、一用量の薬剤を送達する能力を有する。
【０１０２】
一実施形態によれば、吸入サイクル中の第一の吸入の間に、装置は、それが現実の呼吸であり、誤トリガーではないことを検証し、吸入が正当であることを確認するために、第二の吸入を探す；例えば、センサから受け取ったデータを処理するために構成されたプロセッサは、気流導管を通じた息の吸入が進行中であることを決定する。それゆえ、一実施形態によれば、第一の呼吸は検証呼吸である。呼吸の検証は任意であり、全ての投与スキーム実施形態で要求されるわけではない。
【０１０３】
別の実施形態によれば、吸入サイクル中の少なくとも１つの吸入により、装置は、一用量の薬剤を投与位置に進行(前進)させる(投与量進行呼吸と称される)；例えば、ブリスター内に含まれる薬剤用量が、装置による投与を通じて患者に利用可能となるように、ブリスターを前進させることによって。好ましくは、吸入サイクルは投与量進行呼吸を一つだけ含む。本明細書で記載されるように、任意の適切なアクセス手段が、ブリスターポケット内の一用量にアクセスする(一用量を取り出す)ために使用されてもよく、これは、関連するポケットを裂くこと、孔を開けること、又は引き剥がすことを含む。ある実施形態によれば、吸入が吸入センサによって検知されると、ブリスターストップを前進させる(例えば、ギア列をかみ合わせることによって)モータに電圧が供給される。投与量進行機構は、使用済みの空のブリスターを受け台に載せ、ブリスターストリップをトラック回りに動かす歯車と、次の投与量を取り出すために、ストリップから蓋を外すスプール・サブアセンブリを含んでもよい。
【０１０４】
このように、ある実施形態によれば、吸入サイクルの第一の呼吸は投与量進行呼吸である。別の実施形態によれば、吸入サイクルの第一の呼吸は検証呼吸であり、第二の呼吸は投与量進行呼吸である。さらに別の実施形態によれば、第一の呼吸ではなく、吸入サイクルの最後の呼吸が投与量進行呼吸である。またさらに別の実施形態によれば、投与量は、吸入サイクルの最後の呼吸の後に進行し、投与量進行呼吸は必要とされない。好ましくは、薬剤は、検証呼吸又は投与量進行呼吸の間には投与されない。検証呼吸及び投与量進行呼吸は、装置がすぐに薬剤を投与できる状態になる(しかし好ましくは、装置に薬剤を投与させない)ように装置を作動させることができるため、本明細書において活性化事象とも称される。さらなる実施形態によれば、投与スキームは、投与量が他の手段によって、例えば、装置のボタンを押すことによって進行するため、いかなる検証呼吸又は投与量進行呼吸も含まない。
【０１０５】
吸入器は、好ましくは、吸入サイクルの間に、一用量のドライパウダー薬剤を投与するために、吸入サイクルのそれぞれの投薬呼吸の間に、振動エレメントをトリガーするように構成される。好ましくは、一用量のドライパウダー薬剤の一部が、それぞれの投薬呼吸の間に投与される(一用量の全てが送達された後、被験者が一以上の投薬呼吸を続けるかもしれず、その場合は、吸入サイクルの最後の投薬呼吸(単数又は複数の)間、薬剤が投与されないか、あるいは無視できる量が投与されることになる可能性はあるものの)。好ましくは、連続的な投薬呼吸とは、一用量のドライパウダー薬剤が吸入器によって投与される間の、一連の吸入を指し、これには、被験者が一連の間の被験者の各吸入ごとに吸入器を通じて吸引すること、又は被験者が一連の間に、薬剤を含まない空気を定期的に吸引することが含まれる。好ましくは、被験者は、一連の間の被験者の各投薬呼吸ごとに吸入器を通じて吸引する。
【０１０６】
好ましくは、吸入サイクルは、２〜３０の連続的な投薬呼吸、又は２〜２０の連続的な投薬呼吸、又は２〜１５の連続的な投薬呼吸、又は２〜１２の連続的な投薬呼吸、又は２〜１０の連続的な投薬呼吸、又は２〜８の連続的な投薬呼吸、又は３〜３０の連続的な投薬呼吸、又は３〜２０の連続的な投薬呼吸、又は３〜１５の連続的な投薬呼吸を含む。より好ましくは、吸入サイクルは、３〜１２の連続的な投薬呼吸、又は３〜１０の連続的な投薬呼吸、又は３〜８の連続的な投薬呼吸、又は４〜１２の連続的な投薬呼吸、又は４〜１０の連続的な投薬呼吸、４〜８の連続的な投薬呼吸、又は４〜６の連続的な投薬呼吸、又は３０以下の連続的な投薬呼吸、又は２０以下の連続的な投薬呼吸、又は１５以下の連続的な投薬呼吸、又は１２以下の連続的な投薬呼吸、又は１０以下の連続的な投薬呼吸、又は８以下の連続的な投薬呼吸、又は６以下の連続的な投薬呼吸、又は５以下の連続的な投薬呼吸、又は４以下の連続的な投薬呼吸、又は３以下の連続的な投薬呼吸を含む。上述の通り、各吸入サイクルにおける連続的な吸入は、前記投薬呼吸に加えて、１又は複数の検証呼吸及び／又は１又は複数の投与量進行呼吸(すなわち、活性化事象)を含んでもよい。
【０１０７】
特定の実施形態によれば、１又は複数のインジケータ(例えば、吸入サイクル中に点灯する光(例えば、発光ダイオード、ＬＥＤ)及び／又は薬剤送達の状況を伝える装置上の画面)によって、患者にフィードバックが提供されてもよい。例えば、吸入が進行しているとき、装置上のライトが、各呼吸とともに、第一カラー(例えば、ブルー)に点灯し、一連の吸入が正しく進行したことを確認し、且つ、投与量が完了すると、第一カラーと同じか又は異なる第二カラー(例えば、グリーン)が点灯する。
【０１０８】
好ましい実施形態によれば、吸入器は、交換可能な構成要素(本明細書において、カートリッジ又は前方部とも称される)に取り付けられる再利用可能な構成要素(本明細書中で、べース又は後方部とも称される)を含み、前記交換可能な構成要素は１又は複数の投与量の薬剤、例えば既定用量の薬剤(例えば、ブリスターストリップ)を含む。ある実施形態によれば、前記再利用可能な構成要素は、１又は複数の電源(例えば、バッテリー)、呼吸センサ、コントローラ、及びトランスデューサを含み；及び交換可能なカートリッジは、１又は複数の既定用量の薬剤、投与量進行機構、投与チャンバ、気流導管、及びマウスピースを含む。例えば、再利用可能な構成要素は、電源とコントローラを含んでもよく；及び使い捨てのカートリッジは、１又は複数の既定用量の薬剤、及び投与量進行機構を含んでもよい。別の実施形態も考えられ、その実施形態では、電源、呼吸センサ、コントローラ、トランスデューサ又はマウスピースのいずれかは、再利用可能な構成要素ではなく、交換可能な構成要素の一部を形成してもよい：及び／又は、投与量進行機構、投与チャンバ又は気流導管のいずれかは、交換可能な構成要素ではなく、再利用可能な構成要素の一部を形成してもよい。再利用可能な構成要素は、好ましくは、ユーザー・インターフェース(例えば、画面表示)を含む；しかしながら、ユーザー・インターフェースは交換可能な構成要素の一部であってもよい。また、交換可能な構成要素は、好ましくは気流導管を含む；しかしながら、気流導管は、再利用可能な構成要素の一部であってもよく、又は、気流導管の一部が交換可能な構成要素の一部で、気流導管の他の部分が再利用可能な構成要素の一部であってもよい。
【０１０９】
吸入器を使用する好ましい方法によれば、ユーザーは、薬剤を投与するために装置を使用する前に、ベースにカートリッジを取り付ける。それゆえ、吸入器を使用する方法は、薬剤を投与するために吸入器を使用する前に、カートリッジにベースを取り付ける第一工程を含んでもよい。例えば、この方法は、カートリッジにベースを取り付ける工程、装置のスイッチを入れる工程(例えば、吸入器のボタンを押すこと又は画面に触れることによって、又は別の活性化事象によって)及び、装置を通じて吸引を行い、投与を開始する工程を含んでもよい。それぞれの投与量を投与する前に、ベースにカートリッジを取り付ける必要は必ずしもない、例えば、前記方法は、カートリッジ中の薬剤の最初の投与量を送達する前に、ベースにカートリッジを取り付けることを含んでもよく、カートリッジは、カートリッジ内の薬剤の最後の投与量が送達されるまで、ベースに取り付けられたままでもよい：あるいは、ユーザーは、投与量の間にカートリッジを取り外し(例えば、各投与量ごとに、又は、２あるいは３の投与量ごとに、等)、投与量を投与する前にベースにカートリッジを再び取り付けてもよい。ある実施形態によれば、装置は、カートリッジが投与量の間に取り外されるように構成され、その装置は、次の利用可能な投与量(例えば、ブリスターストリップ内の)が、再取付により患者に利用可能となることを確実にし、それにより投与量はスキップされず、又は無駄にされない。
【０１１０】
好ましい実施形態によれば、本発明の吸入器は、手で持って操作できる装置である、すなわち、それは、人の手で持てるほど小さい。これは、一般的に大きく且つ嵩張り、ユーザーが、彼又は彼女の手にマウスピースのみを持つことが可能である、従来のネブライザーとは対照的である。例えば、本発明の吸入器は、好ましくは、約５０ｍｍ〜約１００ｍｍ、又は約５０ｍｍ〜約９０ｍｍ、又は約６０ｍｍ〜約１００ｍｍ、又は約６０ｍｍ〜約９０ｍｍ、又は約６０ｍｍ〜約８０ｍｍの幅；及び約１００ｍｍ〜１４０ｍｍ、又は約１００ｍｍ〜１３０ｍｍ、又は約１００ｍｍ〜約１２０ｍｍ、又は約１１０ｍｍ〜約１４０ｍｍ、又は約１１０〜約１３０ｍｍ、又は約１２０〜約１３０ｍｍの高さ；及び、約５０ｍｍ〜約８０ｍｍ、又は約５０ｍｍ〜約７０ｍｍ、又は約５０ｍｍ〜約６０ｍｍ、又は約６０ｍｍ〜約８０ｍｍ、又は約６０ｍｍ〜約７０ｍｍの奥行(装置の表面から延びるマウスピースを除く)を有する。例えば、吸入器は、約１００〜１４０ｍｍ(高さ)×約５５〜９５ｍｍ(幅)×約４５〜７５ｍｍ(奥行；マウスピースを除く)の寸法を有してもよい。マウスピースは任意のサイズとすることができる；好ましくは、マウスピースは、装置の表面から、約１５ｍｍ〜約７０ｍｍ、又は約２０ｍｍ〜約７０ｍｍ、又は約３０ｍｍ〜７０ｍｍ、又は約１５ｍｍ〜約６０ｍｍ、又は約１５ｍｍ〜約５０ｍｍ、又は約１５ｍｍ〜約４０ｍｍ、又は約１５ｍｍ〜約３０ｍｍ延びている。
【０１１１】
好ましい実施形態によれば、吸入器は、コントローラ、すなわち、吸入器、データ記憶、プログラミング・インターフェースを制御するための１又は複数の回路基板に組み込まれた１又は複数の構成要素及び関連回路を含む。好ましくは、吸入器は、バッテリーにより吸入器に電力が供給されるように、コントローラと連結する電源(例えば、バッテリー、太陽電池など)を含む。バッテリーは、好ましくは再充電可能であり、外部電源アダプタを経て充電され、再充電が必要となる前に複数の投与量の投与を可能にする。好ましくは、バッテリーは、電子部品、投与量進行、及び振動エレメント(例えば、圧電トランスデューサ)の励起のための電力を供給する、再充電可能なリチウムイオンバッテリーである。好ましくは、バッテリーは、以下の仕様を満たす：０．１〜４５０ｍＡ、及び電圧 ３０００〜５０００ｍＶ、又は３５００〜４５００ｍＶ、又は３７００〜４３００ｍＶ
【０１１２】
好ましい実施形態によれば、吸入器は、約３０Ｌ／分(ＬＰＭ)の流量で、約０．０４０ｃｍＨ2Ｏ0.5／ＬＰＭ〜約０．１ｃｍＨ2Ｏ0.5／ＬＰＭ、又は約０．０４０ｃｍＨ2Ｏ0.5／ＬＰＭ〜約０．０９０ｃｍＨ2Ｏ0.5／ＬＰＭ、又は約０．０５０ｃｍＨ2Ｏ0.5／ＬＰＭ〜約０．１ｃｍＨ2Ｏ0.5／ＬＰＭ、又は約０．０５０ｃｍＨ2Ｏ0.5／ＬＰＭ〜約０．０９０ｃｍＨ2Ｏ0.5／ＬＰＭ、又は約０．０４０ｃｍＨ2Ｏ0.5／ＬＰＭ〜約０．０８５ｃｍＨ2Ｏ0.5／ＬＰＭ、又は約０．０５０ｃｍＨ2Ｏ0.5／ＬＰＭ〜約０．０８５ｃｍＨ2Ｏ0.5／ＬＰＭ、又は約０．０６０ｃｍＨ2Ｏ0.5／ＬＰＭ〜約０．０８５ｃｍＨ2Ｏ0.5／ＬＰＭの流れ抵抗を有する。流れ抵抗は、既知の方法、例えば、実施例２の方法で測定できる。多くの市販の吸入器は、本発明のものよりも高い流れ抵抗を有する。本発明と同様の流れ抵抗を有するたいていの市販の吸入器では、それらの最適性能は通常、６０Ｌ／分以上の流量時であるが、易感染性肺機能を有する多くの子供及び成人の患者は、その抵抗レベルで、６０Ｌ／分の流量を生じさせることができず、このような最適値未満の流量は、ドライパウダーの不完全な分散、粒子径の増加、及び最終的により低い気道へのより低い投薬をもたらしうる。以下に記載するように、本発明の吸入器は、本明細書に記載の好ましいＡＰＳＤプロファイル(例えば、ＭＭＡＤ，ＦＰＦなど)を達成する一方、１５リットル／分(Ｌ／分又はＬＰＭ)程度に低い、又は２０ＬＰＭ程度に低い、又は２５ＬＰＭ程度に低い，又は３０ＬＰＭ程度に低い流量で、治療的有効量のドライパウダー薬剤を送達する能力がある。
【０１１３】
本明細書に記載するように、吸入器は、１又は複数の投与量のドライパウダー薬剤を含む。ある実施形態によれば、吸入器は、複数のあらかじめ計量された個別の投与量のドライパウダー薬剤を含む。個々の投与量はそれぞれ、容器(例えば、１又は複数のブリスターストリップ、好ましくは１つのブリスターストリップに沿って配列された複数のブリスターポケットを有する、ブリスター)内に収容されていてもよい。ある実施形態によれば、吸入器は、１〜７０の投与量、又は１〜６０の投与量、又は１〜５０の投与量、又は１〜４０の投与量、又は１〜３０の投与量、又は１０〜７０の投与量、又は１０〜６０の投与量、又は１０〜５０の投与量、又は１５〜５０の投与量、又は２０〜５０の投与量、又は２５〜５０の投与量、又は３５〜５０の投与量、又は１０〜５０の投与量、又は１５〜４０の投与量、又は２０〜４０の投与量、好ましくは２５〜４０の投与量、又は３５〜４０の投与量、又は２８〜３５の投与量、又は３５〜３５の投与量を有し、これらは任意でブリスターストリップ中に収容された既定用量である。例えば、吸入器は、ベースに取り付け可能な単一のカートリッジから、それらの投与量のいくらかを投与するように構成されていてもよい。図面に示されている特定の実施形態によれば、ブリスターストリップはトラックの周りに配置されている(例えば、図２Ｂ参照)。ブリスターストリップが、ダブルトラックの周りに配置されており、それによって吸入器がより多くの投与量を収容できる実施形態(例えば、トラックは、第一トラックの外側あるいは内側の周りに伸びることによって、より長く形成されている)、又はブリスターがトラックの周りに配置される代わりに、吸入器の内側にコイルとして貯蔵されている実施形態も考えられる。
【０１１４】
ある実施形態によれば、吸入器の内側の個別の投与量(例えば、ブリスター内のドライパウダー製剤の量)は、約１０ｍｇ以下、より好ましくは約８ｍｇ以下、約７ｍｇ以下、約６ｍｇ以下、約５ｍｇ以下、約４ｍｇ以下、約３ｍｇ以下、約２．５ｍｇ以下、又は約２ｍｇ以下である。例えば、各ブリスター内の製剤の量は、約０．１ｍｇ〜約１０ｍｇ、又は約０．１ｍｇ〜約５ｍｇ、又は約０．１ｍｇ〜約４ｍｇ、又は約０．１ｍｇ〜約３ｍｇ、又は約０．１ｍｇ〜約２．５ｍｇ、又は約０．１ｍｇ〜約２ｍｇ、又は約０．５ｍｇ〜約１０ｍｇ、又は約０．５ｍｇ〜約５ｍｇ、又は約０．５ｍｇ〜約４ｍｇ、又は約０．５ｍｇ〜約３ｍｇ、又は約０．５ｍｇ〜約２．５ｍｇ、又は約０．５ｍｇ〜約２ｍｇ、約１ｍｇ〜約１０ｍｇ、又は約１ｍｇ〜約５ｍｇ、又は約１ｍｇ〜約４ｍｇ、又は約１ｍｇ〜約３ｍｇ、又は約１ｍｇ〜約２．５ｍｇ、又は約１ｍｇ〜約２ｍｇであってもよい。
【０１１５】
装置の特定の実施形態は、従来のＤＰＩによって投与される用量より、はるかに少ない用量のドライパウダー薬剤を投与する能力がある(特にラクトース等のキャリアを含む製剤を投与するＤＰＩと比べて)。例えば、Advair(登録商標)Diskusは、ブリスターあたり約１２．５ｍｇの製剤(キャリアとしてラクトース一水和物を含む)を含む；Breo(登録商標)Elliptaは、ブリスターあたり約１２．５ｍｇの製剤(キャリアとしてラクトース一水和物を含む)を含む；Foradil(登録商標)Aerolizerは、約２５ｍｇの製剤(キャリアとしてラクトースを含む)を投与する。それにひきかえ、本装置の特定の実施形態は、一投与量あたり１０ｍｇ以下の製剤、又は一投与量あたり８ｍｇ以下の製剤、又は一投与量あたり６ｍｇ以下の製剤、又は一投与量あたり５ｍｇ以下の製剤、又は一投与量あたり４ｍｇ以下の製剤、又は一投与量あたり３ｍｇ以下の製剤、又は一投与量あたり２．７５ｍｇ以下の製剤、又は一投与量あたり２．５ｍｇ以下の製剤、又は一投与量あたり約０．５ｍｇ〜約２５ｍｇの製剤を投与する。例えば、本装置の特定の実施形態は、ブリスターあたり約１０ｍｇ未満の製剤、又はブリスターあたり約８ｍｇ未満の製剤、又はブリスターあたり約６ｍｇ未満の製剤、又はブリスターあたり約５ｍｇ未満の製剤、又はブリスターあたり約４ｍｇ未満の製剤、又はブリスターあたり約３ｍｇ未満の製剤、又はブリスターあたり約２．７５ｍｇ未満の製剤、又はブリスターあたり約２．５ｍｇ未満の製剤、又はブリスターあたり約０．５ｍｇ〜約２５ｍｇの製剤を投与する。さらに、前記装置は、深い又は力強い吸入ではなく、通常の周期的な呼吸を経て各投与量を送達可能である。
【０１１６】
特定の実施形態によれば、本発明の各投与量中(例えば、各ブリスター内)のドライパウダー製剤は、少なくとも１つの薬剤、及びラクトース(例えば、ラクトース一水和物)等の少なくとも１つのキャリアを含む。例えば、各投与量(例えば、ブリスター)内のドライパウダー製剤は、少なくとも１つの薬剤を、少なくとも７０重量％のキャリア(例えば、ラクトース)、又は少なくとも７５重量％のキャリア、又は少なくとも８０重量％のキャリア、又は少なくとも８５重量％のキャリア、又は少なくとも９０重量％のキャリア、又は少なくとも９２重量％のキャリア、又は少なくとも９５重量％のキャリア、又は少なくとも９６重量％のキャリア、又は少なくとも９７重量％のキャリア、又は少なくとも９７．５重量％のキャリア、又は少なくとも９８重量％のキャリア、又は少なくとも９８．５重量％のキャリア、又は少なくとも９９重量％のキャリア、又は少なくとも９９．５重量％のキャリア、又は８５重量％〜９９．９重量％、又は９０重量％〜９９．９重量％、又は９２重量％〜９９．９重量％、又は９５重量％〜９９．９重量％、又は９７重量％〜９９．９重量％、又は９７．５重量％〜９９．９重量％のキャリアとの組み合わせで含んでもよい。
【０１１７】
ある実施形態によれば、前記キャリアと薬剤(単数又は複数)は、通常の混合プロセス(高せん断混合など)によって、混和される：例えば、それらはキャリアと薬剤(単数又は複数)をともに同時噴霧乾燥することに(co-spray drying)によってはブレンドされない。ある実施形態によれば、ラクトースは、およそ以下のような粒度分布を有する：Ｄ10：１０μｍ以下；Ｄ50：７０μｍ以下、Ｄ90：７０μｍ以下。ある実施形態によれば、ラクトースは、およそ以下のような粒度分布を有する：Ｄ10：２μｍ以上；Ｄ50：３０μｍ以上、Ｄ90：１２０μｍ以上。ある実施形態によれば、ラクトースは、およそ以下のような粒度分布を有する：Ｄ10：２〜１０μｍ；Ｄ50：３０〜７０μｍ、Ｄ90：１２０〜２００μｍ。ある実施形態によれば、ラクトースは、およそ以下のような粒度分布を有する：Ｄ10：３〜７μｍ；Ｄ50：３７〜６１μｍ、Ｄ90：１２４〜１９４μｍ。ある実施形態によれば、製剤中で使用されるラクトース一水和物は、Respitose(登録商標)ML001である。
【０１１８】
別の実施形態によれば、キャリア(単数又は複数)及び／又は賦形剤(単数又は複数)は、薬剤(単数又は複数)と、それらを一緒に同時噴霧することによって(例えば、噴霧乾燥によって)ブレンドされてもよい。
【０１１９】
特定の実施形態によれば、製剤中の少なくとも１つの薬剤(例えば、１つ、２つ、又は３つの薬剤)の総量は、０．１重量％〜８０重量％、又は０．１重量％〜７０重量％、又は０．１重量％〜６０重量％、又は０．１重量％〜５０重量％、又は０．１重量％〜４０重量％、又は０．１重量％〜３５重量％、又は０．１重量％〜３０重量％、又は０．１重量％〜２５重量％、又は０．１重量％〜２０重量％、又は０．１重量％〜１５重量％、又は０．１重量％〜１２重量％、又は０．１重量％〜１０重量％、又は０．１重量％〜８重量％、又は０．１重量％〜６重量％、又は０．１重量％〜５重量％、又は０．１重量％〜４重量％、又は０．１重量％〜３重量％、又は０．１重量％〜２．５重量％、又は０．１重量％〜２重量％、又は０．１重量％〜１．５重量％、又は０．１重量％〜１重量％である。製剤は、任意で、１又は複数の賦形剤、例えばステアリン酸マグネシウムを含んでもよい。製剤に含まれうるＡＰＩの例は、以下に及び実施例中に記載される。ある実施形態によれば、各製剤は、ＬＡＭＡ(例えば、臭化グリコピロニウム又は臭化チオトロピウム)及び／又はＬＡＢＡ(例えば、ホルモテロールフマル酸塩)を含む。別の実施形態によれば、各製剤は、硫酸アルブテロールを含む。
【０１２０】
装置がブリスターストリップを含む特定の実施形態によれば、各ブリスターは、同じ製剤を同じ量(通常の製造時の変動によって、ブリスター間にわずかな差があってもよいことが理解される)で含む。別の実施形態によれば、装置中の異なるブリスターは、別の治療計画を提供するために、別の異なる種類及び／又は異なる量の製剤を含んでもよい；例えば、ブリスターストリップ上の一連のブリスターは、２種類の異なる製剤を、交互に含んでもよく、又は、第一の一連のプリスターが第一の製剤を含み、第二の一連のプリスターが第二の製剤を含んでもよい等。
【０１２１】
ある実施形態によれば、一用量の薬剤(薬剤の投与量、すなわち、治療的有効量の薬剤)を投与するために吸入器を使用する方法は、周期的な吸入により吸入器のマウスピースから、２〜３０の連続的な吸入からなる、又は２〜２０の連続的な吸入からなる、又は３〜３０の連続的な吸入からなる、又は３〜２０の連続的な吸入からなる、又は２〜１５の連続的な吸入からなる、又は３〜１５の連続的な吸入からなる、又は２〜１２の連続的な吸入からなる、又は３〜１２の連続的な吸入からなる、又は２〜１０の連続的な吸入からなる、又は３〜１０の連続的な吸入からなる、又は２〜８の連続的な吸入からなる、又は３〜８の連続的な吸入からなる、又は４〜３０の連続的な吸入からなる、又は４〜２０の連続的な吸入からなる、又は４〜１５の連続的な吸入からなる、又は４〜１２の連続的な吸入からなる、又は４〜１０の連続的な吸入からなる、又は４〜８の連続的な吸入からなる、又は５〜３０の連続的な吸入からなる、又は５〜２０の連続的な吸入からなる、又は５〜１０の連続的な吸入からなる(好ましくは、３０以下の連続的な吸入、又は２０以下の連続的な吸入、又は１５以下の連続的な吸入、又は１２以下の連続的な吸入、又は１０以下の連続的な吸入、又は８以下の連続的な吸入、又は６以下の連続的な吸入、又は５以下の連続的な吸入)からなる吸入サイクルを完了させることを含み、ここで前記吸入器は、１又は複数の投与量のドライパウダー薬剤を含む。個々の投与量は、約１０ｍｇ以下、約８ｍｇ以下、約７ｍｇ以下、約６ｍｇ以下、約５ｍｇ以下、約４ｍｇ以下、約３ｍｇ以下、約２．５ｍｇ以下、約２ｍｇ以下であってもよく、エアロゾルエンジンは、投与量をエアロゾル化するための振動エレメントを含んでおり、前記投与量は、吸入サイクルの間に吸入器によって投与される。
【０１２２】
装置がブリスターストリップを含む一実施形態によれば、ブリスターから一用量の薬剤(薬剤の投与量、すなわち、治療的有効量の薬剤)を投与するために吸入器を使用する方法は、周期的な吸入により吸入器のマウスピースから、２〜３０の連続的な吸入からなる、又は２〜２０の連続的な吸入からなる、又は３〜３０の連続的な吸入からなる、又は３〜２０の連続的な吸入からなる、又は２〜１５の連続的な吸入からなる、又は３〜１５の連続的な吸入からなる、又は２〜１２の連続的な吸入からなる、又は３〜１２の連続的な吸入からなる、又は２〜１０の連続的な吸入からなる、又は３〜１０の連続的な吸入からなる、又は２〜８の連続的な吸入からなる、又は３〜８の連続的な吸入からなる、又は４〜３０の連続的な吸入からなる、又は４〜２０の連続的な吸入からなる、又は４〜１５の連続的な吸入からなる、又は４〜１２の連続的な吸入からなる、又は４〜１０の連続的な吸入からなる、又は４〜８の連続的な吸入からなる、又は５〜３０の連続的な吸入からなる、又は５〜２０の連続的な吸入からなる、又は５〜１０の連続的な吸入からなる(好ましくは、３０以下の連続的な吸入、又は２０以下の連続的な吸入、又は１５以下の連続的な吸入、又は１２以下の連続的な吸入、又は１０以下の連続的な吸入、又は８以下の連続的な吸入、又は６以下の連続的な吸入、又は５以下の連続的な吸入)からなる吸入サイクルを完了させることを含み、ここで前記吸入器は、複数の所定の投与量のドライパウダー薬剤を含み、ここで、個々の投与量は、約１０ｍｇ以下、約８ｍｇ以下、約７ｍｇ以下、約６ｍｇ以下、約５ｍｇ以下、約４ｍｇ以下、約３ｍｇ以下、約２．５ｍｇ以下、約２ｍｇ以下であり、ブリスター内に収容されており、エアロゾルエンジンは、各投与量をエアロゾル化するための振動エレメントを含んでおり、前記投与量は、吸入サイクルの間に吸入器によって投与される。
【０１２３】
ある実施形態によれば、振動エレメントから容器(例えば、ブリスターストリップ上のブリスター)へのエネルギー伝達(例えば、機械的振動及び／又は音響エネルギーの形での)により、装置が、治療的有効量の薬剤を吸入サイクルの間に投与する。ある実施形態によれば、振動エレメントから容器(例えば、ブリスター)へのエネルギー伝達(例えば、機械的振動及び／又は音響エネルギーの形での)により、装置が、投与量(例えば、ブリスターの内側に収容されている)中の少なくとも７５％、又は少なくとも８０％、又は少なくとも８５％、又は少なくとも９０％、又は少なくとも９５％、又は少なくとも９６％、又は少なくとも９７％、又は少なくとも９８％、又は少なくとも９９％、又は少なくとも１００％の製剤を、吸入サイクルの間に投与する。投与量中の残りの粉末の％は、例えば、吸入サイクル前後に容器を秤量し、％の差を決定することによって、求めることができる。好ましくは、容器の内側の全てのドライパウダーが、吸入サイクルの間に投与される(少量ではあるが一定の量の粉末が、全投与量が投与された後に、容器内になお残ってもよいことが理解される；例えば、粉末のごくわずかなフィルム、又は無視できる量が、容器の表面上に残るかもしれない)又は実質的に全ての内容物が、容器から投与される。
【０１２４】
好ましい実施形態によれば、吸入器は、幅広い範囲のユーザー流量にわたって、例えば、１５Ｌ／分(ＬＰＭ)程度の低い流量で、又は約１５Ｌ／分〜約９０Ｌ／分、又は約１５Ｌ／分〜約６０Ｌ／分、又は約１５Ｌ／分〜約３０Ｌ／分、又は約２２Ｌ／分〜約３２Ｌ／分、又は約３０Ｌ／分〜約６０Ｌ／分、又は約３０Ｌ／分〜約９０Ｌ／分にわたる流量で、これらのレベルのブリスター・クリアランスを達成する能力を有する。このように、好ましい実施形態によれば、ブリスターの内側に収容された全投与量、あるいはほぼ全投与量が、装置を通じて吸引するユーザーが、周期的な吸入を経るか、又は強い吸入を経るかにかかわらず、及びユーザーが易感染性肺疾患を有するか否かにもかかわらず、吸入サイクルの間に(例えば、５〜１０の連続的な吸入の間に、又は４〜８の投薬呼吸の間に、等)投与可能である。好ましくは、前記装置は、装置の内側に収容された全ての投与量について(例えば、ブリスターストリップ内に収容された全ての投与量について)、又は装置の内側に収容された投与量の少なくとも９０％について、これらのレベルのブリスター・クリアランスを達成する。幅広い範囲の流量にわたって一貫した投与量を送達するこの能力は、従来のＤＰＩとは対照的である。
【０１２５】
好ましい実施形態によれば、本発明の吸入器は、装置内に収容されたそれぞれの投与量について、薬剤の目的送達量の６５％〜１３５％、又は７５％〜１２５％、又は８０％〜１２０％を投与する、及び／又は、装置は、装置内に収容された全ての投与量について、又は装置内に収容された投与量の９０％について、平均で薬剤の目的送達量の６５％〜１３５％、又は７５％〜１２５％、又は８０％〜１２０％を投与する。例えば、装置は、装置内に収容された全ての投与量について、又は装置内に収容された投与量の９０％について、±２０％又は±２５％又は±３５％の送達量均一性を維持する。好ましくは、この送達量均一性は、１５Ｌ／分(ＬＰＭ)程度の低い流量で、又は約１５Ｌ／分〜約９０Ｌ／分、又は約１５Ｌ／分〜約６０Ｌ／分、又は約１５Ｌ／分〜約３０Ｌ／分、又は約２２Ｌ／分〜約３２Ｌ／分、又は約３０Ｌ／分〜約６０Ｌ／分、又は約３０Ｌ／分〜約９０Ｌ／分にわたる流量で、又は１５Ｌ／分、及び／又は、３０Ｌ／分、及び／又は、６０Ｌ／分、及び／又は、９０Ｌ／分の流量で達成される。本明細書で使用される、目的送達量は、好ましくは、吸入器によって送達されるべく、医師によって処方されている薬剤の名目投与量を指す。薬剤の目的送達量は、各ブリスターの内側に収容されている充填投与量の量と必ずしも同一ではない；例えば、ブリスターは、４ｍｃｇの目的送達量又は名目投与量に対して、５ｍｃｇの薬剤充填量を含んでもよい。吸入器によって投与又は送達される投与の量は、好ましくは、吸入器から出ていく量を指し、これはインビトロの試験方法によって測定することができる。被検者の肺に送達される薬剤の実際の量は、患者側のファクター(解剖学的な特性及び吸気流プロファイルなど)に依存するであろう。
【０１２６】
好ましい実施形態によれば、吸入器は、少なくとも３０％、又は少なくとも３５％、又は少なくとも４０％、又は少なくとも４５％、又は少なくとも５０％、又は約３０〜約９０％、又は約３０〜約８０％、又は約３０〜約７０％、又は約３０〜約６０％、又は約３０〜約５０％、又は約４０〜約９０％、又は約４０〜約８０％、又は約４０〜約７０％、又は約４０〜約６０％の微粒子画分(ＦＰＦ：fine particle fraction)を送達する。本明細書で使用される、ＦＰＦは、５マイクロメートル(μｍ)以下の空気動力学的直径を有する送達量のパーセンテージを指す。好ましくは、このＦＰＦは、１５Ｌ／分程度の低い流量で、又は約１５Ｌ／分〜約９０Ｌ／分、又は約１５Ｌ／分〜約６０Ｌ／分、又は約１５Ｌ／分〜約３０Ｌ／分、又は約２２Ｌ／分〜約３２Ｌ／分、又は約３０Ｌ／分〜約６０Ｌ／分、又は約３０Ｌ／分〜約９０Ｌ／分にわたる流量で、又は１５Ｌ／分、及び／又は、３０Ｌ／分、及び／又は、６０Ｌ／分、及び／又は、９０Ｌ／分の流量で達成される。好ましくは、前記装置は、単一の投与量について、又は吸入器内に収容されている投与量の全てについて、例えばブリスターストリップ上に収容されている投与量の全てについて、又は吸入器の内側に収容されている投与量の少なくとも９０％について、このＦＰＦを達成する。好ましくは、このＦＰＦは、吸入器の内側に収容されている投与量の全てに対する平均値である。
【０１２７】
好ましい実施形態によれば、本発明の吸入器は、肺へ送達されるのに十分に小さい粒径を有する粒子を含むドライパウダー薬剤を送達する。肺への最適な送達のために、ドライパウダーは、好ましくは、約０．１ミクロン〜約１０ミクロン、好ましくは約０．５ミクロン〜約６ミクロンの空気動力学的中央粒子径の粉末サイズまで、微粒子化されるべき、又は噴霧乾燥されるべきである。しかしながら、サイズ制御された粒子を製造する他の方法、例えば、超臨界流体法、制御沈殿なども、有利に採用されうる。好ましくは、本明細書で使用される「空気動力学的中央粒子径」又は「ＭＭＡＤ」は、典型的には多分散集団における、複数の粒子の空気動力学的中央径を指す。「空気動力学的直径」は、好ましくは、粉末として、一般的に空気中で、同じ沈降速度を有する単位密度球の直径であり、それゆえ、その沈降挙動の観点から、エアロゾル化された粉末又は他の分散粒子又は粒子製剤を特性化するのに有用な方法である。ＭＭＡＤは、本明細書中で、カスケード・インパクションによって測定される。
【０１２８】
好ましい実施形態によれば、前記吸入器は、約１０μｍ(ミクロン)以下、又は約８ミクロン以下、又は約６ミクロン以下、又は約５ミクロン以下、又は約４ミクロン以下、又は約３．７５ミクロン以下、又は約３．５ミクロン以下、又は約３．０ミクロン以下、又は約０．１μｍ〜約１０μｍ、又は約０．１μｍ〜約８μｍ、又は約０．１μｍ〜約６μｍ、又は約０．１μｍ〜約５μｍ、又は約０．１μｍ〜約４μｍ、又は約１μｍ〜約１０μｍ、又は約１μｍ〜約８μｍ、又は約１μｍ〜約６μｍ、又は約１μｍ〜約５μｍ、又は約１μｍ〜約４μｍのＭＭＡＤを有するドライパウダー製剤を送達する。好ましくは、このＭＭＡＤは、１５Ｌ／分程度の低い流量で、又は約１５Ｌ／分〜約９０Ｌ／分、又は約１５Ｌ／分〜約６０Ｌ／分、又は約１５Ｌ／分〜約３０Ｌ／分、又は約２２Ｌ／分〜約３２Ｌ／分、又は約３０Ｌ／分〜約６０Ｌ／分、又は約３０Ｌ／分〜約９０Ｌ／分にわたる流量で、又は１５Ｌ／分、及び／又は、３０Ｌ／分、及び／又は、６０Ｌ／分、及び／又は、９０Ｌ／分の流量で達成される。好ましくは、前記装置は、このＭＭＡＤを、装置内に収容されている投与量の全てについて、例えばブリスターストリップ内に収容されている投与量の全てについて、又は装置の内側に収容されている投与量の少なくとも９０％について、達成する。好ましくは、このＭＭＡＤは、装置の内側に収容されている投与量の全てに対する平均値である。
【０１２９】
好ましい実施形態によれば、吸入器の振動エレメントは、圧電トランスデューサであり、この実施形態は以下に、より詳細に記載される。ある実施形態によれば、振動のために作動される際の、振動エレメント(例えば、圧電トランスデューサ)に供給される電圧の量は、約１８０〜２６０Ｖp-p、又は約１９０〜２５０Ｖp-p、又は好ましくは約２００〜２４０Ｖp-pである。ある実施形態によれば、圧電トランスデューサは、約３６ｋＨｚ〜約４３ｋＨｚ、又は約３７ｋＨｚ〜約４３ｋＨｚ、又は約３８ｋＨｚ〜約４３ｋＨｚ、又は約３６ｋＨｚ〜約４２ｋＨｚ、又は約３６ｋＨｚ〜約４１ｋＨｚ、又は約３６ｋＨｚ〜約４０ｋＨｚ、又は約３６ｋＨｚ〜約３９ｋＨｚ、又は約３７ｋＨｚ〜約４２ｋＨｚ、又は約３７ｋＨｚ〜約４１ｋＨｚ、又は約３７ｋＨｚ〜約４０ｋＨｚ、又は約３８ｋＨｚ〜約４２ｋＨｚ、又は約３８ｋＨｚ〜約４１ｋＨｚ、又は約３８ｋＨｚ〜約４０ｋＨｚ、又は約３８ｋＨｚ〜約３９ｋＨｚの周波数で振動する。
【０１３０】
ある実施形態によれば、投薬呼吸によって活性化されると、圧電トランスデューサ(ピエゾ)は、吸入毎に、約５０ｍｓ〜約１０００ｍｓ間振動するために作動される。投薬呼吸に応じたピエゾの各活性化(作動)は、バースト又はパルスと称されてもよい。好ましくは、この活性化又はバーストは、ユーザーの吸入の初めのほうで投与量の少なくとも一部をエアロゾル化するのに効果的であり、吸入の残りは、ユーザーの肺の中にエアロゾル化された投与量(又はその一部)を引き込む追い込み空気となる。別の実施形態によれば、圧電トランスデューサは、投薬呼吸ごとに、約５０ｍｓ〜約１０００ｍｓ、又は約５０ｍｓ〜約９００ｍｓ、又は約５０ｍｓ〜約８００ｍｓ、又は約５０ｍｓ〜約７００ｍｓ、約５０ｍｓ〜約６００ｍｓ、又は約５０ｍｓ〜約５００ｍｓ、約５０ｍｓ〜約４００ｍｓ、又は約５０ｍｓ〜約３００ｍｓ、約５０ｍｓ〜約２００ｍｓ、又は約５０ｍｓ〜約１００ｍｓ、又は約１００ｍｓ〜約９００ｍｓ、又は約１００ｍｓ〜約８００ｍｓ、又は約１００ｍｓ〜約７００ｍｓ、約１００ｍｓ〜約６００ｍｓ、又は約１００ｍｓ〜約５００ｍｓ、約１００ｍｓ〜約４００ｍｓ、又は約１００ｍｓ〜約３００ｍｓ、約１００ｍｓ〜約２００ｍｓ間振動するために作動される。
【０１３１】
様々な投与スキーム実施形態によれば、ピエゾは、吸入サイクルの間に異なる時間作動されてもよく、あるいは吸入サイクルの間に同じ時間作動されてもよい。例えば、ピエゾは、吸入サイクルの合計８回の投薬呼吸において、最初の４回の投薬呼吸のそれぞれに対し１００ｍｓ間作動され、続く４回の投薬呼吸のそれぞれに対し３００ｍｓ間作動されてもよい(合計１．６秒の「オンタイム」)。別の実施例によれば、ピエゾは、吸入サイクル中の合計４回の投薬呼吸のそれぞれについて５００ｍｓ間作動されてもよい(合計２秒の「オンタイム」)。ある実施形態によれば、トランスデューサ１５０は、一連のバースト(例えば、３バースト〜１２バースト、又は３バースト〜１０バースト、又は３バースト〜８バースト、又は３バースト〜６バースト)のうち最初のバーストの間に約１００ミリ秒〜約５００ミリ秒間作動され、一連の間に、容器(例えば、一つのブリスター１３０)の内容物を送達する。
【０１３２】
「オンタイム」とは、好ましくは、吸入サイクルの間に、投与チャンバにシンセティックジェットを引き起こすのに十分な、トランスデューサがその共振周波数で作動する時間の合計を指す；すなわち、吸入サイクルの間の、トランスデューサの共振周波数で発生するバーストの数(シンセティックジェットを引き起こすのに十分な(例えば、４バースト))に、バーストあたりの時間の量(例えば、５００ｍｓ)を乗じる(４×５００ｍｓ＝２秒のオンタイム)。例えば、吸入サイクルが４回の投薬呼吸を含むため、３８〜４２ｋＨｚの共振周波数を有するトランスデューサが、毎回５００ｍｓ間、その周波数で合計４回作動する場合、それらの活性化のそれぞれは、トランスデューサの共振周波数で発生し(シンセティックジェットを生成するのに十分な)、吸入サイクルの合計オンタイムは２秒である(本明細書に記載されるように、オンタイムに含まれる、ホップ周波数による短時間の中断を伴う)。「オフタイム」はオンタイムの一部ではなく、好ましくは、トランスデューサが作動されない場合、又はトランスデューサが、シンセティックジェットを引き起こすのに十分なほど投与チャンバを共振させない一以上の周波数で作動される場合の、吸入サイクルの間のそれらの時間帯を含み(例えば、３８〜４２ｋＨｚで共振するトランスデューサは、投薬呼吸の間に１０ｋＨの周波数で作動し、吸入サイクルの間の、オフタイムは合計２０〜３０秒である)、活性化のそれらの「オフタイム」期間は、オンタイムの一部とは見なされない。
【０１３３】
ある実施形態によれば、トランスデューサは、吸入サイクルの間に合計５秒以下(任意の投与スキームに従って。例えば、それぞれ５００ｍｓ間・１０バースト、等)の間、又は合計４秒以下の間、又は合計３秒以下の間、又は合計２秒以下の間、又は合計で約１秒〜約５秒、又は約１秒〜約４秒、又は約１秒〜約３秒、又は約１秒〜約２秒、又は約１秒〜約１．８秒、又は約１秒〜約１．６秒、又は約１秒〜約１．４秒、又は約１．２秒〜約３秒、又は約１．２秒〜約２秒の「オンタイム」の間、振動のために作動される。
【０１３４】
ある実施形態によれば、エアロゾルエンジンは、前述したように、ピエゾが作動して吸入サイクルの間に合計５秒以下のオンタイムで振動する際、少なくとも３つの圧電バースト(その共振周波数での)を含む吸入サイクルの間に、又は少なくとも４つの圧電バーストにわたって、又は少なくとも５つの圧電バーストにわたって、又は少なくとも６つの圧電バーストにわたって、又は少なくとも７つの圧電バーストにわたって、又は少なくとも８つの圧電バーストにわたって、又は少なくとも９つの圧電バーストにわたって、又は少なくとも１０の圧電バーストにわたって、治療的有効量(例えば、ブリスター１３０から)を送達する能力がある。例えば、吸入サイクルは、その共振周波数にて、３〜１２の圧電バースト、又は３〜１０の圧電バースト、又は３〜８の圧電バースト、又は４〜１２の圧電バースト、又は４〜１０の圧電バースト、又は４〜８の圧電バースト、又は４〜６の圧電バースト、又は３０以下の圧電バースト、又は２０以下の圧電バースト、又は１５以下の圧電バースト、又は１２以下の圧電バースト、又は１０以下の圧電バースト、又は８以下の圧電バースト、又は６以下の圧電バースト、又は５以下の圧電バースト、又は４以下の圧電バースト、又は３以下の圧電バーストを含んでもよい。
【０１３５】
ある実施形態によれば、薬剤送達装置は、ピエゾ活性化(バースト)あたり、少なくとも０．１マイクログラム(μｇ)のＡＰＩ、又はバーストあたり少なくとも０．５μｇのＡＰＩ、又はバーストあたり少なくとも１μｇのＡＰＩ、又はバーストあたり少なくとも２μｇのＡＰＩ、又はバーストあたり少なくとも３μｇのＡＰＩ、又はバーストあたり少なくとも４μｇのＡＰＩ、又はバーストあたり少なくとも５μｇのＡＰＩ、又はバーストあたり少なくとも６μｇのＡＰＩ、又はバーストあたり少なくとも７μｇのＡＰＩ、又はバーストあたり少なくとも８μｇのＡＰＩを送達する。バーストあたりに送達されるＡＰＩの量は、投与量中のＡＰＩの量又はｗｔ％によって変わってもよい。薬剤送達装置は、吸入サイクルの間、バーストあたり異なる量のＡＰＩを送達してもよい；例えば、最初のバースト、又は最初の２つのバーストによって送達されるＡＰＩの量はそれぞれ、最後のバースト、又は最後の２つのバーストによって送達されるＡＰＩの量より多くてもよい。ある実施形態において、バースト(例えば、最初の投薬呼吸に応じた最初のバースト)は、投与量の少なくとも約２０％、又は少なくとも約３０％、又は少なくとも約４０％、又は少なくとも約５０％、又は少なくとも約６０％を送達する。
【０１３６】
異なる駆動スキームの例が、実施例４に提供される。少なくとも９０重量％(ｗｔ％)のキャリア(例えば、ラクトース)、又は少なくとも９２重量％のキャリア、又は少なくとも９５重量％のキャリア、又は少なくとも９６重量％のキャリア、又は少なくとも９７重量％のキャリア、又は少なくとも９７．５重量％のキャリア、又は少なくとも９８重量％のキャリア、又は少なくとも９８．５重量％のキャリア、又は少なくとも９９重量％のキャリア、又は少なくとも９９．５重量％のキャリア、又は８５重量％〜９９．９重量％、又は９０重量％〜９９．９重量％、又は９２重量％〜９９．９重量％、又は９５重量％〜９９．９重量％、又は９７重量％〜９９．９重量％のキャリア、又は９７．５重量％〜９９．９重量％のキャリアとともに、少なくとも１種のＡＰＩを含むドライパウダー製剤の例において、一実施形態では、最初のバーストは、少なくとも０．５μｇのＡＰＩ、又は少なくとも１μｇのＡＰＩ、又は少なくとも１．５μｇのＡＰＩ、又は少なくとも２μｇのＡＰＩ、又は少なくとも３μｇのＡＰＩ、又は少なくとも４μｇのＡＰＩ、又は少なくとも５μｇのＡＰＩ、又は少なくとも６μｇのＡＰＩ、又は少なくとも７μｇのＡＰＩ、又は少なくとも８μｇのＡＰＩ、又は約０．５μｇ〜約８μｇ、又は約０．５μｇ〜約６μｇ、又は約０．５μｇ〜約４ｇのＡＰＩを送達する。
【０１３７】
ある実施形態によれば、薬剤送達装置は、最初の投薬呼吸に応じて(すなわち、最初のバーストで)、薬剤の投与量の少なくとも約１０％、又は少なくとも約１５％、又は少なくとも約２０％、又は少なくとも約２５％、又は少なくとも約３０％、又は少なくとも約４０％、又は少なくとも約５０％、又は少なくとも約６０％を投与し、及び投与量の残りを、吸入サイクル中の残りの投薬呼吸の間に投与する。別の言い方をすれば、薬剤送達装置は、吸入サイクルにおける最初の投薬呼吸に応じて、ドライパウダー薬剤の投与量のうち、少なくとも約１０％、又は少なくとも約１５％、又は少なくとも約２０％、又は少なくとも約２５％、又は少なくとも約３０％、又は少なくとも約４０％、又は少なくとも約５０％、又は少なくとも約６０％を投与するように構成されてもよい。
【０１３８】
少なくとも９０重量％のキャリア(例えば、ラクトース)、又は少なくとも９２重量％のキャリア、又は少なくとも９５重量％のキャリア、又は少なくとも９６重量％のキャリア、又は少なくとも９７重量％のキャリア、又は少なくとも９７．５重量％のキャリア、又は少なくとも９８重量％のキャリア、又は少なくとも９８．５重量％のキャリア、又は少なくとも９９重量％のキャリア、又は少なくとも９９．５重量％のキャリア、又は８５重量％〜９９．９重量％、又は９０重量％〜９９．９重量％、又は９２重量％〜９９．９重量％、又は９５重量％〜９９．９重量％、又は９７重量％〜９９．９重量％のキャリア、又は９７．５重量％〜９９．９重量％のキャリアとともに、少なくとも１種のＡＰＩを含むドライパウダー製剤の例において、一実施形態(例えば、実施例４)では、トランスデューサは、完全な医薬投与量を送達するのに、毎回約４００ミリ秒〜約６００ミリ秒で、４回作動される。第一のバーストは、ブリスター１３０中の当初の投与量の約７０％〜約８０％を送達するように構成されてもよい。第二、第三、及び第四のバーストはそれぞれ、ブリスター１３０中の当初の投与量の約５％〜約１５％を送達するように構成されてもよい。
【０１３９】
ある実施形態(例えば、実施例４)において、第一のバーストは、薬剤の目的送達量の少なくとも約２０％、又は少なくとも約３０％、又は少なくとも約４０％、又は少なくとも約５０％、又は少なくとも約６０％；又は目的送達量の約４０％〜約８５％を送達する。別の実施形態によれば、第一のバーストは、投与量中(例えば、ブリスター１３０中)の薬剤の少なくとも約２０％、又は少なくとも約３０％、又は少なくとも約４０％、又は少なくとも約５０％、又は少なくとも約６０％を送達する。ある実施形態では、第二のバーストは、ブリスター１３０中の当初の薬剤量の少なくとも約５％、又は少なくとも約１０％、又は少なくとも約２０％を送達する。ある実施形態では、第三及び第四のバーストはそれぞれ、ブリスター中の当初の薬剤量の少なくとも約１％、又は少なくとも約５％、又は少なくとも約１０％を送達する。ある実施形態では、残りのバーストは、ブリスター中の当初の薬剤量の残りを送達する。
【０１４０】
以下により詳細に記載するように、ある実施形態によれば、圧電トランスデューサの各活性化により、ドライパウダー薬剤投与量の少なくとも一部がエアロゾル化し、ブリスターから投与チャンバ内に移動し、それによって音波が、薬剤を投与チャンバの１又は複数の開口部から気流導管中に排出させ、薬剤が患者の吸引呼吸中に取り込まれる。好ましくは、本発明の吸入器は、薬剤粉末のエアロゾル化を助けるために、シンセティックジェットを使用する。シンセティックジェットは、米国特許第７,３１８,４３４号、第７,７７９,８３７号、第７,３３４,５７７号、及び第８,３２２,３３８号に記載されており、これらは参照により本明細書に包含される。前述の特許に記載されているように、チャンバがその一端で音波発生装置とつながり、その他端で小さいオリフィスを有する剛壁とつながっている場合、十分高い周波数及び振幅で、音波が発生器から発せられた場合、前記オリフィスからチャンバの外側に出ていく空気ジェットを生じさせることができる。前記ジェット、又はいわゆるシンセティックジェットは、前記オリフィスにて形成される一連の渦巻き状のエアパフ(air puffs)からなる。
【０１４１】
特定の実施形態によれば、ピエゾは、投与チャンバと対面し、ピエゾが単一のバーストでわずか５０ｍｓ、又はわずか１００ｍｓ、又は単一のバーストでわずか２００ｍｓ、又は単一のバーストでわずか３００ｍｓ間作動すると、投与チャンバの開口部(単数又は複数)外への最大シンセティックジェットを達成することができる。好ましくは、シンセティックジェットは、少なくとも０．５Ｖ、又は少なくとも０．６Ｖ、又は少なくとも０．７Ｖ、又は少なくとも０．８Ｖ、又は少なくとも０．９Ｖ、又は少なくとも１．０Ｖ、又は少なくとも１．１Ｖ、又は少なくとも１．２Ｖ、又は少なくとも１．３Ｖ、又は少なくとも１．４Ｖ、又は少なくとも１．５Ｖ、又は少なくとも１．６Ｖ、又は少なくとも１．７Ｖ；例えば、０．５Ｖ〜１．７Ｖ、又は０．５Ｖ〜１．６Ｖ、又は０．５Ｖ〜１．５Ｖ、又は０．５Ｖ〜１．４Ｖ、又は０．５Ｖ〜１．３Ｖ、又は０．５Ｖ〜１．２Ｖ、又は０．５Ｖ〜１．０Ｖ(例えば、圧力信号を電圧に変換するオシロスコープによって定量される)を達成する。シンセティックジェットは、実施例１に記載される手順に従って観察され、定量化されてもよい。実施例１に記載されるように、エアロゾルエンジンは、投与チャンバの開口部(単数又は複数)から外へ流れ出る気体流を測定する呼吸流量増幅器(ＰＡ-１：Pneumotach Amplifier 1)に接続されている。差圧信号が測定され、流量に比例したアナログ出力を提供するために増幅される。ＰＡ-１は、信号を電圧に変換するオシロスコープに接続されている。
【０１４２】
本明細書に記載されるインビトロ及びインビボ研究によって実証されるように、吸入器は、好ましくは呼吸器疾患又は障害、又はそれらの１又は複数の症状(例えば、ＣＯＰＤ、喘息、嚢胞性線維症、ＩＰＦ、等を含む群又はそれらからなる群より選択される)を治療するために、好ましくは被験者が周期的な吸入により吸入器を通じて吸引する際に、被験者の肺に治療的有効量のドライパウダー薬剤(１種又は複数種)を送達する能力を有する。吸入器は、幅広い範囲の流量(例えば、１５〜９０ＬＰＭ又は１５〜６０ＬＰＭ又は３０〜９０ＬＰＭ又は３０〜６０ＬＰＭ)にわたって、及び好ましくは幅広い範囲のトランスデューサ駆動スキームにわたって、治療的有効量(平均送達量の８０％〜１２０％の範囲内)を送達する能力を有し、ここで、前記駆動スキームは、バーストの数(例えば、４〜８バースト)及びバーストあたりの「オンタイム」の量(例えば、１００ｍｓ／バースト〜５００ｍｓ／バースト)によって異なる(例えば、全てのバーストにわたる、約１秒〜約５秒の範囲の合計「オンタイム」)。
【０１４３】
前記装置は、好ましくは、様々な流量にわたって、及び好ましくは様々な駆動スキームにわたって、一貫した空気力学的粒度分布(ＡＰＳＤ)を維持し、ここで、空気動力学的中央粒子径(ＭＭＡＤ)は、一貫して、約１０μｍ(ミクロン)以下、又は約８ミクロン以下、又はより好ましくは約６ミクロン以下、又は約５ミクロン以下、又は約４ミクロン以下、又は約３．７５ミクロン以下、又は約３．５ミクロン以下、又は約３．０ミクロン以下、又は約０．１μｍ〜約１０μｍ、又は約０．１μｍ〜約８μｍ、又は約０．１μｍ〜約６μｍ、又は約０．１μｍ〜約５μｍ、又は約０．１μｍ〜約４μｍ、又は約１μｍ〜約１０μｍ、又は約１μｍ〜約８μｍ、又は約１μｍ〜約６μｍ、又は約１μｍ〜約５μｍ、又は約１μｍ〜約４μｍである。好ましくは、ＦＰＦも、様々な流量及び駆動スキームにわたって一貫しており、例えば、少なくとも３０％、又は少なくとも３５％、又は少なくとも４０％、又は少なくとも４５％、又は少なくとも５０％、又は約３０％〜約９０％、又は約３０％〜約８０％、又は約３０％〜約７０％、又は約３０％〜約６０％、又は約３０％〜約５０％、又は約４０％〜約９０％、又は約４０％〜約８０％、又は約４０％〜約７０％、又は約４０％〜約６０％である。
【０１４４】
ある実施形態によれば、薬剤送達装置は、ドライパウダー薬剤を含むように構成された内部を有する投与チャンバ、投与チャンバと向かい合うトランスデューサ(ここで、投与チャンバとトランスデューサは、投与チャンバが、トランスデューサの作動に応じて共振するように構成されており、音響的に共振性である)、トランスデューサに電気的に連結されており、装置が被験者の周期的な吸入を感知した際、トランスデューサを作動させる電気信号を送るように構成されたコントローラ、を含む(例えば、装置は、前記電気信号を生成することができるプログラムコードを含む)。薬剤送達装置は、好ましくは、１分あたり３０リットル(ＬＰＭ)にて、約０．０４０ｃｍＨ2Ｏ0.5／ＬＰＭ〜約０．１ｃｍＨ2Ｏ0.5／ＬＰＭの範囲の流れ抵抗を有し、２〜２０の周期的な吸入に応じて治療的有効量のドライパウダー薬剤を送達することができ、前記有効量は約６ミクロン以下の空気動力学的中央粒子径(ＭＭＡＤ)と、少なくとも３０％の微粒子画分を有している。
【０１４５】
別の実施形態によれば、呼吸器疾患又は状態(例えば、ＣＯＰＤ、喘息、ＣＦ、ＩＰＦ、等)、又はそれらの１又は複数の症状を治療する方法(例えば、被験者のＦＥＶ1を増加する方法)は、吸入サイクルの間に２〜２０の周期的な吸入を使用して、薬剤送達装置を通じて治療的有効量のドライパウダー薬剤を吸入することを含み、前記吸入サイクルは投薬呼吸を含んでおり、前記薬剤送達装置は、各投薬呼吸により作動され、投与チャンバ内でドライパウダー薬剤をエアロゾル化させ、投与チャンバの１又は複数の開口部から、気流導管へと放出させる振動エレメントを含み、ここで、投与チャンバにおける圧力振動は、１又は複数の開口部にて、シンセティックジェットにより、ドライパウダー薬剤をエアロゾル化し、放出できるほど十分に高い。前記薬剤送達装置は、好ましくは、１分あたり３０リットル(ＬＰＭ)にて、約０．０４０ｃｍＨ2Ｏ0.5／ＬＰＭ〜約０．１ｃｍＨ2Ｏ0.5／ＬＰＭの範囲の流れ抵抗を有し、周期的な吸入に応じて投与量のドライパウダー薬剤を送達することができ(例えば、少なくとも、約１５ＬＰＭ〜約３０ＬＰＭの範囲内の流量に応じて)、前記薬剤送達装置によって送達される投与量のドライパウダー薬剤は、約６ミクロン以下の空気動力学的中央粒子径(ＭＭＡＤ)と、少なくとも３０％の微粒子画分を有している。好ましくは、投与量の薬剤は、５分以内、又は４分以内、又は３分以内、又は２分以内、又は好ましくは９０秒以内、又は６０秒以内、又は４５秒以内、又は３０秒以内で送達される。好ましくは、前記薬剤送達装置は、吸入サイクルの最初の投薬呼吸に応じて、ドライパウダー薬剤投与量の、少なくとも約１０％、又は少なくとも約１５％、又は少なくとも約２０％、又は少なくとも約２５％、又は少なくとも約３０％、又は少なくとも約４０％、又は少なくとも約５０％、又は少なくとも約６０％を投与するにように構成されている。
【０１４６】
別の実施形態によれば、ＣＯＰＤ、又はその１又は複数の症状を治療する方法(例えば、慢性気管支炎及び／又は肺気腫を含む慢性閉塞性肺疾患(ＣＯＰＤ)に罹患した患者における、気流閉塞の長期的・維持的気管支拡張剤治療のための)は、周期的な吸入により、吸入器から、２〜２０の連続的な吸入よりなる吸入サイクルを完了させることを含む。好ましくは、前記吸入器は、決まった量のドライパウダー投与量と、各投与量をエアロゾル化するための振動エレメントとを含むエアロゾルエンジンを有する。ブリスターの内側に収容されている投与量は、約５ｍｇ以下であってもよく、薬剤投与量は、吸入サイクルの間に、吸入器によって投与される。好ましくは、前記吸入器は、投与量あたり同じ量のＡＰＩを送達するように構成された受動装置(例えば、受動装置は振動エレメントを有しておらず、投与量として、より多量のドライパウダーを送達する)と比べて、投与量あたりほぼ同じかあるいはより多い量のＡＰＩを投与する。前記薬剤送達装置は、好ましくは、１分あたり３０リットル(ＬＰＭ)にて、約０．０４０ｃｍＨ2Ｏ0.5／ＬＰＭ〜約０．１ｃｍＨ2Ｏ0.5／ＬＰＭの範囲の流れ抵抗を有し、周期的な吸入に応じて投与量のドライパウダー薬剤を送達することができ(例えば、少なくとも、約１５ＬＰＭ〜約３０ＬＰＭの範囲内の流量で)、前記薬剤送達装置によって送達される投与量のドライパウダー薬剤は、約６ミクロン以下の空気動力学的中央粒子径(ＭＭＡＤ)と、少なくとも３０％の微粒子画分を有している。好ましくは、薬剤投与量は、５分以内、又は４分以内、又は３分以内、又は２分以内、又は好ましくは９０秒以内、又は６０秒以内、又は４５秒以内、又は３０秒以内で送達される。
【０１４７】
好ましくは、一用量(投与量)を投与するために本発明の吸入器を使用した後、最大ＦＥＶ1までの時間は、同量のＡＰＩを含んでいる一用量を投与するために受動吸入器を使用した後の最大ＦＥＶ1までの時間より短い。好ましくは、本発明の吸入器は、同量のＡＰＩを含んでいる一用量を投与するために使用される受動吸入器で示されるＣmaxと比べて、一用量を投与した後、より高いＣmaxを示す。好ましくは、一用量を投与するための本発明の吸入器の使用は、ｔmaxによって実証されるように、同量のＡＰＩを含んでいる一用量を投与するために使用される受動吸入器よりも、より速い血漿中ＡＰＩの出現をもたらす。
【０１４８】
本発明の実施形態は、吸入器での使用に適しているブリスターストリップに関する。特定の実施形態によれば、ブリスターストリップの寸法、ブリスターポケットの容積、及びブリスターストリップ内に分配されている薬剤ペレットの容積は、競合製品よりも小さい。より小さいペレット及びブリスターポケットは、正確なペレットサイズが分配されることを確実にするため、正確な製造方法を必要とするかもしれない。前記ストリップは、好ましくは、競合製品と比べて、コイルではなく、トラック内に貯蔵されている；しかしながら、前記ストリップが吸入器の内側にコイルとして貯蔵されている実施形態も考えられる。以下の目的が、前記ブリスターストリップの実施形態によって達成された：自動化装置で充填される際、薬剤充填量のために十分な余裕を提供しながら、ストリップ長を最小化するために空洞サイズを最小化する；吸入器あたりの投与量の数を最大化する；未使用及び使用済みブリスターの両方を貯蔵するのに十分なスペースを提供する；密封の完全性及び安定性を損なうことなく、モータ・トルク要求を低減するために、剥離力を最小化する；及び、小さい密封エリアに関連する密封完全性の問題を克服する。投与チャンバの大きい容積に対して、ブリスター空洞の容積が小さいにもかかわらず、装置は、ブリスター空洞から投与チャンバ内にドライパウダー薬剤を移し、薬剤をエアロゾル化し、投与チャンバの１又は複数の開口部から放出するために正確に構成されている。
【０１４９】
ある実施形態によれば、吸入器は、ブリスターストリップを含み、ブリスターストリップは、(ｉ)ベースシートであって、当該ペースシートにおいて、ブリスターはそこにポケット(窪み)を形成しており、当該ポケットはドライパウダー薬剤を含んでいる、及び(ii)ベースシートから機械的に剥離可能な蓋シートを有し、且つ、前記吸入器は、(ｉ)本明細書に記載されるように、ブリスターから薬剤を受け取るように構成された投与チャンバ、(ii)投与チャンバと対面するトランスデューサ、当該トランスデューサは、トランスデューサが作動すると、薬剤をエアロゾル化するように構成されている、及び(iii)ベースシートの上面から蓋シートの下面(底面)を剥離するように構成されたインデックス手段(連動手段)(好ましくは、蓋シートの下面とベースシートの上面との角度が約１１０°〜約１６０°となるように剥離する)を有している。好ましくは、投与チャンバの内部体積と、ブリスターの内部体積との比は、約２０：１〜約８０：１である。本明細書に記載されるように、投与チャンバは、好ましくは、各ブリスターから薬剤を受け取るように構成されたトンネルを有する。本明細書に記載されるように、投与チャンバは、そこからエアロゾル化された薬剤が放出される１又は複数の開口部を有し、この１又は複数の開口部は、例えば、約０．０１インチ(０．２５ｍｍ)〜約０．０５インチ(１．３ｍｍ)の直径を有している。
【０１５０】
ある実施形態によれば、吸入器での使用に適したブリスターストリップは、ベースシート(当該ベースシートにおいて、ブリスターはポケットを形成しており、ポケットはドライパウダー形態の吸入可能な薬剤を含んでいる)と；ベースシートから機械的に剥離可能で、前記吸入可能な薬剤を放出できる蓋シートとを含み、ここで、各ブリスターは、約６ｍｍ3〜約１５ｍｍ3、又は約６ｍｍ3〜約１２ｍｍ3、又は約６ｍｍ3〜約１０ｍｍ3、又は約７ｍｍ3〜約１５ｍｍ3、又は約７ｍｍ3〜約１２ｍｍ3、又は約７ｍｍ3〜約１０ｍｍ3、約８ｍｍ3〜約１４ｍｍ3、又は約８ｍｍ3〜約１３ｍｍ3、又は約８ｍｍ3〜約１２ｍｍ3、又は約８ｍｍ3〜約１０ｍｍ3、又は約９ｍｍ3〜約１４ｍｍ3、又は約９ｍｍ3〜約１３ｍｍ3、又は約９ｍｍ3〜約１２ｍｍ3、又は約９ｍｍ3〜約１１ｍｍ3、又は９ｍｍ3〜約１０ｍｍ3の空洞容積を有する。ある実施形態によれば、各ブリスターは、約９ｍｍ3〜約１４ｍｍ3、又は約９ｍｍ3〜約１３ｍｍ3、又は約１０ｍｍ3〜約１３ｍｍ3の容積を有する。これらのブリスターストリップ空洞容積は、好ましくは、吸入器のための従来技術の空洞容積よりも小さい；例えば、Advairブリスターは、約１８ｍｍ3の空洞容積を有し、Forspiroブリスターは、約１１５ｍｍ3の空洞容積を有する。
【０１５１】
ある実施形態によれば、ブリスター空洞の深さは、約１ｍｍ〜約３ｍｍ、より好ましくは約１ｍｍ〜約２．５ｍｍ、又は約１ｍｍ〜約２ｍｍ、又は約１ｍｍ〜約１．５ｍｍ、又は約１．２５ｍｍ〜約１．７５ｍｍである。ブリスター空洞内に分注された薬剤ペレットの容積は、約１ｍｍ3〜約５ｍｍ3、又は約１．５ｍｍ3〜約４ｍｍ3、又は約１．５ｍｍ3〜約３ｍｍ3、又は約２ｍｍ3〜約４ｍｍ3、又は約２ｍｍ3〜約３ｍｍ3、又は約２．４ｍｍ3であってもよい(これとは対照的に、Advairブリスターの空洞に分注される粉末の容積は約１８ｍｍ3である)。
【０１５２】
ある実施形態によれば、ベースシート(及び、好ましくは蓋シート)は、約４ｍｍ〜約１０ｍｍ、又は約４ｍｍ〜約８ｍｍ、又は約４ｍｍ〜約６ｍｍ、又は約５ｍｍ〜約１０ｍｍ、又は約５ｍｍ〜約８ｍｍ、又は約５ｍｍ〜約７ｍｍ、又は約５ｍｍ〜約６ｍｍの幅を有する。好ましくは、前記蓋シートは、ベースシートとほぼ同じ幅を有する。別の実施形態によれば、ベースシート(及び、好ましくは蓋シート)の幅は、約５ｍｍ〜約１２ｍｍ、より好ましくは約５ｍｍ〜約１１ｍｍ、又は約５ｍｍ〜約１０ｍｍ、又は約７ｍｍ〜約１２ｍｍ、又は約７ｍｍ〜約１１ｍｍ、又は約７ｍｍ〜約１０ｍｍ、又は約８ｍｍ〜約１２ｍｍ、又は約８ｍｍ〜約１１ｍｍ、又は約８ｍｍ〜約１０ｍｍである。ブリスター空洞の形状は、好ましくは円形、卵形又は楕円形であり、より好ましくは、成形圧力を減じやすい楕円形である。ブリスターストリップの実施形態は、図３８Ａ及び３８Ｂに示されており、図３８Ａでは、卵形空洞が図示され、図３８Ｂでは楕円形空洞が図示されている。
【０１５３】
ある実施形態によれば、ブリスターストリップは、１０〜５０個のブリスター、又は１５〜５０個のブリスター、又は２０〜５０個のブリスター、又は２５〜５０個のブリスター、又は３５〜５０個のブリスター、又は１０〜５０個のブリスター、又は１５〜４０個のブリスター、又は２０〜４０個のブリスター、好ましくは２５〜４０個のブリスター、又は３５〜４０個のブリスター、又は２８〜３５個のブリスター、又は３０〜３５個のブリスターを有する。
【０１５４】
ある実施形態によれば、ベースシートは、アルミニウム箔の層と高分子材料の層とを含む積層構造を有する；例えば、ベースシートは、少なくとも以下の連続層を有していてもよい：配向ポリアミド(ＯＰＡ)；それが接着接合しているアルミニウム箔；アルミニウム箔が接着結合している高分子材料(例えば、ＰＶＣ)の層。ある実施形態によれば、蓋シートは、少なくとも以下の連続層を含む積層構造を有する；紙；それが接着しているプラスチックフィルム；プラスチックフィルムが接着しているアルミニウム箔。好ましくは、コーティング層が、蓋シートとベースシートとを接着する；例えば、コーティング層は、熱融着ラッカー、フィルム及び押出コーティングを含む群あるいはそれらからなる群より選択されてもよい。
【０１５５】
ある実施形態によれば、蓋シートは、上面と下面を有し、蓋シートの下面１４１０は、好ましくはベースシートの上面１４１２に、剥離可能に接着されている(例えば、図３８Ｃに示すように)。蓋シートが、ブリスターストリップ進行機構によって、ベースシートから剥離されているとき、蓋シート１４１０の下面は、好ましくは、ベースシート１４１２の上面に対して角度Ｙで剥離される；角度Ｙは、約１１０°〜約１６０°、又は約１１０°〜約１５０°、又は約１１０°〜約１４０°、又は約１２０°〜約１６０°、又は約１２０°〜約１５０°、又は約１２０°〜約１４０°である。
【０１５６】
ある実施形態によれば、吸入器は、ブリスターから薬剤を受け取るように構成された投与チャンバを、当該投与チャンバと対面しているトランスデューサとともに有しており、トランスデューサと投与チャンバは、トランスデューサが作動された際、薬剤をエアロゾル化するように構成されており、投与チャンバの容積とブリスターの容積との比は、約５：１〜約５０：１、又は約１０：１〜約５０：１、又は約２０：１〜約５０：１、又は約３０：１〜約５０：１、又は約１０：１〜約４０：１、又は約１０：１〜約３０：１、又は約２０：１〜約３０：１である。別の実施形態によれば、投与チャンバは、より大きな容積を有し(例えば、図４３Ｂに示されるように、約５５０ｍｍ3〜約７００ｍｍ3)、投与チャンバの容積とブリスターの容積の比は、約４０：１〜約７０：１、又は約３０：１〜約８０：１、又は約４５：１〜約７０：１、又は約５０：１〜約７０：１、又は約５０：１〜約６５：１、又は約６０：１〜約６０：１であってもよい。一般に、投与チャンバの容積とブリスターの容積の比は、約２０：１〜約８０：１、又は約２０：１〜約７０：１であり得る。
【０１５７】
ブリスター進行機構のある実施形態は、以下により詳細に説明するように、ブリスターをある位置(吸入器１００の構成要素が、各ブリスター１３０から医薬品をエアロゾル化でき、それをユーザーに送達できる位置)に動かすように構成されている。以下に記載されるブリスター進行機構の実施形態は模範的であり、各投与量を前進させるための他の機構が、本発明に従って使用されてもよい。
【０１５８】
図面に示される構成要素は、必ずしも正確な比率ではなく、働きを図示しているだけである。ブリスターストリップの過進行を防ぐ一つの方法は、本明細書で提案され、且つＵＳ２０１６/０２９６７１７(参照により本明細書に包含される)にも記載されているように、インデックスギア列(連動歯車トレーン)等の、機械的連動手段を採用することである。
【０１５９】
このようなインデックスギア列は、例えばステッピング又はＤＣ(直流)モータといった電動モータのような駆動手段によって駆動される。ブリスターストリップを１ブリスター分進めるために、駆動手段は、そのスイッチをオン及びオフにする電子制御下にあってもよい。この電子制御は、ユーザー入力、又は、ブリスターが、該ブリスターが空にされうる投与位置に首尾よく位置されたときを検出するように構成されたセンシング手段(機械式スイッチといったもの)に応答するものでよい。例えば、投与位置は、ブリスターに含まれる(ドライパウダー薬剤などの)薬剤が放出されなければならない投与チャンバ内への入口に一致しており、薬剤は、ユーザーの吸入に引き入れられ、ユーザーの気道へと送達されうる。例えば、ドライパウダー薬剤は、吸入の間に、圧電素子の励起による人工ジェットに含まれた状態で、吸入器から放出されてもよい。
【０１６０】
駆動手段に対するギア列の他端部では、少なくとも１の凹部がハブに備えられており、それぞれ、ブリスターストリップの単一の(第一の)ブリスターを係合させるように構成されており、ストリップの別の(第二の)ブリスターは投与位置内へ移動されうる、そして、付随的には、付勢手段によって投与トンネルの壁に対して保持されている。したがって、(第二の)ブリスターが投与位置にありかつ空の(第一の)ブリスターがハブ内にあるように、ハブは、ブリスターストリップを所定の(適切な)場所に保持しつつ、投与位置にある(第二の)ブリスターは空にされる。したがって、この例示の構成では、ハブ及び投与チャンバ開口部は１ブリスター分の間隔を空けて配置されている。投与位置にある(第二の)ブリスターは、ブリスターカップの壁と投与チャンバとの間が密接するように配置されており、ブリスターからの薬剤は、好ましくは投与チャンバ内に出ていくことができる。これは、薬剤の損失と、薬剤による機構の目詰まりを防ぐ。投与チャンバの方へ(又は投与チャンバと接触するように)ブリスターストリップを押さえることによって、密接を向上させるために、任意の付勢手段(図１Ｉではスプリングフィンガー１７２)を組み入れることができる。
【０１６１】
駆動列は、第二のブリスターが投与位置に達すると駆動手段がハブから一時的に係合解除されるように、配置されている。これは、電子制御システムが第二のブリスターが投与位置にあることを示す信号を受け、当該信号に応答するのにかかる時間以上に、この一時的な係合解除を持続させるように、インデックスギア列が構成されているとすれば、ブリスターストリップの過進行が回避される、ことを意味する。これは、速いモータ速度及び正確な制御の必要性を減少させる、というのも、ブリスターを進めすぎや進め足りないことがないようにモータを停止させるための大きなウィンドウがあるからである。これは、また、カートリッジが投与と投与とに間に取り外されているなら、ブリスターストリップの不慮の移動を防止する。
【０１６２】
ハブを駆動手段から一時的に係合解除させるための機構は、１又は複数のスパーギア及び１又は複数のセクターギアを備えてもよい。スパーギアは、その周囲の全周に渡って実質的に均等に離された放射状にのびる複数の歯を備える。セクターギアは、周囲の１又は複数の部分に歯を有さないスパーギア(実質的に)である。回転するセクターギアがスパーギアを動かす場合、スパーギアは、セクターギアの歯のある部分(単数又は複数)がそれに係合している間だけ、動かされる。セクターギアの歯のない部分がスパーギアの歯と協調するとき、スパーギアは回転を停止する。セクターギアは、歯のある部分がスパーギアの歯に接触し係合するまで回転し続ける。スパーギア及びセクターギアは、その後、セクターギアの歯のない部分がスパーギアに再び接触するまで一緒に回転する。したがって、ハブの回転がスパーギアによって駆動されている場合、駆動手段がセクターギアを回転させ、該セクターギアが次にスパーギアを回転させ、該スパーギアが次にハブを回転させるなら、ハブの駆動手段からの一時的な係合解除が提供されうる。
合に提供される。
【０１６３】
ハブは、例えば、図１Ｂに示されるインボリュートコグ１１０、又は図１Ｃに示されるオフセットコグ１２０の形態であってもよい。インボリュートコグは、ハブ中のオープンタイプのブリスター台座であって、ブリスターストリップがコグの前記台座に捩じり合わさり、それから捩じり離れるの(インボリュートギア歯が接触点で一緒になる際に係合しそれから旋回して互いに離れるような形式)を意図している。ある実施形態における、オフセットコグは、ブリスターストリップが、該ストリップの捩じれなく、ハブの周囲に巻き付き、空のブリスターがハブ上の凹部に係合しているカットアウト配置を意図しており、これは図４Ａに示された構成である。いずれの形状のコグの周囲に形成された凹部も、進められるブリスターストリップの単一のブリスター１３０を受容する形状にされうる。好ましくは、オフセットコグのプロファイルは、ブリスターの位置合わせを誤ったり、ブリスターをつぶしたり、ブリスターストリップを座屈せしめたりするようなことを意図しない。図１Ｄは、一例の使用中のハブ１２０を示す。この例では、複数のブリスター１３０が一度にハブに係合されるように、ブリスターストリップが通過するトラックが、ハブの周囲の約半分の周りを通る。図１Ｅと１Ｆは、代替例のハブ１１０の設計を示す。
【０１６４】
図１Ｇ及び１Ｈ(詳細を図１Ｇに示す)は、どのようにブリスターの投与位置が吸入器１００の他の構成要素に対して設けられるのかの一例を示す。投与位置でのブリスター１３０が示されており、ブリスターの開放側(剥離側)は、投与位置を投与チャンバ１４２に通気連結させるブリスター投与トンネル１４１に面している。ある実施形態では、圧電振動子１５０は、投与チャンバ１４２の底面に接触しているフィルムを振動させるように設けられ、投与チャンバ１４２の底面は圧電振動子１５０のヘッドに接触しており、ブリスター１３０及び投与チャンバ１４２に含まれるドライパウダー薬剤は、投与チャンバ１４２から開口部(孔)１４３を通ってエアトンネル１４４内へ排出されるようになっている。このように、圧電振動子１５０からの振動は、フィルムに作用する。したがって、薬剤は吸気口１４５からの気流中に取り込まれ、エアトンネル１４４を通って、マウスピース１６０内の排気口１４６から外に出る。
【０１６５】
図１Ｉは、図１Ｇ及び１Ｈの異なる図を示し、この図では、投与位置がハブ１２０との関連で示される。第一ブリスター１２９は、ハブ１２０に保持されている。第二ブリスター１３０をトンネル１４１のほうに付勢するスプリングフィンガー１７２も示される。これは、投与位置が、使用中に第二ブリスターの開口面を、下方に延びる中空部とほぼ水平に保持するという事実と併せて、薬剤がブリスターからトンネル１４１以外のところへこぼれるのを最小化する。
【０１６６】
ブリスターストリップ進行機構は、ブリスターストリップの連続するブリスターを漸次的に移動させて投与位置を通過させるように構成されてもよい。すなわち、第二のブリスターが投与位置内に移動されて空にされたら、ハブが回転されて、空の第二のブリスターがハブに係合され、第３の(中身のある)ブリスターが投与位置内へ移動され、これはストリップ上の全てのブリスターが空にされるまで同様に続き、空のブリスターは、ハブの一回転が完了する前に適切な場所でハブから解放される。
【０１６７】
第二のブリスターが空にされると、ストリップの先端部(第一の、空の、ブリスターを含む)は、吸入器の外に搬送されてもよく、そこで、例えば、はさみで切断され、又は、(例えばストリップにおけるブリスター間の引裂ノッチ、分割ライン、ミシン目を用いることで)引裂かれ、及び処分されてもよい(個々のブリスターがバッキングテープによって１つのストリップとして一緒に保持されているだけなら、切断や引裂は必要ないであろう)。代わりに、吸入器は、廃棄チャンバを備えてよく、使用済みのブリスターが廃棄チャンバ内に送られるようにしてもよい。使用済みのブリスターストリップ部分は、例えば、このようなチャンバ内でアコーディオン状に折り畳まれたり、スプール上に巻かれたりしてもよい。
【０１６８】
別の案として、ブリスターストリップが、吸入器の幾何形状に対して十分に小さければ、単一のループトラックはその中のどこかに位置するハブを備えてもよく、ハブの歯がトラック内にのびるようにしてもよい。これは、使用済みのブリスターが吸入器内で保管され、全てブリスターが使用されたときに、吸入器とともに(又は、交換可能なブリスターカートリッジが、再使用可能な吸入器本体に対するアタッチメントとして提供されているなら、当該カートリッジとともに)廃棄されることを可能にするであろう。このような構成では、ストリップの先端部は、吸入器内の廃棄トラック内へ送られうる。このトラックは、使用前のブリスターストリップが保管され、かつストリップの後端部(１又は複数の中身のあるブリスターを含んでいる)がストリップの進行中に存在する保存トラックの延長であってもよい。この廃棄トラックは、保存トラックの内側に沿ってループを形成してもよく、デュアルトラックは、それにより、ブリスターストリップの先端部が、後端部が退いたデュアルトラックの一部分内に搬入される大きさ及び配置となるように形成されている。
【０１６９】
変形例に係るデュアルトラックの構成が図２Ａ〜２Ｃに示されている。この変形例は、単一ループの例に対して、同じ長さのブリスターストリップで必要とされるトラックの占領面積を、減少させ、したがって、潜在的には、吸入器／カートリッジのサイズを減少させ、及び／又は、そのブリスターの収容能力を増加させる。吸入器には、常に携帯されていなければならないもの(例えば、救助吸入器や頻繁に使用される吸入器)があるので、これは、吸入器の携帯性を改善するため、好都合である。図２Ａに示されているのは、デュアルトラック２２０によって与えられる保存トラック２４０である。保持トラック２４０は、ハブ２３０の周囲の一部分に近接して進み、それから廃棄トラック２１０になる。廃物トラック２１０はそれから、デュアルトラック２２０へ戻る。
【０１７０】
図２Ｂ及び２Ｃは、ブリスターストリップ・トラックの一実施形態を図示する。ブリスターストリップの初期位置が図２Ｂに示されており、(全てのブリスターが空にされたときの)ブリスターストリップの最終位置が図２Ｃに示される。
【０１７１】
図２Ｂに示されるように、ブリスターストリップ全体としての係合性を向上させるために、開始位置において、ハブは、第一ブリスター２２９Ａに加えて、ブリスタース２２９Ｂ及び２２９Ｃとも係合する。開始位置においてハブに係合されたブリスターはいずれも、ハブの周りに又は廃棄トラック内に薬剤がこぼれるのを回避するように適切に空にされてもよい。
【０１７２】
デュアルトラックの構成の代わりに、ブリスターストリップがスプール(巻き芯)上に保管されてよく、スプールから漸次的に巻き出されてもよい。
【０１７３】
ブリスターストリップは、ストリップ状のバッキングテープ(蓋材として知られていることもある)よって接続され閉じられた比較的に剛性のある(例えば、プラスチック又はアルミニウムのような)複数のドーム又はカップからなってもよい。薬剤(例えば液体状又はドライパウダーの形式である)は、カップ内に含まれてもよい。個々のブリスターは、バッキングテープ、ドーム、又はその両方に穴をあけることによって、開封されてもよい。あるいは、バッキングテープを剥離することによって、ブリスターを開封してもよい。
【０１７４】
バッキングテープが剥がされてブリスターを開封するなら、スプールが設けられ、その周りに、剥がされたバッキングテープを巻き取るようにしてもよい。このようなスプールは、ピール／スプールギアに携えられてもよい。ブリスターストリップの先端部は、バッキングテープのへり、又は、遠位のブリスターカップの末端を越えてのびるタブを備えてもよい。このへり、又は、タブは、スプールに付されてもよい。ピール／スプールギアは、ハブが回転される間にインデックスギア列によって回転されて、ブリスターカップが投与位置内へ移動される際に、バッキングテープが各ブリスターから剥がされ、スプールに巻き取られるようにされてもよい。それにより、ブリスターカップが投与位置にあるときに開封され、薬剤を投与チャンバで利用可能にする。
【０１７５】
剥離のタイミングが、ブリスターカップが投与位置内へ移動されるタイミングに合うのを確実にするために、ピール／スプールギアは、ハブも(直接的に又は間接的に)駆動させるギア(例えば、セクターギア)によって駆動されてもよい。
【０１７６】
バッキングが、各ブリスターカップから該カップに残っているバッキングに対して直角に近い角度で、例えば４０°から１４０°の間(例えば１３５°)で、例えば、６０°から１２０°の間で、例えば約９０°で剥がされるように、ピール／スプールギア及びハブが配置されてもよい。剥離角度が９０°に近づくほど、バッキングテープとそれが剥がされるのに用いられる端との間の摩擦が低くなる。摩擦の低減は、モータの負荷を低減させ、したがって電力を節約し、そして、バッキングストリップが破断する可能性を低減させる。
【０１７７】
テープがスプールに巻き取られると、スプールの直径が増加する。これは、ブリスターストリップ上にまだあるテープに対するスプールの表面速度を増加させ、テンションを発生させる、というのも、ブリスターストリップがハブに保持されているからである。テープの折れを回避するために、スリップ又は戻止めクラッチ３００が図３に示されるようにピール／スプールギアに設けられ、定期的にテンションを解放し、構成をリセットしてもよい。クラッチのスリップは、バッキングテープの破断強さ未満であるが、テープの剥離強さ以上になるように、構成されている。スリップクラッチ３００は、スプールと共に回転するＺ形状部分３１０と、図３Ｂにて分解形式で示されるような歯のあるリング状部材によって形成される。Ｚ形状部分３１０は、リング状部材３２０の内側歯に一つずつずり落ちることによって、それの中で漸次的に回転するように、リング状部材３２０は吸入器に対して固定されている。スリップクラッチの代わりに、柔軟な直径スプール又はテンションアームが設けられてもよい。
【０１７８】
図４Ａ及び４Ｂは、一例のインデックスギア列を全体的に示す。ウォームギア４１１がモータ４１３の出力シャフト４１２に取り付けられており、モータ４１３が駆動中に、ウォームギア４１１はその軸線周りに回転する。ウォームギア４１１は、第一のスパーギア４２１と噛み合っており、第一のスパーギア４２１は、ウォームギア４１１と共に回転する。(代替例では、スパーギアが、ウォームギア４１１の代わりに用いられてよく、例えば、傾斜された歯を有し第一のスパーギア４２１と噛み合うスパーベベルギア[spur bevel gear]である)。第一のセクターギア４２２は、第一のスパーギア４２１に同軸上に取り付けられており、第一のセクターギア４２２は、第一のスパーギア４２１と共に回転する。第二のスパーギア４３１は、第一のセクターギア４２２と噛み合っており、第二のスパーギア４３１は、第一のセクターギア４２２の歯のある部分が第二のスパーギア４３１と接触しているとき、第一のセクターギア４２２と共に回転する。第二のセクターギア４３２は、第二のスパーギア４３１に同軸上に取り付けられており、第二のセクターギア４３２は、第二のスパーギア４３１と共に回転する。第三のセクターギア４４１は、ハブ４４０が有するブリスター凹部(実施例では６つ)と同数の歯のある部分を有するものであり、第二のセクターギア４３２と噛み合っており、第三のセクターギア４４１は、第二及び第三のセクターギア４３２及び４４１の歯のある部分が互いに接触しているときに、第二のセクター４３２と共に回転する。ハブ４４０は、第三のセクターギア４４１に同軸上に取り付けられており、ハブ４４０は、第三のセクターギア４４１と共に回転する。
【０１７９】
図４Ａは、ブリスター４５１が投与位置にあるときのブリスターストリップ４５０の位置を示す。ブリスターストリップ４５０のブリスター４５１は、それからハブ４４０の凹部４４２内へ移動される。
【０１８０】
スプール４６０は、ピール／スプールギア４６１(スパーギア)に同軸上に取り付けられており、スプール４６０は、ピール／スプールギア４６１と共に回転する。ピール／スプールギア４６１は、第一のセクターギア４２２と噛み合っており、ピール／スプールギア４６１は、第一のセクターギア４２２の歯のある部分がピール／スプールギア４６１と接触しているとき、第一のセクターギア４２２と共に回転する。ブリスターストリップ・バッキングテープ４５２の端によって形成されたへりは、ブリスターストリップ・トラックの外壁のスロット４７１を通って送られ、スプール４６０のスロット４６２内に付されている。このようなへりは、スロット４７１を通る際のすべりを補助するように、例えば、プラスチック層の付加によって、又は、バッキング材料の二つ折り(例えばそれ自体ヒートシールされてもよい)によって、強化されてもよい。バッキングテープ４５２が、スプール４６０の回転によって各ブリスターから剥がされる際に、それは、スロット４７１の剥離端の周りをスライドする。
【０１８１】
ギア、ハブ、又はスプールが、別のギア“に取り付けられて”、“に携えられて”又は“に座って”、その２つが一緒に回転することは、その２つが(例えば１又は複数のピン、ナット、ボルト、スクリュー、接着剤、クラッチ等を用いて)取り外せないように又は可逆的に一緒に付されることによって、又は、その２つが(例えば一つの金型で形成されたプラスチック又は金属の１つのピースとして)一体的に形成されることによって達成されてもよいことに留意されたい。ギアのペアの全てが、同じ方法で連結されてもよい。代わりに、ギアのペアの１又は複数(例えば第一のスパーギアとセクターギア４２１／４２２、及び第三セクターギア４４１とハブ４４０)は、一体的に形成されてよく、一方で、他のギアのペアの１又は複数は、(例えば、第二のスパーギアとセクターギア４３１／４３２及びピール／スプールギア４６１とスプール４６０)は、別々に形成され、次いで、一緒に回転するように連結されてもよい。
【０１８２】
図４Ｂに示す通り、モータ４１３が駆動しているとき、出力シャフト４１２及びしたがってウォームギア４１１は、ウォームギア端から見て時計回りに回転する。これは、第一のスパーギア４２１及びしたがって第一のセクターギア４２２を時計回りに回転駆動させる。これは、ピール／スプールギア４６１及びしたがってスプール４６０を反時計周りに回転駆動させる。第一のセクターギア４２２の時計回りの回転は、第二のスパーギア４３１及びしたがって第二のセクターギア４３２も反時計周りに回転駆動する。これは、第三のセクターギア４４１及びしたがってハブ４４０を反時計周りに回転駆動する。これは、ブリスターストリップ４５０をブリスターストリップ・トラックのハブ部分の周りに時計周りに進める。
【０１８３】
図５Ａは、一例の吸入器の一部の分解組立図を示す。ＰＣＢ(プリント回路基板)５２０、第三のセクターギア５４１、ハブ５４０、スプール５６０、ピール／スプールギア５６１、ブリスターストリップ・トラックの(ハブの周りに湾曲された部分の)外壁にあるスロット５７１、及び、(ブリスターストリップ５３０を付勢して、投与位置にあるブリスターが投与チャンバの開口部に対して押されるようにするための)スプリングフィンガー５７２が、カバー５８０、ベースプレート５９０、及び、ギアの、及び、吸入器の様々な層を一緒に保持するための(ネジ、ナット、ボルトのような)固定手段の様々な軸線と一緒に全て示されている。
【０１８４】
吸入器は、再使用可能な吸入器本体、及び、使い捨て可能なブリスターストリップ・カートリッジを備えてもよい。吸入器本体は、例えば、投与チャンバ、マウスピース、モータ、ウォームギア、インデックスギア列(例えば、第一及び第二のスパーギア、第一から第三のセクターギア、及び、ピール／スプールギアを含む)、ハブ、及び、スプールをさらに備えてよく、一方で、カートリッジは、トラック内に位置されたブリスターストリップを備えてもよい。この構成は、カートリッジのコストを最小化し得る。
【０１８５】
代わりに、インデックス駆動列の１又は複数のギア、及び／又は、ハブ(又は、インデックス駆動列の１又は複数のギア、及び／又は、モータ)は、カートリッジ内に位置されてもよい。駆動手段は、カートリッジが取り外されているとき常に、ハブから係合解除されることとなる。これは、カートリッジが所定の(適切な)位置にないときに、モータによるハブの回転を防止することとなる。
【０１８６】
別の案として、投与チャンバ(ドライパウダー薬剤をマウスピース内に押し出すための圧電振動子と一緒にある)、及び、マウスピースは、吸入器の使い捨て可能な部分に含まれてもよい。これは、衛生の理由から好都合であり、吸入器のマウスピース及び気流導管部分を掃除する必要を減少させる。それは、吸入器本体が複数の患者によって使用されることも可能にし、患者各々が、自身のカートリッジに、自身のマウスピース及び自身に処方された薬を取り付ける。
【０１８７】
図５Ｂ及び図５Ｃは、一例の交換可能なカートリッジ式吸入器５００を示し、使い捨て可能なカートリッジ５１０及び再使用可能な部分５５０が分離されており、一方、図５Ｄは、結合されたそれらを示す。図５Ｂから図５Ｄでは、マウスピース５１１、ディスプレイスクリーン５５１、カートリッジ解放ボタン５５２、接続クリップ５１３、及び、カートリッジを再使用可能な部分に結合するために接続クリップ５１３が嵌め入れられる接続スロット５５３が見られる。
【０１８８】
図５Ａに示されるのと同様のデザインのカートリッジ式吸入器では、カートリッジが取り外されると、インデックス駆動列が自由に回転できるようになる。これは、例えば複数の異なるカートリッジ(例えば異なる種類の薬剤を保持している)が吸入器本体に装着されるといった、カットリッジが空になる前に取り外される可能性がある場合には、望ましくないかもしれない。例えば、ユーザーは、一日に、２又は３種の異なるタイプの薬剤を投与する必要があるかもしれず、そうするために、複数の異なるカートリッジを交換しながら一つの吸入器本体を使用する可能性がある。問題は、これらの状況で起こりうるであろう、というのも、カートリッジが吸入器本体に装着されるとき、投与位置にある凹部が投与チャンバと整列するようにハブが位置されないかもしれないからである。図６は、この問題を解決する手段を示す。
【０１８９】
図６は、第一のセクターギア６２２(図示されていない、第一スパーギアに取り付けられている)、第二のスパーギア６３１、第二のセクターギア６３２、第三のセクターギア６４１、及びピール／スプールギア６６１の上に置かされるカバー６８０を示す。
【０１９０】
図示された第三のセクターギア６４１の上面(すなわち、ハブが覆うこととなる面)は、凹部６４３を備える。カバー６８０は、第三のセクターギア６４１とハブ(図示されない)との間に嵌められたものであり、戻止め６８１をスプリングアーム６８２の末端に備える。スプリングアーム６８２は、戻止め６８１を第三のセクターギア６４１の上面に向けて下方に付勢する。戻止め６８１は、ハブがその停止位置の１つに(すなわち、ブリスターが投与位置に)あるとき、凹部６４３の１つに入り込むように位置されている。凹部６４３の数は、ハブ上のブリスター凹部の数に対応する。ブリスターストリップが１ブリスター分進められるたびに、戻止め６８１は、スプリングアーム６８２によって付与される付勢ゆえに、それが留まっていた凹部６４３から上方に無理に出され、それから次の凹部６４３内に直ぐに戻される。
【０１９１】
同様に、図示されたピール／スプールギア６６１の上面(スプールが覆うこととなる面)は、凹部６６２を備える。カバー６８０は、ピール／スプールギア６６１とスプール(図示されない)との間に嵌められたものであり、戻止め６８３をスプリングアーム６８４の末端に備える。スプリングアーム６８４は、戻止め６８３をピール／スプールギア６６１の上面に向けて下方に付勢する。戻止め６８３は、スプールがその停止位置の１つにあるとき(すなわち、ブリスターが投与位置にあるとき)、凹部６６２の１つに入り込むように位置されている。凹部６６２の数は、第三のセクターギア６４１及びピール／スプールギア６６１のサイズの比、及び、ハブのブリスター凹部の数に応じて設定される。ブリスターストリップが１ブリスター分進められるたびに、戻止め６８３は、スプリングアーム６８４によって付与される付勢ゆえに、それが留まっていた凹部６６２から上方に無理に出され、それから凹部６６２内に直ぐに戻される。
【０１９２】
駆動手段が、戻止めにも関わらずギア列をインデックスする(連動する)十分な力を発生させることができ、一方で、戻止めが、駆動手段から接続解除されたとき駆動列を所定の(適切な)位置で保持するように、スプリングアーム６８２及び６８４によって付与される付勢の強さと、戻止め６８１及び６８３及び凹部６４３及び６６２のサイズとは構成されている。これは、正確な整合が保障されるので、吸入器本体への再接続の際における駆動列の位相を確定するために複雑な位置センシングが必要ない、ということである。モータに対して選択された電力は、吸入器の典型的な移送中及び使用中に遭遇するであろう力に対してバランスが取られるべきである。例えば、吸入器が、テーブル、ポケット、又はハンドバッグから落ちることによる不整合を防ぐために、スプリングアーム及び戻止めによって生じるロックの強さがどれだけ必要とされるのかをドロップテス
トが確立してもよい。
【０１９３】
加えて、第三のセクターギア上の戻止め構造は、ハブがモータから係合解除されている間、(例えば吸入器が落下することによってもたらされるかもしれない)あらゆる不慮のハブの回転を防止する。同様に、ピール／スプールギア上の戻止め構造は、スプールがモータから係合解除されている(例えばバッキングのスプールからの意図しない巻き出しをもたらすかもしれない)間、あらゆる不慮のスプールの回転を防止する。これらの戻止め構造は、したがって、非カットリッジ式吸入器でも役立つ。
【０１９４】
図７Ａ及び７Ｂは、一実施形態に従って、どのようにしてブリスターストリップ進行機構が吸入器に嵌め入れられるかを示す。吸入器７００が、図７Ａに示されており、外側ハウジング７１０及びマウスピースカバー７２１(どちらも図７Ｂで図示される)は取り外されている。図７Ａは、投与チャンバ７４２、ディスプレイスクリーン７３０、ハブ７４０、カートリッジ解放ボタン７５０、スプール７６０、ブリスターストリップ・トラック７７０を示す。ブリスターストリップ・トラック７７０の大部分は、吸入器の外側縁の近くに配置され、その長さ及びしたがって１カートリッジ／使い捨て吸入器あたりの投与量の数を最大化する。ハブ７４０及びスプール７６０が投与チャンバ７４２とディスプレイスクリーン７３０との間のスペース内に位置されている。
【０１９５】
図７Ｂに示される充電ソケット７８０は、吸入器内で、バッテリーに、例えばディスプレイスクリーン７３０の下方に位置されたバッテリーに接続されてもよい。ＰＣＢも、ディスプレイスクリーン７３０、充電ソケット７８０、バッテリー、モータ、他の電子機器のいくらか又は全てを接続するために、ディスプレイスクリーン７３０の下方に位置されてもよい。例えば、スイッチが、ハブの近くに設けられ、ブリスターが首尾よく投与位置に位置されるとモータへの電力を断つようにしてもよい。このようなスイッチは、例えば、機械式、又は光学式でもよいし、又は、ホール効果センサを備えてもよい。ユーザーにより作動される制御手段が設けられ、投与の進行が必要とされるときにモータを再起動させてもよい。例えば、ディスプレイスクリーン７３０は、タッチスクリーン(タッチパネル)でもよく、ボタン又はスライダーは、吸入器の外側に設けられてもよく、又は、マウスピース及び投与チャンバを有する気流導管内のどこかにある吸入センサが、モータを始動させるために、ユーザーがマウスピースを通じて吸入しているときを検出してもよい。
【０１９６】
図８は、ドライパウダー吸入器で用いられる後者の例を示しており、開封されたブリスターは圧電振動子の動作によって空にされる。正弦曲線８１０は、マウスピースを通る気流の軌跡である。段差状の方形波８２０は、結果として生じる気流(例えばデジタル圧力)センサロジックを示す。ライン８３０は、呼吸パターン周波数が測定されている期間を示す。(これは、例えば、センサロジックに応答してプロセッサによってなされてもよい)。ライン８４０は、投与が進められている期間を示す。ライン８５０は、ピエゾが振動されている期間を示す。これは、付随的に、複数(例えば４〜１２回、例えば８回)の呼吸サイクルに渡って繰り返されてもよい。ポイント８２１は、吸入が検出されたところを示し、ポイント８２２は、呼気が検出されたところを示す。ポイント８３１で、プロセッサは、ユーザーの呼吸パターンが、所定のいくつかのパラメータとの比較に従って、投与にとって適正であるかを検証し、薬を送達するかを決定する。ポイント８４１では、投与の進行が始まる。ポイント８４２では、投与進行の完了が、例えばフォトゲートを用いて、確認される。ポイント８５１では、ピエゾが始動される。これは、吸入の間の特定のポイントで生じるようなタイミングとされてもよく、例えば、患者の気道の特定の部分への薬剤の送達を増大させる。
【０１９７】
図９は、一例のブリスターストリップ進行方法９００を示すフローチャートである。ステップ９１０では、ハブの凹部がブリスターストリップの第一の、空のストリップに係合
する。ステップ９２０では、ハブは、駆動手段により駆動されたインデックスギア列によって回転され、ブリスターストリップの先行する第二の、中身のあるブリスターを、それが空にされうる投与位置へ移動させる。ステップ９３０では、駆動手段は、ハブから一時的に係合解除される。ステップ９４０では、投与位置にある第二のブリスターが適切に空にされる。好ましくは、ステップ９５０では、ハブがさらに回転されて、ブリスターストリップを進める。この方法は、それから、ブリスターストリップの中身のある全てのブリスターが空にされるまで、１回又は複数回、適切に繰り返されてもよい。
【０１９８】
図１０は、ジェネバ機構１０００を示し；これは、スパーギア及びセクターギア構造の代りに用いられてよく、駆動手段のハブからの一時的な係合解除を提供する。セクターギア１０２２は、ピンギア１０２１に取り付けられ、ピンギアは、ピン１０２３を携えている。ピンギア１０２１及びセクターギア１０２２は、駆動手段によって(直接的に又は間接的に)回転駆動される。ピン１０２３がマルタギア１０３１のスロット１０３３の１つに入ると、マルタギア１０３１は回転駆動される(この時点ではセクターギア１０２２には接触していないので、自由にそうすることができる)。ピンギア１０２１がさらに回転する際、ピン１０２３は、スロット１０３３内により深く移動し、それから、再びスロットの口から出るまでスロットに対して方向転換する。これが起こるころまでに、セクターギア１０２２は、再びマルタギアの凹部１０３４の１つと接触し、さらなる回転を阻止する。マルタギア１０３１は、したがって、インデックスされた(割り出された)回転を経験する。凹部１０３４がブリスターを受ける形状であれば、マルタギア１０３１がハブになってもよい。
【０１９９】
薬剤を含むためのブリスターストリップ及びその投与量進行機構は、本発明の全ての実施形態で要求されるわけではない。ある実施形態の吸入器が、ブリスターストリップと投与量進行機構を含む取り外し可能なカートリッジを含む一方、ブリスターストリップの代わりに１又は複数の投与量のドライパウダー薬剤が、装置内の別のタイプの容器又は区画内に、好ましくは取り外し可能なカートリッジ内に含まれている別の実施形態も考えられる。別の言い方をすれば、吸入器は、取り外し可能なカートリッジ内に含まれる１又は複数の投与量のドライパウダー薬剤を含んでもよく、ここで、１又は複数の投与量は場合によってはブリスターストリップ内に保管されている。ある実施形態によれば、１又は複数の投与量がブリスターの空洞以外の容器内に保管される場合、一用量(投与量)中のドライパウダー薬剤の量は、より多くてもよい(例えば、約１ｍｇ〜約７０ｍｇ、又は約１ｍｇ〜約６０ｍｇ、又は約１ｍｇ〜約５０ｍｇ、又は約１ｍｇ〜約４０ｍｇ、又は約１ｍｇ〜約３０ｍｇ、又は約１ｍｇ〜約２０ｍｇ、又は約１ｍｇ〜約１０ｍｇ、又は約１ｍｇ〜約５ｍｇ、又は約１ｍｇ〜約４ｍｇ、又は約１ｍｇ〜約３ｍｇ、又は約１ｍｇ〜約２．５ｍｇ、又は約１ｍｇ〜約２ｍｇ)。
【０２００】
図１１には、図１Ａの吸入器の断面図が示される。ある実施形態では、吸入器１００は、ユーザーがマウスピース１２１６を通じて吸入行う際、空気が吸入器１００を通って動くように構成された導管手段(例えば、気流導管１１９５)を含む。ある実施形態では、吸入器１００は、気流導管１１９５を通る気流を検出するよう構成されており、気流が検出されるとコントローラに信号を送るセンサ１２７８(図３１に最も良く表されている)を含む。ある実施形態では、コントローラは、上述した一例のように、気流がセンサ１２７８によって検出されると(いくつかのケースでは、最初の気流が検出される)、ブリスターストリップ進行機構を作動させるように構成されている。ブリスターストリップ進行機構は、例えば、上述したように、ブリスター１３０が、投与チャンバ１１２２と流体連通しているトンネル１１５２にごく接近するように(又は、ある実施形態では、隣接あるいは実質的に隣接するように)、ブリスター１３０を一定の距離(例えば、ブリスター１つ分の長さ)で前進させるよう構成されている。ある実施形態では、ハウジング１１０２は、トンネル１１５２を含み、このトンネルは投与チャンバ１１２２と流体連通している。膜は、ある実施形態では、投与チャンバ１１２２の開口端を覆うように構成されている。ある実施形態では、トランスデューサ１５０は、膜１１６６と対面する(図３２に最も良く表されている)。いくつかの実施形態では、振動手段を膜から隔てるための分離手段(例えば、図３２に示されるスペーサー１２８６)が、トランスデューサ１５０と膜１１６６との間に配置されている。ある実施形態では、コントローラは、活性化事象が検出された際、トランスデューサ１５０を作動させるように構成されている。ある実施形態では、トランスデューサ１５０の作動をトリガーするために、複数の吸入の検出が必要とされる。例えば、コントローラは、気流がセンサ１２７８によって検出されたときに(いくつかのケースでは、空気の後続流が検出されたとき、例えば、第二、第三、又はそれ以降)、トランスデューサ１５０を作動させるように構成されてもよい。トランスデューサ１５０は振動するように構成され、それによって膜１１６６を振動させ、ブリスター１３０からの薬剤をエアロゾル化して、トンネル１１５２を通じて投与チャンバ１１２２内へと移動させる。ある実施形態では、以下により詳細に説明するように、トランスデューサ１５０の振動はまた、エアロゾル化された薬剤を、投与チャンバ１１２２の開口部１１４８を通じて、出口通路１１８２を通じて、ユーザーに送達する。ある実施形態では、トランスデューサ１５０は、膜に音響的振動を伝えるよう構成される。いくつかの実施形態では、トランスデューサ１５０は、音響的振動及び／又は物理的振動を経て膜１１６６に振動を伝えるように構成される。以下により詳細に説明するように、ある実施形態では、１又は複数の要素(例えば、投与チャンバ、トランスデューサ、膜、出口通路)は、共通の共振周波数及び／又は音響インピーダンスマッチングを通じた効率的なエネルギー共役のために構成されている。
【０２０１】
本発明の実施形態は、超音波シンセティックジェットのために設計された成形音響チャンバ(投与チャンバ)であってもよい。好ましい実施形態によれば、チャンバの形状は、シンセティックジェットによる粉末送達のために最適化されている。好ましくは、薄いチャンバ頂部と、１又は複数の小さな噴出孔(すなわち、開口部はチャンバ璧を貫通する)を提供するために、精密成形が使用される。
【０２０２】
好ましい実施形態によれば、投与チャンバのデザインは、以下の目的を達成するのを手助けする：市販の圧電トランスデューサのものと一致する共振周波数を有しながら、シンセティックジェット薬剤送達を可能にするのに十分な容積；薬剤を素早く送達するのに十分な出口面積を提供しながら、音響チャンバからのシンセティックジェットを達成する；穴の断続的な目詰まりに起因する送達機能の損失を防止するのに十分な余剰性。
【０２０３】
好ましい実施形態では、投与チャンバの形状は、投与チャンバが、圧電トランスデューサと同じ又は同様の周波数(例えば、約３７ｋＨｚ〜約４２ｋＨｚ)で共振するように構成される。チャンバの形状は、強いシンセティックジェット及び均一な投与量送達を提供するために構成されてもよい。以下により詳細に説明するように、音響共振周波数は、好ましくは、圧電トランスデューサの機械的共振周波数と一致するように調節される；すなわち、最大実電力が消費される周波数と一致するように、それゆえ所望の機械的変位が達成される。
【０２０４】
好ましくは、速やかに開始するシンセティックジェットと、温度の影響(これは、圧電トランスデューサと音響チャンバの共振周波数を相対する方向に動かす傾向がある)に対する最大ロバスト性を提供するために、投与チャンバの形状、大きさ及び穴の配置は、投与チャンバが、圧電トランスデューサの共振周波数と一致する特定の周波数で共振することを可能にする。
【０２０５】
好ましい実施形態によれば、容器(例えば、ブリスター)の投与チャンバに対する投与位置は、従来技術のＤＰＩとは異なっており、すなわち、ドライパウダー薬剤は、圧電トランスデューサと直接隣接するよう配置されていなくてもよく、容器の外に浮遊して、トンネルを通じて投与チャンバ内に入ってもよい。対照的に、従来技術は、粉末が振動エレメントに直接隣接する位置にある配置を記載している。
【０２０６】
一実施形態によれば、吸入器は、薬剤を受け取るように構成された投与チャンバ；投与チャンバに対面しており、トランスデューサが作動したときに薬剤をエアロゾル化するように構成されたトランスデューサ；及び投与チャンバとトランスデューサとの間にあり、投与チャンバに貼付されている膜を有しており、前記吸入器は、トランスデューサが作動すると、ユーザーにエアロゾル化された薬剤を送達するためのシンセティックジェットを発生させる。
【０２０７】
一実施形態によれば、投与チャンバの形状、大きさ及び穴の配置は、トランスデューサが作動すると、吸入器が、ユーザーにエアロゾル化された薬剤を送達するシンセティックジェットを発生するように構成されており、ここで、シンセティックジェットは、１００ミリ秒程度の短時間(例えば、約１００ｍｓ〜約１０００ｍｓ、又は約１００ｍｓ〜約８００ｍｓ、又は約１００ｍｓ〜約５００ｍｓ)のトランスデューサの活性化(すなわち、トランスデューサのバースト)に応答して、薬剤を出口通路に放出させる。
【０２０８】
ある実施形態によれば、薬剤送達装置は、ドライパウダー薬剤を含むように構成された内部を有する投与チャンバ(例えば、投与チャンバは、ブリスターから移動してきたドライパウダー薬剤を含んでもよい)、及び、投与チャンバと対面しているトランスデューサを有する。投与チャンバとトランスデューサは音響的に共振性であり、投与チャンバが、トランスデューサの作動に応答して共振する。投与チャンバでは、トランスデューサの作動を受けて、ドライパウダー薬剤がエアロゾル化され、シンセティックジェットにより投与チャンバから送達されるように、内部形状、内のり高さ、及び１又は複数の開口部の位置が構成されている。好ましくは、投与チャンバの内部形状は、少なくとも部分的に、肩部へと移行する下方側壁、下方側壁から離れる方向に延びて頂部へと移行する肩部、一点に収束する頂部によって決定され、投与チャンバの１又は複数の開口部は、前記頂部に配置されている。投与チャンバの内のり高さは、圧力振動(例えば、１又は複数のアンチノードでの)が、ドライパウダー薬剤をエアゾロル化し、１又は複数の開口部から送達させるのに十分な高さとなるように構成される。好ましくは、１又は複数の開口部は、投与チャンバの１又は複数のアンチノード(トランスデューサが作動される際の)に配置される。
【０２０９】
この実施形態によれば、投与チャンバの(１)内部形状、(２)内のり高さ、及び(３)１又は複数の開口部の位置のそれぞれは、粉末の脱凝集及び／又は送達に影響を与える。例えば、シンセティックジェットの開始速度、最大シンセティックジェット、バーストあたりの送達量、合計送達量、空気力学的粒度分布の１又は複数は、投与チャンバの内部形状、内のり高さ、及び１以上の開口部の位置のうちの１又は複数の変更によって影響を受けうる。好ましくは、投与チャンバの内部形状と高さは、トランスデューサと投与チャンバの協同的音響共振が、本明細書に記載される好ましい範囲内のＭＭＡＤ(例えば、約６μｍ以下)を有し、好ましくは、本明細書に記載の好ましい範囲内の微粒子画分(例えば、少なくとも３０％)を有するドライパウダー薬剤のエアゾロル化と送達を引き起こすのに十分であるように構成されている。最大シンセティックジェットは、好ましくは、本明細書に記載の時間の範囲内(例えば、トランスデューサ作動の開始から約５００ｍｓ以下)で達成される。
【０２１０】
図４０に示される実施形態において図示されるように、投与チャンバ内のあるエリア(ノードのＮを付された)は、トランスデューサが作動されるときの圧力でほとんど又は全く振動を示さず、他方、他のエリア(アンチノードのＡを付された)は、トランスデューサが作動されるときの圧力でより高い振動を示す。投与チャンバ内の最大量のシンセティックジェット、すなわち、投与チャンバの内容物を撹拌する内部ジェットの発生は、高い圧力振動のあるエリアで発生し、他方、振動圧力の無い又は振動圧力が極めて少ないエリアでは、シンセティックジェットは発生しない(あるいは、発生しても極めて小さい)。別の言い方をすれば、アンチノードは、ノードに比べて、圧力下でより高い振動を示す。シンセティックジェットが開口部(単数又は複数)で最大となるように、好ましくは、投与チャンバ内の開口部(単数又は複数)は、振動圧力がほとんど又は全くない(ノード)エリアではなく、高い振動圧力(アンチノード)の１又は複数のエリアに配置されている。好ましくは、投与チャンバの形状は、孔の付近で円錐形状となっており、粉末が入り込むのを防ぎ、アンチノードで適切な強度の振動圧力を達成する。好ましい実施形態によれば、投与チャンバの開口部(単数又は複数)が、アンチノードエリア(ノードと比べて圧力下でより高く振動する場所)内の円錐形状部に配置されているとき、最適なシンセティックジェットが発生する。チャンバの内側のノードとアンチノードの位置は、従来法である、チャンバの大きさと形状に基づく固有周波数分析で(例えば、Comsol(登録商標)ソフトウェアを使用して)決定することができる。
【０２１１】
トランスデューサの周波数範囲(例えば、３７〜４２ｋＨｚ)に対して、投与チャンバの全ての内のり高さが、適切なシンセティックジェット、投与量送達、及び空気力学的粒度分布(ＡＰＳＤ)を提供するわけではない；これは、内のり高さが、ノードとアンチノードの位置を含めたシステムの音響共振に影響を与えるためである。いくつかのケースでは、投与チャンバの内のり高さが変わると、新しい投与チャンバの形状の新しい音響共振と整合させるために、トランスデューサの起動周波数も変更される。他のケースでは、それらの高さが、開口部(単数又は複数)における十分に高い振動圧力を提供するのであれば、トランスデューサの起動周波数は、異なる内のり高さに対して同じままでもよい。ある実施形態によれば、図４２に示されるように、内のり高さＸを有する投与チャンバは、トランスデューサのそれとほぼ同じ共振周波数Ｙを有する；約２Ｘ、又は１．７Ｘ〜２．３Ｘの内のり高さ(すなわち、次の近似高調波)を有する投与チャンバは、次の近似高調波にてアンチノード(高い振動圧力)が再び投与チャンバの開口部に位置するため、ほぼ同じ共振周波数Ｙを有する。
【０２１２】
ある実施形態によれば、投与チャンバの内のり高さは、図４３Ｂの破線で示すように、下方側壁１１２６の長さによって調節されてもよい。例えば、投与チャンバの内のり高さは、約８ｍｍ〜約１２ｍｍ、又は約９ｍｍ〜約１１ｍｍであってもよい。図４３Ａに示すある実施形態によれば、投与チャンバが、トランスデューサとほぼ同じ共振周波数を有する場合(例えば、約３７ｋＨｚ〜約４２ｋＨｚ)、内のり高さは、約４ｍｍ〜約６ｍｍ、又は約５ｍｍ〜約６ｍｍである。図４３Ｂに示す別の実施形態によれば、トランスデューサが、３７ｋＨｚ〜４２ｋＨｚの同じ周波数で作動される場合、投与チャンバの内のり高さは、図４３Ａに示す内のり高さの約２倍であるか、あるいは内のり高さの約１．７〜２．３倍、又は内のり高さの約１．７〜２．１倍、例えば、約８ｍｍ〜約１２ｍｍ、又は約９ｍｍ〜約１１ｍｍである。例えば、開口部(１又は複数)における類似したアンチノード位置に起因して、約５．５ｍｍ(Ｘ)の内のり高さを有する投与チャンバは、約９．９ｍｍ(約１．８Ｘ)〜約１０．５ｍｍ(約１．９Ｘ)の内のり高さを有する投与チャンバとほぼ同じ共振周波数を有することが見いだされた(シンセティックジェットと投与量送達における同様の性能によって証明される)。
【０２１３】
ある実施形態によれば、トランスデューサが無制限の時間にわたって作動される場合、シンセティックジェットは最大速度を有する。いくつかの実施形態によれば、最大速度は、トランスデューサの比較的短い作動時間で達成されてもよい。ある実施形態によれば、トランスデューサが、例えば、約１００ｍｓ〜約１０００ｍｓ、又は約１００ｍｓ〜約８００ｍｓ、又は約１００〜約５００ミリ秒間作動されると、最大速度が達成される。
【０２１４】
ある実施形態によれば、投与チャンバは垂直側壁を含み、この垂直側壁は、肩部へと移行し、肩部は投与チャンバ内部に対して凹面である。肩部は、好ましくは、側壁から離れて、投与チャンバの中央のほうへ延びるスロープへと移行する。別の言い方をすれば、投与チャンバ１１２２は、好ましくは、下方側壁１１２６(例えば、垂直側壁)を含む第一の部分１１２８、及び、中間側壁１１３８(例えば、肩部を含む)を含む第二の部分１１３０、及び上部壁１１４０(例えば、側壁から離れて、軸１１２４の周囲に放射状に位置し、点１１３６へと収束し、円錐部分を形成するスロープ)を含む第三の部分１１３２を有する。ある実施形態では、下方側壁１１２６は円柱形状であり、上部壁１１４０は円錐形状である。
【０２１５】
ある実施形態によれば、スロープは、肩部の半径より小さい曲率半径を有する頂部へと移行する。投与チャンバは、さらに、頂部に１又は複数の開口部を有する(例えば、１〜１０個の開口部、１〜８個の開口部、１〜６個の開口部、１〜４個の開口部、２〜１０個の開口部、２〜８個の開口部、２〜６個の開口部、又は２〜４個の開口部)。例示的な実施形態では、投与チャンバは、４つの開口部を有する。本明細書で記載される、「頂部」という用語は、好ましくは、点１１３６に収束する上部壁１１４０によって規定される投与チャンバの円錐形部分を指し、すなわち、「頂部」は、点１１３６を指すだけでなく、その点へと移行する上部壁によって規定される円錐形部分も指す。頂部の点は好ましくは曲線状であるか又は尖っている。頂部に位置する１又は複数の開口部は、好ましくは、肩部よりも、前記点のより近くに配置されている。
【０２１６】
図４１Ａは、頂部１１３６に配置された開口部を有する投与チャンバの一例を示し、これに対して、図４１Ｂは、頂部を有さない投与チャンバと、一点に収束しないドーム状エリア内に配置された開口部とを示す。出願人は、特定の実施例に従って、投与チャンバの開口部(孔)が、一点に収束しない平坦な上部又はドーム状エリアではなく、頂部内に配置されている場合、シンセティックジェットが向上することを見い出した；例えば、最大速度は、トランスデューサが、例えば、約１００ｍｓ〜約１０００ｍｓ、又は約１００ｍｓ〜約８００ｍｓ、又は約１００〜約５００ミリ秒間作動するときに達成される。いかなる理論に拘束されることもないが、円錐形部分の形状は、開口部(１又は複数)の付近にある適切な振動圧力(１又は複数のアンチノード)の達成に寄与すると考えられる。好ましくは、複数の開口部のそれぞれが、円上に等距離の間隔で置かれた中心点を有し、前記円は、頂部によって定義される軸上にその中心点を有している。
【０２１７】
前記頂部は、好ましくは、投与チャンバのその他の部分の壁厚よりも薄い頂部壁厚を有し、すなわち、開口部(１又は複数)を含む投与チャンバの円錐形部分は、垂直側壁(下方側壁とも称される)の壁厚と同じ壁厚を有するか、あるいは投与チャンバのその他の部分(例えば、下方側壁、肩部を含む中間側壁)の壁厚よりも薄い壁厚を有する。各開口部のアスペクト比、すなわち、通路の横断面又は直径に対する長さは、好ましくは少なくとも０．５であり、好ましくは約１以上であり、これは通路の前後に動く気体の塊を、個別の、形の良い空気スラグとして生じさせる。出願人は、投与チャンバの頂部以外の壁が、薄すぎず、且つ、開口部(１又は複数)が配置されている頂部部分の厚みよりも大きい厚みを有する場合、トランスデューサの機械的及び音響的エネルギーが、投与チャンバにより効率的に伝わることを見い出した(振動エネルギーをよりよく保つため)。
【０２１８】
ある実施形態によれば、頂部壁厚は約０．００２インチ(０．０５ｍｍ)〜約０．０３インチ(０．８ｍｍ)、より好ましくは約０．００４インチ(０．１ｍｍ)〜約０．０２インチ(０．５ｍｍ)、より好ましくは約０．００４インチ(０．１ｍｍ)〜約０．０１インチ(０．２５ｍｍ)、より好ましくは約０．００６インチ(０．１５ｍｍ)〜約０．０１インチ(０．２５ｍｍ)である。ある実施形態では、頂部壁厚は、投与チャンバの残りの部分のうち最も大きい壁厚の約９８％の厚みである。ある実施形態では、頂部壁厚は、投与チャンバの残りの部分のうちの最も大きい壁厚の約９５％の厚みである。ある実施形態では、頂部壁厚は、投与チャンバの残りの部分のうち最も大きい壁厚の約９０％の厚みである。ある実施形態では、頂部壁厚は、投与チャンバの残りの部分のうち最も大きい壁厚の約８５％の厚みである。ある実施形態では、頂部壁厚は、投与チャンバの残りの部分のうち最も大きい壁厚の約８０％の厚みである。ある実施形態では、頂部壁厚は、投与チャンバの残りの部分のうち最も大きい壁厚の約７５％の厚みである。ある実施形態では、頂部壁厚は、投与チャンバの残りの部分のうち最も大きい壁厚の約７０％の厚みである。ある実施形態では、頂部壁厚は、投与チャンバの残りの部分のうち最も大きい壁厚の約６５％の厚みである。ある実施形態では、頂部壁厚は、投与チャンバの残りの部分のうち最も大きい壁厚の約６０％の厚みである。ある実施形態では、頂部壁厚は、投与チャンバの残りの部分のうち最も大きい壁厚の約５０％の厚みである。ある実施形態では、投与チャンバの残りの部分の厚みは実質的に均一である。
【０２１９】
ある実施形態によれば、開口部(１又は複数)は、投与チャンバを出口通路に流体連通し、トランスデューサの作動に応じて、エアロゾル化された薬剤が、投与チャンバから出口通路を通ってユーザーに送達される。ある実施形態によれば、開口部はそれぞれ、約０．００５インチ(０．１３ｍｍ)〜約０．０５インチ(１．３ｍｍ)、又は約０．００８インチ(０．２ｍｍ)〜約０．０４インチ(１．０ｍｍ)、より好ましくは約０．０１インチ(０．２５ｍｍ)〜約０．０５インチ(１．３ｍｍ)、又は約０．０１インチ(０．２５ｍｍ)〜約０．０４インチ(１．０ｍｍ)、又は約０．０１インチ(０．２５ｍｍ)〜約０．０３インチ(０．７６ｍｍ)、例えば、約０．０１９インチ(０．４８ｍｍ)±０．０１２インチ(０．３０ｍｍ)、好ましくは約０．０１５インチ(０．３８ｍｍ)±０．０３インチ(０．７６ｍｍ)の直径を有する。
【０２２０】
ある実施形態によれば、吸入器は、以下の少なくとも１つを有する：ａ)投与チャンバの垂直側壁より上の容積に対する、投与チャンバと垂直側壁間の容積の比が、約０．９〜約１．５、ｂ)投与チャンバの高さに対する垂直側壁の高さの比が、約０．２５〜約０．５、及びｃ)投与チャンバの下方直径に対する投与チャンバの高さの比が、約０．５〜約０．６５。
【０２２１】
ある実施形態によれば、投与チャンバは、容器(例えば、ブリスター)から投与チャンバ内に薬剤を送達するように構成されたエントランス(好ましくは、前記スロープへと至る)を有する。好ましくは、前記エントランスは、トンネル軸の周囲に位置する長手方向に伸びる壁を有し、前記容器は開口平面を有し、前記トンネル軸は前記開口平面に対して傾斜しているか、垂直である。好ましくは、投与チャンバは、対称なチャンバ軸を有し、このチャンバ軸は、前記トンネル軸を横断する。例えば、エントランス軸とチャンバ軸間の角度は、約１５°〜約２５°である。「横断」という用語は、好ましくは軸を横切って伸びることを意味する。
【０２２２】
ある実施形態によれば、前記エントランスは、投与チャンバと流体連通するトンネルを含み、このトンネルは、少なくとも以下の１つを有するように構成されている：(ａ)底部の長さに対する頂部の長さの比が、約４〜約７．５、(ｂ)中央部の長さに対する頂部の長さの比が、約１．５〜約３、及び(ｃ)底部の長さに対する中央部の長さの比が、約１．２５〜約３。投与チャンバの直径に対するトンネルの直径の比は、約０．２〜約０．４であってもよい。
【０２２３】
投与チャンバの実施形態を、図面を参照して以下により詳細に記載する。
【０２２４】
図１１の例に示されるように、いくつかの実施形態では、吸入器１００は、投与チャンバ・ハウジング１１０２を含む。好ましくは、投与チャンバ・ハウジング１１０２の少なくとも１部は、投与チャンバ１１２２の形状を決める。ある実施形態では、投与チャンバ・ハウジング１１０２は、空気が、吸入器１００を通って流れ、投与チャンバから出てくる薬剤をピックアップし、出口通路１１８２に入り、薬剤をユーザーに送達するように、気流導管１１９５の境界を形成する。図１２〜１３には、ハウジング１１０２の一実施形態が示される。ある実施形態では、ハウジング１１０２は、気流導管１１９５の一部を含む上部表面１１０４を有する(気流導管１１９５は、図１８にもっともよく表される)。ある実施形態では、ハウジングは、上部表面１１０４の下に本体１１０３を有し、これは投与チャンバ１１２２を含む(図１３にもっともよく表される)。気流導管１１９５の一部の境界は、ハウジング１１０２の上部表面１１０４から延びる側壁１１０６を含んでもよい。上部表面１１０４(図１２にもっともよく表される)と側壁１１０６間の接合部における移行は、半径又は面取りされた面の形状であってもよい。ある実施形態では、導管手段(例えば、気流導管１１９５)は、吸入器１００を通る空気の層流を促進するために構成される。ある実施形態では、上部表面１１０４と側壁１１０６は平滑であり、以下により詳細に説明するように、導管手段(例えば、気流導管１１９５)を通る層流を促進する。ある実施形態では、上部表面１１０４と側壁１１０６は、ハウジング容積１１０７を決定する。ある実施形態では、上部表面１１０４は、ハウジング容積１１０７の第一境界であり、側壁１１０６は、ハウジング容積１１０７の第二境界であり、ハウジング容積１１０７は、少なくとも一面が開口している。ある実施形態では、チャンバ上端１１１０部分は、投与チャンバ１１２２の反対側の上端１１０４から離れて延びる。ある実施形態では、チャンバ上端１１１０は、投与チャンバ１１２２の上部を含み、上部表面１１０４の少なくとも１部によって形成される平面は、チャンバ上端１１１０及び／又は投与チャンバ１１２２と交わる。ある実施形態では、チャンバ上端は、上面と同一平面上にある。ある実施形態では、チャンバ上端１１１０は、上部表面１１０４に対してくぼんでいる。上部表面１１０４は、チャンバ上端１１１０を取り囲むように構成された溝１１１２を含んでもよい。溝１１１２は、チャンバ上端１１１０及び上部表面１１０４のそれぞれに対してくぼんでいてもよい。ある実施形態では、ハウジング１１０２は、上部表面１１０４と投与チャンバ１１２２を含む一体型エレメントである。ある実施形態では、ハウジング１１０２は、投与チャンバを含む第一エレメントと、上部表面１１０４を含む第二エレメントを含み、第一エレメントと第二エレメントは互いに連結している。
【０２２５】
ある実施形態では、投与チャンバ・ハウジング１１０２は、ハウジング１１０２をベースプレート５９０(図５Ａ)に少なくとも部分的に圧入、溶接、留め具(例えば、ネジ、だぼ、アンカー、熱カシメ)、接着剤などにより固定するために、一般的に上部表面１１０４から離れて延びるアーム１１１４を含む。ハウジング１１０２は、上述したように、バッキングテープ４５２がブリスターストリップ４５０から剥離されるとき、このストリップのテープ(図４Ａに最もよく表される)と接触するように構成されたへり１１１６を含んでもよい。へり１１１６とバッキングテープ４５２との間の接触は、ブリスターストリップ４５０からのバッキングテープ４５２の剥離を助けてもよい。ある実施形態では、へり１１１６は、バッキングテープの切断を防ぐため、丸みを帯びたエッジであるか、又は、比較的小さな接触表面積(バッキングテープ４５２とへり１１１６との間の摩擦を減じる)となるように、比較的小さな半径を持ってもよい。アーム１１１４は、バッキングテープ４５２がブリスターストリップ４５０から剥離されるとき、ハウジング１１０２に加わるトルク強さに対抗してもよい。ある実施形態では、アーム１１１４は、下縁１１１８と曲線部１１２０を有する。ある実施形態では、下縁１１１８と曲線部１１２０は、ブリスターストリップがハブ４４０と係合するとき、ブリスターストリップ４５０を導くトラックの一部をなす。ある実施形態では、ハブ４４０の曲線におおむね沿うような曲線部１１２０が選択される。これは、様々な大きさのブリスターを、吸入器で使用可能にし得る。
【０２２６】
いくつかの実施形態では、投与チャンバ・ハウジング１１０２は、ブリスター１３０及び出口通路１１８２と流体連通している内部通路を含む。例えば、ブリスター１３０からの薬剤が、エアロゾル化され、ユーザーに送達できるようにこの通路が構成される。いくつかの実施形態では、通路は、投与チャンバ１１２２とトンネル１１５２を含む。図１３は、図１２の線１３−１３に沿った、ハウジング１１０２の断面図である。例えば、以下により詳細に記載するように、ある実施形態では、投与チャンバ１１２２は、ブリスター１３０(又は容器)から薬剤あるいは他の物質を受け取り、この薬剤を、出口通路１１８２を通じてユーザーに送達するために構成される。
【０２２７】
ある実施形態では、投与チャンバ１１２２は、下方側壁１１２６を含む第一部分１１２８と、中間側壁１１３８を含む第二部分１１３０と、上部壁１１４０を含む第三部分１１３２を含む。ある実施形態では、下方側壁１１２６は円柱部分を形成し、上部壁１１４０は円錐形部分を形成する。ある実施形態では、投与チャンバ１１２２は、対称軸１１２４を含み、その周囲に、投与チャンバ１１２２の下方側壁１１２６、中間側壁１１３８、上部壁１１４０の少なくとも一部が配置されている(例えば、放射状に配置される)。投与チャンバ１１２２は、それゆえ、少なくとも一平面において円形の横断面を含んでもよい。下方側壁１１２６は、ハウジング１１０２の外表面１１３４から延びる垂直部分を有していてもよい。ある実施形態では、下方側壁１１２６は、外表面１１３４からハウジング１１０２の上部表面１１０４のほうへ延びる。第一部分１１２８、第二部分１１３０及び第三部分１１３２は、一体型エレメントであってもよく、あるいは、連結されて投与チャンバを形成する一以上の分離エレメントを含んでもよい：例えば、下方側壁１１２６又はその一部は、中間側壁１１３８と上部壁１１４０を含むエレメントに連結されて投与チャンバを形成してもよい。
【０２２８】
ある実施形態では、ハウジング１１０２は、下方側壁１１２６の下部を形成するクラウン１１３５を含む。ある実施形態では、クラウン１１３５は、ハウジング１１３２の下面１１３７から突き出すように構成されている(図１３及び１６に最もよく表される)。クラウン１１３５は、内面１１３９と外面１１４１を有する。内面１１３９及び／又は外面１１４１は、それぞれ、内径及び外径を有するように形成されている。ある実施形態では、内面１１３９は、下方側壁１１２６の一部と接触している。下方側壁１１２６は、図１３では、総じて直線部分として示されるが、下方側壁はカーブしていてもよく、外表面１１３４から離れて伸びる側壁として、内側／外側に傾いていてもよく、段差があってもよく、あるいは、十分なシンセティックジェット及び投与量送達を提供する他の任意の形状であってもよい。投与チャンバ１１２２は、以下により詳細に説明するように、ハウジング１１０２の外表面１１３４から、チャンバの頂部１１３６に至る対称軸１１２４に沿って測定される高さを有する。ある実施形態では、チャンバ１１１０の最上部(図１２に最もよく表される)は、頂部１１３６を有し、この頂部は、投与チャンバ１１２２の残りの部分の壁厚よりも薄い頂部壁厚を有する。
【０２２９】
ある実施形態では、投与チャンバ１１２２の高さは、第一部分１１２８、第二部分１１３０及び第三部分１１３２の高さの合計を含む。ある実施形態では、下方側壁１１２６は、チャンバ高さの１０％〜７５％の第一部分の高さを規定する。ある実施形態では、第一部分の高さは、チャンバ高さの２０〜７０％である。ある実施形態では、第一部分の高さは、チャンバ高さの３０〜６５％である。ある実施形態では、第一部分の高さは、チャンバ高さの４０〜６０％である。ある実施形態では、第一部分の高さは、チャンバ高さの５０〜５５％である。ある実施形態では、第一部分１１２８の直径に対する投与チャンバ１１２２の高さの比は、約０．５〜約０．６５である。ある実施形態では、第一部分１１２８の直径に対する投与チャンバ１１２２の高さの比は、約０．５５〜約０．６０である。ある実施形態では、第一部分１１２８の直径に対する投与チャンバの長さの比は、約０．４〜約０．７５である。ある実施形態では、第二部分１１３０及び第三部分１１３２の合計容積に対する第一部分１１２８の容積の比は、約０．８〜約１．３である。
【０２３０】
図１３に図示される例示的な投与チャンバ１１２２は、下方側壁１１２６と隣接する中間側壁１１３８によって決定される外周を有する第二部分１１３０を含む。ある実施形態では、中間側壁１１３８は、チャンバ１１２２の内部に対して凹面として構成され、投与チャンバ１１２２を図１３のような横断面で見たとき観察できるように、前記凹面部は、湾曲部１１３３を有する弧によって規定されてもよい。ある実施形態では、中間側壁１１３８は、チャンバ１１２２の内部に対して凹面であり、中間側壁は、チャンバ内部に中心点を有する湾曲部１１３３を有する。ある実施形態では、中間側壁は、中間側壁１１３８の高さに沿って連続的な湾曲部１１３３を有する。ある実施形態では、中間側壁１１３８は、それぞれ異なる湾曲部(図示せず)を有する部分を含む。ある実施形態では、中間側壁１１３８は、チャンバ１１２２の内部に対して凸面である第一湾曲部と、チャンバの内部に対して凹面である第二湾曲部(図示せず)を含む。ある実施形態では、中間側壁１１３８は、階段状の部分であり、下方側壁１１２６から上部璧１１４０への移行部を含む。ある実施形態では、中間側壁１１３８は、上部璧１１４０と下方側壁１１２６との間に傾斜したあるいは面取りされた移行部を有する。ある実施形態では、中間側壁１１３８は、上部璧１１４０と下方側壁１１２６との間に斜面を有し、この斜面は、下方側壁１１２６に対して傾斜角にて配置されている。
【０２３１】
図１３に図示するように、第三部分１１３２は、軸１１２４の周りに放射状に配置されて円錐形部分を形成する上部璧１１４０によって形成される。図１３に図示される、例示的な中間側壁１１３８は、下方側壁１１２６から離れて伸びて上部璧１１４０に移行するように構成されている。ある実施形態では、上部璧１１４０は、チャンバ軸１１２４に対して傾斜している。ある実施形態では、上部璧１１４０は、中間側壁１１３８と頂部１１３６との間に延びる連続的なスロープを有する。ある実施形態では、上部璧１１４０は、軸１１２４に対して第一角度をなす第一スロープ区画と、軸１１２４に対して第二角度(第一角度とは異なる。図示せず)をなす第二区画とを有する。ある実施形態では、上部璧１１４０は、第一区画１１４４(そこで、上部璧１１４０を形成するハウジング１１０２は、第一厚みを有する)と、第二厚みを有する第二区画１１４６を含み、第二厚みは第一厚みより薄い。ある実施形態では、ハウジング１１０２の上部表面１１０４における溝１１１２は、第一区画１１４４と第二区画１１４６との境界をなす。
【０２３２】
図１３を参照すると、上部璧１１４０の一部は、ハウジング１１０２の上部表面１１０４を超えて延びる。ある実施形態では、頂部１１３６は、上部表面１１０４を超えて延びる上部璧１１４０の部分である。言い換えれば、チャンバ上端１１１０(図１２に最もよく表される)は、点１１３６へと収束する頂部を有する。図１３では、チャンバ上端１１１０は、好ましい円錐形状を持つものとして示されるが、チャンバ上端は、所望により別の形状を有していてもよい。ある実施形態では、頂部１１３６を含んでいる上部璧１１４０部分は、頂部１１３６の長さに沿って均一な厚みを有する。
【０２３３】
１又は複数の開口部１１４８は、上部璧１１４０を貫通し、投与チャンバ１１２２と出口通路１１８２との間を流体連通させるように構成される。好ましくは、少なくとも開口部(単数又は複数)を取り囲む頂部エリアは、ＵＳ７,３１８,４３４に記載されるシンセティックジェットのための以下のパラメータを満たす：１)各開口部のアスペクト比、すなわち、通路の横断面又は直径に対する長さが、好ましくは少なくとも０．５、及び好ましくは約１以上である。いくつかの実施形態では、このアスペクト比は、通路の前後に動く気体の塊を、個別の十分に形成された空気スラグとして生じさせるのに役立つ；２)気体が、通路を通じて前後に動く距離が、好ましくは、通路の横断面又は直径の約２倍より大きい。これにより、生じた渦により脱凝集されたドライパウダーは、気体が通路を通って戻る前に、渦の存在を避ける機会を持つ。
【０２３４】
ある実施形態では、上部璧１１４０の頂部１１３６を含む部分は、次第に薄くなる厚みを有する。例えば、上部璧１１４０は、溝１１１２に隣接する部分についての第一厚みと、頂部１１３６の先端部分についての第二厚み(第一厚みとは異なる)を有してもよい。ある実施形態では、第一厚みは、第二厚みより大きい。ある実施形態では、第一厚みは、第二厚みより小さい。ある実施形態では、上部璧１１４０は、第一厚みと第二厚みの間で、段階的に変化あるいは突然に変化してもよい。ある実施形態では、上部璧１１４０は、第一厚みと第二厚みの間を、徐々に移行する。ある実施形態では、頂部１１３６は、頂部の先端にて曲率半径１１５１を有し、これは中間側壁１１３８の半径よりも小さい。
【０２３５】
１又は複数の開口部１１４８は、上部璧１１４０を貫通し、投与チャンバ１１２２と出口通路１１８２との間を流体連通させるように構成される。ある実施形態では、開口部１１４８はそれぞれ、チャンバ１１２２の軸１１２４上にその中心を有し且つ約０．５ｍｍ〜約１．０ｍｍの半径を有している円(図示せず)上に、等距離間隔で配置された中心点を有する。ある実施形態では、チャンバ１１２２は、単一の開口部１１４８を有する。ある実施形態では、チャンバ１１２２は、４つの開口部１１４８を有する。ある実施形態では、開口部１１４８は、軸１１２４の周囲に非対称的に配置されている。ある実施形態では、開口部１１４８の一つは、軸１１２４上に配置されている。ある実施形態では、開口部１１４８は、約０．０１９インチ(０．４８ｍｍ)±０．０１２インチ(０．３０ｍｍ)、好ましくは約０．０１５インチ(０．３８ｍｍ)〜０．０３インチ(０．７６ｍｍ)の直径を有する。ある実施形態では、開口部１１４８のそれぞれが、それ自身の開口部対称軸１１５０の周囲に配置された開口部側壁を有する。ある実施形態では、開口部１１４８の少なくとも１つは、投与チャンバ１１２２の軸１１２４を横断する開口部対称軸１１５０を有する。ある実施形態では、開口部１１４８の少なくとも１つの開口部軸１１５０は、上部璧１１４０に対して垂直である。ある実施形態では、投与チャンバ１１２２は、それぞれが軸１１５０を有している２以上の開口部１１４８を含み、軸１１５０は、全て互いに平行であってもよく、あるいは一つが他の軸に平行でなくてもよく、それぞれが上部璧１１４０の表面に垂直であってもよく、及び／又は一つが投与チャンバ軸１１２４に平行であってもよい。ある実施形態では、開口部１１４８の直径は、頂部１１３６の開口部の数によって変わってもよい。例えば、投与チャンバが開口部の数に関わらず、一貫した合計開口部表面積を有するように、２つの開口部１１４８を有するチャンバ１１２２は、４つの開口部を有するチャンバよりも大きな開口部直径を有してもよい。開口部１１４８は、エアロゾル化された薬剤がそこを通過可能である限り、任意の所望の形状(例えば、円形、楕円形、長方形など)を有するように構成される。ある実施形態では、薬剤がユーザーの肺に移動可能な大きさとなるように、開口部１１４８の大きさが選択される。
【０２３６】
図１３を参照すると、ハウジング１１０２の一実施形態は、トンネル１１５２を含み、これは、投与チャンバ１１２２と、ブリスター１３０(図１１に最もよく表される)又はハウジング１１０２の外側に位置する別の物質源との間を流体連通するための通路となるように構成される。トンネル１１５２は、トンネル上壁１１５４及びトンネル下壁１１５６を含むように構成される。ある実施形態では、トンネル１１５２の横断面形状は円形である。ある実施形態では、トンネル１１５２の横断面形状は、正方形、楕円形、長方形、任意の多角形などである。ある実施形態では、トンネル１１５２は、下方側壁１１２６を通って延び、下方側壁１１２６におおむね垂直であり、トンネル上壁１１５４とトンネル下壁１１５６は、おおむね等しい長さである。
【０２３７】
ある実施形態では、トンネル１１５２の軸１１５８は、チャンバ軸１１２４に対して傾斜している。ある実施形態では、トンネル１１５２は、チャンバ１１２２の上部璧１１４０を通って延びる。ある実施形態では、トンネル軸１１５８は、チャンバ軸１１２４に対して傾斜しており、トンネル上壁１１５４は上部壁１１４０と交わり、トンネル下壁１１５６は中間側壁１１３８又は下方側壁１１２６と交わり、上部表面１１５６とトンネル下壁１１５６の長さは互いに異なっており、直接隣接するチャンバ内部表面に対するトンネル上壁１１５４の角度１１６０は、隣接するチャンバ内部表面に対するトンネル下壁１１５６の角度１１６２とは異なる。ある実施形態では、トンネル上壁１１５４とトンネル下壁１１５６は、トンネル軸１１５８の周囲に均一に放射状に配置されている。ある実施形態では、トンネル上壁１１５４とトンネル下壁１１５６は、互いにおおむね平行である。ある実施形態では、トンネル上壁１１５４とトンネル下壁１１５６は、トンネル軸１１５８に向かって収束する。ある実施形態では、トンネル上壁１１５４とトンネル下壁１１５６の一方は、おおむね直線であり、ある実施形態では、トンネル上壁１１５４とトンネル下壁１１５６の他方は、直線ではない(例えば、曲線状、階段状、又は湾曲状)。ある実施形態では、トンネル軸１１５８は直線である。ある実施形態では、トンネル軸１１５８は、湾曲、曲線などを含む。
【０２３８】
ある実施形態では、トンネル１１５２の平均直径に対するトンネル上壁１１５４の長さの比は、約４〜約７．５である。ある実施形態では、トンネル１１５２の長さ中央値に対するトンネル上壁１１５４の長さの比は、約１．５〜約３である。ある実施形態では、トンネル１１５２の長さ中央値に対するトンネル下壁１１５６の長さの比は、約１．２５〜約３である。ある実施形態では、チャンバ１１２２の直径に対するトンネル１１５２の直径の比は、約０．２〜約０．４である。ある実施形態では、トンネル軸１１５８とチャンバ軸１１２４との角度１１６４は、約１００°〜約１５０°である。ある実施形態では、角度１１６４は、約１００°〜約１４０°である。ある実施形態では、角度１１６４は、約１００°〜約１３０°である。ある実施形態では、角度１１６４は、約２０°である。ある実施形態では、トンネル下壁１１５６は、側壁１１２６と中間側壁１１３８の交点に位置する。ある実施形態では、トンネル下壁１１５６は、中間側壁１１３８と上部璧１１４０の交点に位置する。ある実施形態では、トンネル下壁１１５６とハウジング１１０２の外表面１１３４との間の長さは、投与チャンバ１１２４へのトンネル上壁１１５４の入口点と、頂部１１３６との間の距離より大きい。ある実施形態では、トンネル軸１１５８は、ブリスター面１１６８(図１Ｈに最もよく表される)を含む平面に対して傾斜している。ある実施形態では、トンネル上壁１１５４は、トンネル上壁平面を形成し、トンネル下壁１１５６は、トンネル下壁平面を形成し、トンネル上壁平面とンネル下壁平面のそれぞれの延長線は、投与チャンバ１１２２の外側と交わる。
【０２３９】
投与チャンバ・ハウジング１１０２は、気流導管の表面での薬剤の沈着を減じる又は除去する一方、投与チャンバ１１２２を通るエアロゾル化された薬剤の流れ、及び、気流導管１１９５の少なくとも１部を通る気流を促進する材質から製造される。ある実施形態では、ハウジング１１０２は、アクリロニトリル・ブタジエン・スチレン(ＡＢＳ)から形成される。ハウジング１１０２は、ＲＴＰ社(ミネソタ州、ウィノーナ)によって製造されるPermastatなどの帯電防止添加剤又はコーティングを含んでもよい。ある実施形態では、ハウジング１１０２は、ＰＶＣ、マイラー、ＡＢＳ、ステンレス鋼、又はブリスターストリップ内の薬剤との反応を避ける任意の他の物質から形成される。ある実施形態では、ハウジング１１０２は、以下により詳細に説明するように、トランスデューサ１５０からの振動を、ブリスターストリップ１３１に伝える。ハウジング１１０２は、単一の物質から製造されてもよく、又は異なる材料から異なる部分が作られてもよい。例えば、投与チャンバ１１２２の下方側壁１１２６、中間側壁１１３８、及び上部璧１１４０は、第一の物質を含んでもよく、ハウジング１１０２の上部表面１１０４は、第二の物質を含んでもよい。
【０２４０】
好ましい実施形態によれば、膜が投与チャンバに付されており、前記チャンバを振動エレメントに連結する。本明細書で使用される膜は、好ましくは、トランスデューサ面と投与チャンバの内側との間に(例えば、仕切りとして)配置された物質からなるシートであり、前記物質からなるシートは、好ましくは柔軟性を有する。膜は好ましくは以下の基準を満たす：生体適合性；振動を適切なレベルの音響活性に効率的に変換する柔軟な材料；損傷に対するロバスト性；投与チャンバの材質への確実な接着；及び、適切な熱膨張係数を有する。好ましくは、膜は、吸入器の予定寿命の期間中に予測される環境条件下で、張力と接着を保持する能力があり、投与チャンバ音響共振への効率的な振動伝達を提供する一方、滑らかさと平面性を保持する。全体的に見て、膜の材質と張力は、シンセティックジェットの速やかな開始と送達量均一性が達成できるように、トランスデューサから投与チャンバへのエネルギー伝達を最適化すべきである。
【０２４１】
ある実施形態によれば、吸入器は、薬剤を受け取るように構成された投与チャンバ；投与チャンバに対面するトランスデューサであって、作動すると薬剤をエアロゾル化するように構成されているトランスデューサ；及び、投与チャンバとトランスデューサとの間の膜であって、投与チャンバ開口にわたって引き伸ばされ、投与チャンバに貼付されている膜；を含み、この装置はトランスデューサが作動すると、ユーザーにエアロゾル化された薬剤を送達するシンセティックジェットを生じる。
【０２４２】
別の実施形態によれば、薬剤送達装置は、ドライパウダー薬剤を含むように構成された内部を有する投与チャンバ；投与チャンバに対面しているトランスデューサであって、投与チャンバとトランスデューサは音響的に共振性であり、投与チャンバはトランスデューサの作動に応じて共振するように構成されている；及び、投与チャンバとトランスデューサとの間の膜であって、投与チャンバ開口にわたって引き伸ばされ(好ましくは、投与チャンバに貼付されている)、厚みを有する物質からなる膜；を含む。この実施形態によれば、膜の材質と厚みは、粉末の脱凝集及び／又は送達に影響を与える。例えば、シンセティックジェットの開始速度、最大シンセティックジェット、バーストあたりの送達量、合計送達量、及び空気力学的粒度分布の１又は複数が、膜の材質と厚みの変更によって影響を受けうる。好ましくは、トランスデューサ、投与チャンバ、及び膜の協同的音響共振が、本明細書に記載の好ましい範囲内のＭＭＡＤ(例えば、約６μｍ以下)、好ましくは本明細書に記載の範囲内の微粒子画分(例えば、少なくとも３０％)を有するドライパウダー薬剤のエアロゾル化と送達を引き起こすのに十分であるように、膜の材質とその厚みが選択される。最大シンセティックジェットは、好ましくは、本明細書に記載の好ましい時間の範囲内(例えば、トランスデューサ作動の開始から約５００ｍｓ以内)で達成される。
【０２４３】
ある実施形態によれば、膜は、少なくとも３０ＭＰａ、より好ましくは少なくとも４０ＭＰａ、又は少なくとも５０ＭＰａ、又は少なくとも６０ＭＰａ、又は少なくとも７０ＭＰａ、又は少なくとも８０ＭＰａ、又は少なくとも９０ＭＰａ、又は少なくとも１００ＭＰａ、又は少なくとも１２０ＭＰａ、又は少なくとも１５０ＭＰａ、又は少なくとも２００ＭＰａ；例えば、約３０ＭＰａ〜約２００ＭＰａ、又は約４０ＭＰａ〜約２００ＭＰａの引張強さ(ＭＤ又は流れ方向)を有する。ある実施形態によれば、膜は、７．０ＧＰａ以下、又は６．０ＧＰａ以下、又は５．０ＧＰａ以下；例えば、約１．０ＧＰａ〜約７．０ＧＰａ、又は約１．０ＧＰａ〜約６．０ＧＰａの引張モジュラスを有する。ある実施形態によれば、膜は、少なくとも５０％、又は少なくとも７５％、又は少なくとも１００％の降伏点引張伸び(ＭＤ又は流れ方向)；例えば、約５０％〜約３００％の伸び、又は約７５％〜約３００％の降伏点伸び、又は約１００％〜約３００％の降伏点伸びを有する。ある実施形態によれば、膜は、１２０ｐｐｍ/℃未満、又は１００ｐｐｍ/℃未満、又は９０ｐｐｍ/℃未満、又は８０ｐｐｍ/℃未満、又は７０ｐｐｍ/℃未満；例えば、約１０ｐｐｍ/℃〜約１００ｐｐｍ/℃、又は約１０ｐｐｍ/℃〜約９０ｐｐｍ/℃、又は約１０ｐｐｍ/℃〜約８０ｐｐｍ/℃、又は約１０ｐｐｍ/℃〜約７０ｐｐｍ/℃の熱膨張係数(ＣＴＥ)を有する。ある実施形態によれば、膜は、少なくとも６０℃、又は少なくとも７０℃、又は少なくとも８０℃、又は少なくとも９０℃、又は少なくとも１００℃；例えば約５０℃〜約２５０℃、又は約６０℃〜約２５０℃、又は約６０℃〜約２００℃、又は約６０℃〜約１７５℃のＴｇ(ガラス転移点)を有する。
【０２４４】
ある実施形態によれば、膜は、以下の特徴の１又は複数を有する：少なくとも３０ＭＰａの引張強さ(ＭＤ)、７．０ＧＰａ以下の引張モジュラス、少なくとも５０％の引張伸び(ＭＤ)、１００ｐｐｍ/℃未満のＣＴＥ、及び少なくとも６０℃のＴｇ。そのような物質の非限定的な例には、ポリエチレン・テレフタレート(ＰＥＴ)(例えば、マイラー(登録商標)813)、ポリエーテルエーテルケトン(ＰＥＥＫ)(例えば、APTIV(登録商標)2000-050)、ポリカーボネート(例えば、LEXAN(登録商標)SD8B14)、ポリスルホン(例えば、Udel(登録商標))、ポリエーテルイミド(例えば、ULTEM(登録商標))、ポリフッ化ビニリデン(例えば、KYNAR(登録商標))、及びポリ塩化ビニルが含まれる。
【０２４５】
別の実施形態によれば、膜は、以下の特徴の１又は複数を有する：少なくとも４０ＭＰａの引張強さ(ＭＤ)、６．０ＧＰａ以下の引張モジュラス、少なくとも７５％の引張伸び(ＭＤ)、１００ｐｐｍ/℃未満のＣＴＥ、及び少なくとも７０℃のＴｇ。好ましくは、前記膜は投与チャンバにヒートシール可能な物質である。ある実施形態では、膜は、ポリエチレン・テレフタレート(ＰＥＴ)(例えば、マイラー(登録商標)813)、ポリエーテルエーテルケトン(ＰＥＥＫ)(例えば、APTIV(登録商標)2000-050)、ポリカーボネート(例えば、LEXAN(登録商標)SD8B14)、ポリスルホン(例えば、Udel(登録商標))、ポリエーテルイミド(例えば、ULTEM(登録商標))、ポリフッ化ビニリデン(例えば、KYNAR(登録商標))、及びポリ塩化ビニル、又は本明細書に記載の特性(例えば、引張強さ、引張モジュラス、引張伸び、ＣＴＥ、Ｔｇなど)の一つ以上を有する同様の物質の一つから製造される。
【０２４６】
ある実施形態によれば、膜は、約０．１５Ｎ/ｍｍ〜約１．０Ｎ/ｍｍ、又は０．２Ｎ/ｍｍ〜約１．０Ｎ/ｍｍ、又は約０．２Ｎ/ｍｍ〜約０．８Ｎ/ｍｍ、又は約０．２Ｎ/ｍｍ〜約６Ｎ/ｍｍ(投与チャンバに取り付けられた状態で測定した際)の張力を受ける。ある実施形態によれば、膜は、約３０μｍ〜約１５０μｍ、又は約４０μｍ〜約１００μｍ、又は約４０μｍ〜約７０μｍ、又は約４０μｍ〜約６０μｍ、又は約５０μｍ〜約８０μｍの厚みを有する。ある実施形態によれば、膜の材質は、ＰＥＴ，ポリカーボネート及びＰＥＥＫの少なくとも一つから選択される。別の実施形態によれば、膜の材質は、ＰＥＴ及びポリカーボネートの少なくとも一つから選択される。ある実施形態によれば、膜は、チャンバ高さの約０．３８％〜約０．４３％の膜厚を有する。膜の実施形態を、図を参照して以下により詳細に説明する。
【０２４７】
ある実施形態によれば、トランスデューサ１５０が作動されると、膜が振動するように、膜１１６６は、ハウジングに連結され、投与チャンバ１１２２の開口を覆っている。図１４〜１５に、膜１１６６(又はフィルム)が示される。膜１１６６は、投与チャンバ１１２２の開口端１１７０(図１６に最もよく表される)を膜１１６６が覆うように、ハウジング１１０２の外表面１１３４に連結するよう構成されている。膜１１６６は、接着剤、溶接、アンカーなどによりハウジング１１０２に連結されるよう構成されている。ある実施形態によれば、膜１１６６は、膜が開口端を完全に覆うよう、投与チャンバ１１２２の開口端１１７０と同様の形状を有する。ある実施形態では、膜１１６６は、図１５に示すように、均一な厚みを有する。ある実施形態では、膜１１６６のある部分は、他の部分より厚い又は薄い。ある実施形態では、例えば、膜１１６６の外側領域１１６５は、内側領域１１６７より厚い。ある実施形態では、外側領域１１６５は、内側領域１１６７より薄い。ある実施形態では、膜１１６６は、外側領域１１６５と内側領域１１６７の厚い方から、外側領域１１６５と内側領域１１６７の薄い方にかけて次第に薄くなる。ある実施形態では、外側領域１１６５と内側領域１１６７との間の移行部は、一つの領域がもう一つの領域より厚い場合、段差を有する。
【０２４８】
ある実施形態では、トランスデューサが振動する際、トランスデューサと膜との間の効率的なエネルギー共役を促進するために、膜１１６６は、膜を投与チャンバの開口にわたって延伸させる材質から製造される。ある実施形態では、膜１１６６は、ポリエチレン・テレフタレート(ＰＥＴ)(例えば、マイラー(登録商標)813)、ポリエーテルエーテルケトン(ＰＥＥＫ)(例えば、APTIV(登録商標)2000-050)、ポリカーボネート(例えば、LEXAN(登録商標)SD8B14)、ポリスルホン(例えば、Udel(登録商標))、ポリエーテルイミド(例えば、ULTEM(登録商標))、ポリフッ化ビニリデン(例えば、KYNAR(登録商標))、及びポリ塩化ビニル、又は膜が開口端１１７０の少なくとも一部にわたって延伸可能となる同様の物質、の一つから製造される。ある実施形態では、膜１１６６は、最初に、開口端１１７０にわたって延伸される時、引張荷重を受ける。ある実施形態では、張力は約０．１７〜約１．０９Ｎ／ｍｍである。ある実施形態では、吸入器１００が使用中でない場合、張力は約０．１７〜約１．０９Ｎ／ｍｍである。張力の値は、少なくとも一部は、膜１１６６の材質又は厚みに基づいて選択されてもよい。例えば、張力は膜の材質に基づいて選択されてもよく、選択された材質と張力とを有する膜の結果的な共振周波数は、以下により詳細に説明するように、トランスデューサ１５０の共振周波数と近似する。ある実施形態では、膜１１６６は不透明である。ある実施形態では、膜１１６６は透光性又は半透明である。ある実施形態では、膜１１６６は、同じ又は異なる材質からなる２以上の層を含む。
【０２４９】
膜１１６６は、好ましくは、クラウン１１３５に連結されるように構成されている。選択した数の使用(膜が振動する)の後、膜１１６６がクラウン１１３５から外れないように、膜１１６６とクラウン１１３５との間の剥離強度を選択することができる。剥離強度は、空気が、膜１１６６とクラウン１１３５との間から投与チャンバ１１２２に流入する又は流出する可能性を減らすために選択されてもよい。ある実施形態における剥離強度は、約７５ｇ〜約２５０ｇとなるように構成される。ある実施形態では、クラウンに連結される膜部分は、エレメント間の接着を向上させるために、連結前に処理される(例えば、化学エッチング、物理的スコアリング)。ある実施形態では、膜１１６６の外部領域１１６５は、内部領域１１６７より厚く、外部領域１１６５は、クラウン１１３５に膜１１６６を連結する前に処理される(例えば、化学エッチング、物理的スコアリング)。ある実施形態では、膜１１６６は、クラウン１１３５に固定され、クラウン１１３５と同じ外径を膜が有するようにその場でトリミングされるシートを含む。ある実施形態では、膜１１６６は、エッジに巻きつけられ、クラウン１１３５の側面に固定される。ある実施形態では、膜１１６６は、膜有効面積１１７１を有する。図１６に図示される実施形態において、膜有効面積１１７１は、投与チャンバ１１２２の開口端１１７０の上側にあり、クラウン１１３５の内面１１３９の内側にある膜１１６６の部分であり、このため、膜有効面積はクラウン１１３５と接触することなく動く(振動する)ことができる。ある実施形態では、膜厚は、チャンバ高さの約０．１％〜約１％、又は約０．１％〜約０．８％、又は約０．１％〜約０．６％、又は約０．２％〜約１％、又は約０．２％〜約０．８％、又は約０．２％〜約０．６％、又は約０．３８％〜約０．４３％である。
【０２５０】
ある実施形態では、膜の材質は、厚み約１０μｍ〜約４０μｍのＰＥＴ材料；あるいは厚み約２０μｍ〜約６０μｍのポリカーボネート材料であり、ここで、前記材料は、接着剤(例えば、Loctite(登録商標)4310)で投与チャンバにヒートシールされる。例えば、公称厚さ約２３±１０μｍのＰＥＴ材料(マイラー(登録商標)813)、又は公称厚さ約５０±１５μｍのポリカーボネート材料(LEXAN(登録商標)Sabic SD8B14)が、最適なシンセティックジェット(例えば、トランスデューサの作動に応答する、少なくとも１．５Ｖの最大シンセティックジェット)及び投与量送達を可能にすることが見い出された(例えば、実施例９で実証されるように)。
【０２５１】
吸入器１００の前方部１０１は、背面カバーを含み、いくつかの実施形態において、この背面カバーは、投与チャンバ及びブリスター進行機構の歯車を、後方部１０２のトランスデューサ１５０及び対応する歯車と相互作用させる連絡通路を含む。図１７に、吸入器１００の前方部１０１の単独背面図が示される。好ましい実施形態によれば、前方部１０１は、吸入器の交換可能な構成要素(取り外し可能なカートリッジとも称される)である。前方部１０１は、投与チャンバ１１２２と協調する(一致する)通路１１７２を有する背面カバー１１７４を有するように構成される。通路１１７２は、以下により詳細に説明するように、吸入器１００が組み立てられるとき、膜１１６６とトランスデューサ１５０を隣接させるか、あるいは、互いに接触させる。ある実施形態では、ハウジング１１０２のクラウン１１３５は、通路１１７２の中に部分的に入っている(図１８に最もよく表される)。背面カバー１１７４は、ブリスターストリップ進行機構のセクターギア４４１とスプーリングギア４６１のための連絡通路１１７６を含むように構成される。ある実施形態では、組み立てられた際、クラウン１１３５は、背面カバー１１７４の裏面１１７８から奥まっている。ある実施形態では、膜１１６６は、裏面１１７８から約０．５〜約１．５ｍｍ奥まっている。
【０２５２】
特定の実施形態、特に、ブリスターストリップを採用する実施形態によれば、吸入器の部品の相対的な配置 (例えば、振動エレメント、投与チャンバ、吸気口及び排気口に対するブリスター)、及び気流導管の形状及び配置は、従来のドライパウダー送達装置のものとは異なる。例えば、複数の装置において、薬剤容器(カプセル又はブリスター)は、振動エレメントの前に配置され、いくつかのケースでは、振動エネルギーが振動エレメントから薬剤容器に直接伝達されるように(それらの間に配置された構造物なしで)、薬剤容器は振動エレメントと直接接触した。例えば、米国特許第６,０２６,８０９及び６,１４２,１４６参照。従来技術の装置とは異なり、本発明の実施形態によれば、薬剤容器(例えば、ブリスター)は振動エレメントの真正面にはなく、その代わりに、吸入器は振動エレメントと容器との間に位置する投与チャンバを含む。例えば、吸入器は、ブリスター軸の周囲に配置されたブリスター；チャンバ軸の周囲に配置された投与チャンバ；及び投与チャンバと対面するトランスデューサであって、作動されると薬剤をエアロゾル化するように構成されているトランスデューサ；を含んでもよく、前記チャンバ軸は、ブリスターが投与位置にあるとき、ブリスター軸を横断する。好ましくは、これらの部品の相対位置は、被験者に煙突式の気流導管排気口を提供し、排気口に対して約９０°にて空気を吸入する。これは、排気口がブリスター軸とおおよそ同じ軸上にあるか、同軸にあるか、又はブリスター軸に対してわずかな角度を有する、クロスフロー式の気流導管とは異なる。
【０２５３】
ある実施形態では、ドライパウダー薬剤送達装置は、ブリスター軸の周囲に配置されたブリスター(１軸／１ブリスター)；ブリスターからドライパウダー薬剤を受け取るように構成された投与チャンバ；チャンバ軸の周囲に配置された投与チャンバ；投与チャンバに対面しているトランスデューサであって、投与チャンバとトランスデューサは音響的に共振性であり、投与チャンバはトランスデューサの作動に応じて共振するよう構成されている；投与チャンバと流体連通している出口通路であって、この出口通路は、出口通路軸の周囲に配置されている；及びトンネル中央軸の周囲に配置されたトンネルであって、トランスデューサが作動すると、ブリスターからのドライパウダー薬剤が、トンネルを通じて投与チャンバ内に移動できるように、投与チャンバとブリスターとを流体連通しているトンネル；を有しており、ここで、出口通路軸とチャンバ軸は実質的に平行であり、チャンバ軸と出口通路軸はブリスター軸を横断し、トンネル中央軸はブリスター軸に対して傾斜しており、チャンバ軸と出口通路軸を横断する。
【０２５４】
好ましい実施形態によれば、吸入器部品の相対的な配置は、以下の目的を達成するために役立つ：幅広い範囲の周期的な呼吸パターンにわたって、容認できるエアロゾルパフォーマンスを伴う送達：患者に快適で、反復可能な流れ抵抗；呼吸センサへのアクセスの提供；気流導管表面への製剤の蓄積の最小化；及び製剤の堆積(沈着)をもたらしうる気流停滞領域の最小化。
【０２５５】
ある実施形態によれば、本発明の薬剤送達装置(あるいは吸入器)は、ブリスター軸の周囲に配置されたブリスター；ブリスターから薬剤を受け取るように構成されている投与チャンバであって、チャンバ軸の周囲に配置されている投与チャンバ；投与チャンバに対面しているトランスデューサであって、作動すると薬剤をエアロゾル化するように構成されているトランスデューサ；を含み、ここで、チャンバ軸は、ブリスターが投与位置にあるとき、ブリスター軸を横断する。好ましい実施形態によれば、複数のブリスターが、ブリスターストリップに沿って配置されており、ブリスターストリップは、トランスデューサと直接物理的に接触していない、すなわち、ブリスターストリップはトランスデューサ面に触れていない。このように物理的な接触が無いにも関わらず、粉末はブリスターからエアロゾル化されることができ；機械的振動と音響共振が、トランスデューサから投与チャンバへ、ブリスターへと効率的に伝達されるため、エアロゾル化が生じると考えられる。この配置は、ブリスターストリップが振動エレメントと物理的に接触している、多くの従来型の装置とは異なる。
【０２５６】
ある実施形態によれば、チャンバは、チャンバ軸が対称軸となるように、チャンバ軸の周囲に配置された側壁を含む。ある実施形態によれば、ブリスターは、ブリスター軸が対称軸となるように、ブリスター軸の周囲に配置されたブリスター側壁を含む。ある実施形態によれば、ブリスターは、ブリスター開口を取り囲むリムを含み、ブリスターリムは、トランスデューサが作動される前は、トランスデューサから距離をあけて配置されている(例えば、トランスデューサから約２ｍｍ〜約５ｍｍ)。
【０２５７】
ある実施形態によれば、装置はさらに、出口通路軸の周囲に配置された出口通路を含み、投与チャンバからのエアロゾル化された薬剤は、出口通路を通って、ユーザーに運ばれる。好ましくは、出口通路軸と投与チャンバ軸は平行である。好ましくは、トランスデューサは、トランスデューサ対称軸の周囲に配置されており、投与チャンバ軸とトランスデューサ対称軸は同軸である。
【０２５８】
ある実施形態によれば、装置はさらに、トンネル中央軸の周囲に配置されたトンネルであって、トランスデューサが作動すると、ブリスターからの薬剤が、トンネルを通じて投与チャンバ内に移動できるように、投与チャンバとブリスターとを流体連通しているトンネルを有し、ここで、トンネル中央軸はブリスター軸に対して傾斜している。好ましくは、トンネル中央軸は、チャンバ軸を横断する。
【０２５９】
ある実施形態によれば、トンネルは、上壁と下壁を含み、トンネルは、以下の少なくとも１つを含むように構成されている：(ａ)底璧の長さに対する頂璧の長さの比が、約４〜約７．５、(ｂ)長さ中央値に対する頂璧の長さが約１．５〜約３、及び(ｃ)底璧の長さに対する長さ中央値が約１．２５〜３。好ましくは、投与チャンバ直径に対するトンネルのエントランス直径の比は、約０．２〜約０．４である。
【０２６０】
本発明の吸入器は、好ましくは吸気口(ユーザーが装置を通じて吸引すると、そこを通って空気が気流導管に吸い込まれる開口部)から排気口(そこを通って、ドライパウダー薬剤を取り込んだ空気が、吸入器のマウスピースから出ていく開口部)へと延びる気流導管(「フローチャネル」という用語と互換的に使用される)を含む。気流導管１１９５、吸気口１１９１、及びマウスピースの一部である排気口の実施形態が、図１８に図示される。気流導管の大きさ及び形状は、所望の流れ抵抗(例えば、ＣＯＰＤの患者にとって適切な)を達成し、吸入器内でエアロゾルエンジンの位置を調整し、投与チャンバから排気口への流路(ドライパウダーの流れを妨害しない)を提供するように設計される。気流導管によって提供される流れ抵抗は、好ましくは、吸入が困難な患者(例えば、ＣＯＰＤ患者、嚢胞性線維症患者など)にとって快適であるように十分低く、しかし、流量センサによる検出のためには十分高い。本明細書で述べるように、吸入器は、低流量にて装置を通じた吸入を検出でき、且つエアロゾルエンジン(検出された吸入に応答してドライパウダーをエアロゾル化する)に信号を送ることができる流量センサを含むため、受動装置ではない。それゆえ、ユーザーは、投与量送達をトリガーし、粉末を脱凝集するために(例えば、乱流を生じさせることによって)、装置を通じて高い吸気流を発生させる(すなわち、力強く吸引する)、あるいは、ゆっくりとした深い吸入を使用する必要がなく、周期的な吸入、すなわち、特別な努力を行う(安静時の通常の呼吸より、遅い、深い、速い、あるいは強い吸入を含む)ことのない通常の吸入によって、吸引を行う。これは、しばしば抵抗が減少するように増加した吸気流速を要求する、あるいは、投与量送達をトリガーし、薬剤を効率よく脱凝集して最適な大きさの粒子を生じさせるために、遅く、深い吸入を要求する従来のＤＰＩとは異なる(例えば、ＵＳ ６，１１６，２３７；Roberto W Dal Negro, Multidisciplinary Respiratory Medicine, 2015, 10:13；及び Tiddens, H.A., et al., Journal of Aerosol Medicine, 19:4, 2006, pp. 456-465参照)。
【０２６１】
例示的な実施形態によれば、気流導管は、約３０Ｌ／分(ＬＰＭ)の流量で、約０．０４０ｃｍＨ2Ｏ0.5／ＬＰＭ〜約０．１ｃｍＨ2Ｏ0.5／ＬＰＭ、又は約０．０４０ｃｍＨ2Ｏ0.5／ＬＰＭ〜約０．０９０ｃｍＨ2Ｏ0.5／ＬＰＭ、又は約０．０５０ｃｍＨ2Ｏ0.5／ＬＰＭ〜約０．１ｃｍＨ2Ｏ0.5／ＬＰＭ、又は約０．０５０ｃｍＨ2Ｏ0.5／ＬＰＭ〜約０．０９０ｃｍＨ2Ｏ0.5／ＬＰＭ、又は約０．０４０ｃｍＨ2Ｏ0.5／ＬＰＭ〜約０．０８５ｃｍＨ2Ｏ0.5／ＬＰＭ、又は約０．０５０ｃｍＨ2Ｏ0.5／ＬＰＭ〜約０．０８５ｃｍＨ2Ｏ0.5／ＬＰＭ、又は約０．０６０ｃｍＨ2Ｏ0.5／ＬＰＭ〜約０．０８５ｃｍＨ2Ｏ0.5／ＬＰＭの流れ抵抗を提供する。
【０２６２】
ある実施形態によれば、気流導管は、狭窄区域１４００を有し、これは、気流導管の残りの部分の断面積(単数又は複数)よりも有意に小さい断面積を有し、流れ抵抗を提供する。狭窄区域１４００の実施形態を図１８及び図３７に図示し、そこでは、気流の一般的な流れが、矢印１４０３で示されており、空気は、上流(例えば、吸気口)から下流(例えば、排気口)の方向に流れる。例えば、狭窄区域１４００は、少なくとも１つの岩棚部(レッジ：ledge)１１９４、又は、気流導管内に延びて狭い断面積を生じさせる少なくとも１つの突出部によって形成されてもよい(例えば、図３７に示されるように、１つの岩棚部が存在してもよく、あるいは、気流導管内に延びて狭窄区域１４００を作り出す２以上の岩棚部が存在してもよい)。好ましくは、狭窄区域１４００は、気流導管の上流エリア１４０１、すなわち、投与チャンバの開口部(単数又は複数)からドライパウダー薬剤が放出される気流導管の場所よりも上流に位置する。好ましくは、狭窄区域１４００は、流量センサの上流、又は気流導管と流量センサとの間に流体連通を提供する開口１１９０の上流に位置する。例えば、狭窄区域１４００は、吸気口１１９１(例えば、図３７参照)に配置されていてもよく、又は吸気口１１９１の近く(例えば、吸気口の下流、且つ流量センサの上流)に配置されてもよい。好ましくは、狭窄区域は、気流導管の下流エリア１４０２、すなわち、ドライパウダー薬剤が放出される気流導管の場所(例えば、投与チャンバと接する個所、あるいは出口通路内)には位置しない、これは、投与チャンバの圧力低下(低い断面積によって引き起こされうる)は、粉末を投与チャンバからフローチャネルに引き込むために、必要ではないからである。
【０２６３】
狭窄区域を除く、気流導管の断面積は、一定であってもよく、又は気流導管の長さ沿いに変わってもよい；例えば、約４０ｍｍ2〜約１２０ｍｍ2、又は約４０ｍｍ2〜約１００ｍｍ2、又は約５０ｍｍ2〜約１００ｍｍ2である。図３７は、以下の断面積を有する５つの横断面１〜５の例を示す。横断面１＝０．０８４０ｉｎ2(５４．２２０４ｍｍ2)；横断面２＝０．０８５８ｉｎ2(５５．３７９０ｍｍ2)；横断面３＝０．０８５４ｉｎ2(５５．０８８９ｍｍ2)；横断面４＝０．１０５４ｉｎ2(６７．９８２４ｍｍ2)；横断面５＝０．０９７４ｉｎ2(６２．８３５９ｍｍ2)。横断面の形状は、気流導管の長さ沿いに変わってもよい；例えば、横断面は、円形、楕円形、長方形などでもよい。ある実施形態によれば、投与チャンバと排気口との間に配置された出口通路部分は、吸気口と投与チャンバとの間に配置された気流導管(狭窄区域を除く)の平均断面積よりも大きい平均断面積を有する；例えば、出口通路は、少なくとも７５ｍｍ2、又は約７５ｍｍ2〜約１００ｍｍ2の平均断面積を有し、他方、吸気口と投与チャンバとの間に配置された気流導管(狭窄区域を除く)の平均断面積は、少なくとも５０ｍｍ2、又は約５０ｍｍ2〜約７０ｍｍ2であってもよい。
【０２６４】
狭窄区域は、好ましくは、気流導管の最小断面積を有する。狭窄区域を除く気流導管の残りの部分は、好ましくは、狭窄区域(狭窄区域の最上部から狭窄区域の最下部までを含む)の平均断面積よりも大きい最小断面積を有する。ある実施形態によれば、狭窄区域を除く気流導管の最小断面積は、狭窄区域の最小断面積より、少なくとも１．７５Ｘ(すなわち、１．７５倍)、少なくとも約２Ｘ(すなわち、２倍)、又は少なくとも約２．５Ｘ、又は少なくとも約３Ｘ、又は少なくとも約３．５Ｘ、又は少なくとも約４Ｘ、又は少なくとも約４．５Ｘ、又は少なくとも約５Ｘ大きい。例えば、狭窄区域の最小断面積は、約１８ｍｍ2〜約３０ｍｍ2、又は約２０ｍｍ2〜約２５ｍｍ2であってもよく、狭窄区域を除く気流導管の最小断面積は、約４０ｍｍ2〜約１００ｍｍ2、又は約５０ｍｍ2〜約９０ｍｍ2であってもよい。気流導管の断面積は、その長さ沿いに変わってもよい。ある実施形態によれば、狭窄区域を除く気流導管の断面積は、その長さ沿いに、少なくとも約４０ｍｍ2、又は少なくとも約４５ｍｍ2、又は少なくとも約５０ｍｍ2の断面積；例えば、約４０ｍｍ2〜約１５０ｍｍ2、又は約４０ｍｍ2〜約１２０ｍｍ2、又は約４０ｍｍ2〜約１００ｍｍ2、又は約５０ｍｍ2〜約１５０ｍｍ2、又は約５０ｍｍ2〜約１２０ｍｍ2、又は約５０ｍｍ2〜約１００ｍｍ2の範囲にわたる断面積であってもよい。
【０２６５】
以下により詳細に記載するように、ある実施形態によれば、気流導管の上流エリア１４０１(すなわち、投与チャンバの開口部(単数又は複数)からドライパウダー薬剤が放出される気流導管の場所より上流)は、上部流路１１８０の少なくとも一部を含む；例えば、上部流路の第一行程１１８４(投与チャンバの上側に配置された第一行程軸１１８５を有する)を含む。上流エリア１４０１の上部流路１１８０は、好ましくは、吸気口、狭窄区域、及び流量センサ又は流量センサと流体連通している開口のどちらかを含む。本明細書でより詳細に記載するように、任意で、上部流路１１８０は、さらに、第二行程１１８６、及び第三行程１１８８の少なくとも一部を含んでもよい(すなわち、投与チャンバの上方に配置された第三行程１１８８の一部は、上部流路に配置されてもよく、他方、第三行程の下方部分は、気流導管の下流エリア内に延びてもよい)。吸入器内の投与チャンバの配置次第で(例えば、気流が、第二行程及び第三行程を経て、投与チャンバの最上部付近に向かう必要があるかどうかにより)、気流導管が、第二行程と第三行程を含むことが好ましい場合がある。気流導管の下流エリア１４０２(すなわち、ドライパウダー薬剤が投与チャンバから放出される気流導管の場所)は、好ましくは出口通路１１８２内に配置されている。
【０２６６】
ある実施形態によれば、本発明の吸入器は、ブリスターから薬剤を受け取るように構成された投与チャンバであって、投与チャンバ軸の周囲に配置された投与チャンバ；投与チャンバに対面しているトランスデューサであって、トランスデューサが作動すると薬剤をエアロゾル化するように構成されているトランスデューサ；出口通路軸の周囲に配置されており、トランスデューサの作動に応答して、エアロゾル化された薬剤が、投与チャンバから、出口通路を通じて、ユーザーに送達されるよう、投与チャンバに流体連通されている出口通路；及び出口通路と流体連通している上部流路であって、出口通路軸を横断する第一行程軸の周囲に配置された第一行程を含む上部流路；を含む。好ましくは、出口通路は、出口通路表面へのエアロゾル化薬剤の蓄積を最小化するように構成される。
【０２６７】
別の実施形態によれば、薬剤送達装置は、ドライパウダー薬剤を含むように構成された内部を有する投与チャンバ；投与チャンバ軸の周囲に配置された投与チャンバ；投与チャンバに対面しているトランスデューサであって、投与チャンバとトランスデューサは、好ましくは音響的に共振性であり、投与チャンバはトランスデューサの作動に応じて共振するよう構成されている；及び吸気口から排気口へと延びる気流導管；を含む。気流導管は、好ましくは、(ｉ) 投与チャンバからドライパウダー薬剤が放出される気流導管の場所よりも上流に位置する上流エリア、及び(ii) 投与チャンバからドライパウダー薬剤が放出される気流導管の場所よりも下流に位置する下流エリアを含み、下流エリアは、排気口と、出口通路軸の周囲に配置された出口通路とを含んでいる。上流エリアは好ましくは、吸気口と、上部流路(出口通路と流体連通している)の第一行程とを含み、第一行程は、出口通路軸と投与チャンバ軸の両方を横断する第一行程軸の周囲に配置されている。本明細書に記載するように、気流導管は、好ましくは、約３０Ｌ／分(ＬＰＭ)の流量で、約０．０４０ｃｍＨ2Ｏ0.5／ＬＰＭ〜約０．１ｃｍＨ2Ｏ0.5／ＬＰＭの流れ抵抗を提供する。
【０２６８】
ある実施形態によれば、出口通路長さに対する第一行程長さの比は、約０．６〜約０．９である。ある実施形態によれば、上部流路は、第一行程に流体連通している第二行程を含む。好ましくは、第二行程は、第二行程軸の周囲に配置され、第二行程軸は、第一行程軸を横断し、屈曲部が第一行程を第二行程につなげている。ある実施形態によれば、上部流路は、第二行程に流体連通している第三行程を含む。好ましくは、第三行程は、第三行程軸の周囲に配置され、第三行程軸は、第二行程軸を横断し、第一行程軸と平衡である。
【０２６９】
ある実施形態によれば、気流導管は、第一行程、第二行程、第三行程、及び出口通路を含み、これらは、送達装置を通じてユーザーに空気を運ぶための経路を提供する(例えば、吸気口から排気口／マウスピースへ)。ある実施形態によれば、上部流路は、第一行程、第二行程、及び第三行程を含む。ある実施形態によれば、空気は、吸入により上部流路を通って流れる。ある実施形態によれば、上部流路を通って流れる空気は、出口通路においてエアロゾル化された薬剤と混合され、混合された空気と薬剤がユーザーに送達される。ある実施形態によれば、第一行程、第二行程、及び第三行程はそれぞれ、異なる長さを有する。
【０２７０】
ある実施形態によれば、上部流路と出口通路は、約３０Ｌ／分(ＬＰＭ)の流量で、約０．０４０ｃｍＨ2Ｏ0.5／ＬＰＭ〜約０．１ｃｍＨ2Ｏ0.5／ＬＰＭ、又は約０．０４０ｃｍＨ2Ｏ0.5／ＬＰＭ〜約０．０９０ｃｍＨ2Ｏ0.5／ＬＰＭ、又は約０．０５０ｃｍＨ2Ｏ0.5／ＬＰＭ〜約０．１ｃｍＨ2Ｏ0.5／ＬＰＭ、又は約０．０５０ｃｍＨ2Ｏ0.5／ＬＰＭ〜約０．０９０ｃｍＨ2Ｏ0.5／ＬＰＭ、又は約０．０４０ｃｍＨ2Ｏ0.5／ＬＰＭ〜約０．０８５ｃｍＨ2Ｏ0.5／ＬＰＭ、又は約０．０５０ｃｍＨ2Ｏ0.5／ＬＰＭ〜約０．０８５ｃｍＨ2Ｏ0.5／ＬＰＭ、又は約０．０６０ｃｍＨ2Ｏ0.5／ＬＰＭ〜約０．０８５ｃｍＨ2Ｏ0.5／ＬＰＭの合成流れ抵抗を有するように構成される。
【０２７１】
ある実施形態によれば、湾曲部が、出口通路を第一行程につなげる。好ましくは、湾曲部は、投与チャンバの上方に位置する。湾曲部は、好ましくはＳ字形状の湾曲部である。ある実施形態によれば、投与チャンバ軸によって規定される平面は、第一行程軸によって規定される平面と、第三行程軸によって規定される平面との間にある。ある実施形態によれば、ブリスターはブリスター軸の周囲に配置されており、この際、第一行程はブリスターの上方に位置し、第一行程軸はブリスター軸からオフセットされる。好ましくは、ブリスター軸と第一行程軸は平行である。
【０２７２】
ある実施形態によれば、トランスデューサが作動されると、トランスデューサは運動軸に沿って動き、運動軸は出口通路軸に平行である。ある実施形態によれば、第一行程は、吸気口(ユーザーによる吸入によって、そこを通じて空気が装置に入る)を含む。ある実施形態によれば、出口通路軸は、投与チャンバの頂部と同軸であり、第三行程軸は、出口通路軸に対して実質的に垂直である。ある実施形態によれば、出口通路軸は、第二行程軸に平行であり、第一行程軸は第三行程軸に平行であり、第三行程軸は、出口通路軸に実質的に垂直である。吸入器の部品の相対的な配置の実施形態、及び気流導管の実施形態が、図面を参照して以下により詳細に記載される。
【０２７３】
いくつかの実施形態において、吸入器１００は、吸入器を通って流れる空気の経路を提供するように構成された気流導管１１９５を含む。ある実施形態によれば、気流導管１１９５は、エアロゾル化された薬剤が、気流導管を通って流れる空気にピックアップされ、ユーザーに送達されるように、投与チャンバ１１２２と流体連通している。図１８は、吸入器１００の前方部１０１の線１８−１８(図１７に最もよく示される)断面図である。ある実施形態では、気流導管１１９５は、第一行程１１８４、第二行程１１８６、及び第三行程１１８８を含む上部流路１１８０を含む。第一行程１１８４、第二行程１１８６、及び第三行程１１８８は、それぞれ、第一行程軸１１８５、第二行程軸１１８７、及び第三行程軸１１８９を有していてもよい。ある実施形態によれば、気流導管１１９５は、吸入器１００を使用している最中に製剤の沈着をもたらしうる流れ停滞領域を避けるように構成されている(例えば、設計、材質、寸法)。例えば、気流導管の設計は、滑らかな穴を含んでもよく、薬剤が吸入器を出るときに薬剤を捕捉しうる材質又は物理的特徴は回避されうる。気流導管１１９５は、製剤堆積の可能性を減らすため、帯電防止特性を有する材質から製造されてもよい。ある実施形態では、前方部１０１の背面カバー１１７４は、第一行程１１８４の一部を含む。ある実施形態では、第一行程カバー１１７５は、第一行程１１８４の裏面を含み、第一行程カバー１１７５は、前方部１０１の背面カバー１１７４の上部に位置する。
【０２７４】
いくつかの実施形態では、吸入器１００は、ユーザーが装置を通じて吸引を行うのを検知する流量センサ１２７８を含む。いくつかの実施形態において、センサ１２７８は、コントローラに信号を送り、ブリスターストリップを前進させる及び／又はトランスデューサを作動せて、ブリスター１３０からの薬剤をエアロゾル化する。ある実施形態では、センサ１２７８は、吸入器１００を通過する気流を検出するように構成され、センサは、吸気又は呼気事象のどちらか又は両方による気流を検出するように構成される。ある実施形態では、センサは、吸気と呼気を識別するように構成される。第一行程１１８４は、ある例では、気流導管１１９５(又は上部流路１１８０)と流量センサ１２７８(流量センサは図３１に最もよく表される)との間を流体連通する開口１１９０を含む。ある実施形態では、開口１１９０は、上部流路１１８０を通って流れる空気が、気流導管１１９５に薬剤が導入される位置を通過する前に、開口１１９０の位置を通過するように配置され、薬剤が、流量センサのオペレーションに干渉するのを防ぐ。上述したように、吸入器１００の一実施形態は、岩棚部１１９４(図１９に最もよく表される)を有する前方部１０１のカバー１１９２を含み、この岩棚部は、第一行程１１８４の断面積を減らし、気流導管１１９５にわたる流れ抵抗を増加させ、それゆえ、流量センサ１２７８による圧力変化の検出を可能にする。
【０２７５】
ある実施形態では、吸入器の流れ抵抗は、約３０Ｌ／分(ＬＰＭ)の流量で、約０．０４０ｃｍＨ2Ｏ0.5／ＬＰＭ〜約０．１ｃｍＨ2Ｏ0.5／ＬＰＭ、又は約０．０４０ｃｍＨ2Ｏ0.5／ＬＰＭ〜約０．０９０ｃｍＨ2Ｏ0.5／ＬＰＭ、又は約０．０５０ｃｍＨ2Ｏ0.5／ＬＰＭ〜約０．１ｃｍＨ2Ｏ0.5／ＬＰＭ、又は約０．０５０ｃｍＨ2Ｏ0.5／ＬＰＭ〜約０．０９０ｃｍＨ2Ｏ0.5／ＬＰＭ、又は約０．０４０ｃｍＨ2Ｏ0.5／ＬＰＭ〜約０．０８５ｃｍＨ2Ｏ0.5／ＬＰＭ、又は約０．０５０ｃｍＨ2Ｏ0.5／ＬＰＭ〜約０．０８５ｃｍＨ2Ｏ0.5／ＬＰＭ、又は約０．０６０ｃｍＨ2Ｏ0.5／ＬＰＭ〜約０．０８５ｃｍＨ2Ｏ0.5／ＬＰＭである。流れ抵抗は、既知の方法、例えば、実施例２に記載する方法によって測定することができる。ある実施形態では、第一行程１１８４は、背面カバー１１７４の頂部正面斜視図を示している図２０に最もよく表されるように、幅１２０２と奥行１２０４を有する。第一行程１１８４は、吸入口(ユーザーが吸入すると、空気がそこを通って装置に入る)を提供するため、所望の横断面形状(例えば、円、矩形、楕円)を有していてもよい。ある実施形態では、第一行程１１８４において、上部流路の吸気口１１９１から第二行程軸１１８７への距離は、約１３ｍｍ〜約１８ｍｍである。ある実施形態では、第一行程１１８４は、出口通路１１８２に対して傾斜しているか垂直であり、出口通路に流体連通している。
【０２７６】
上部流路１１８０は、第二行程１１８６を含み、いくつかの実施形態において、この第二行程は、第一行程１１８４の遠位部から、第三行程１１８８の近位部へ気流を向け直すために構成されており、これにより、気流導管１１９５は、ユーザーが吸入器１００を使用している間、ユーザーがインジケータ５５４を観察できる十分な長さを有する。図１８を参照すると、第一行程１１８４と第二行程１１８６との間の移行部は、第一行程の屈曲部１１９６を含むように構成されており、これは、空気が第一行程と第二工程との間を動くとき、流れ抵抗を減じるか最小化し、層流を促進する。ある実施形態では、屈曲部１１９６は、丸み、楕円の一部、又は、第一行程１１８４と第二行程１１８６との間をスムーズに移行させる他の形状を含む。ある実施形態では、背面カバー１１７４は、第二行程１１８６の第一部分を含む。ある実施形態では、ハウジング１１０２は、屈曲部１１０８(図１２と１８に最もよく表される)を含み、これは前方部１０１の中間部材１２０６と共同して、第二行程１１８６の第二部分を含む。ある実施形態では、屈曲部１１０８は、丸み、楕円の一部、又は、第二行程と第三行程との間を移行させる他の形状を含む。ある実施形態では、第二行程１１８６は、第一行程１１８４に対して傾斜しているか垂直である。ある実施形態では、第二行程１１８６は、第一行程１１８４に対して垂直である。ある実施形態では、第二行程１１８６は、第一行程１１８４と類似した横断面形状(図２１に最もよく表される)を有する。ある実施形態では、上部流路１１８０の各行程は、たとえ上部流路の１又は複数の行程(又は部分)が異なる形状を有していても、各横断面において、同一又は類似の断面積を有する。ある実施形態では、上部流路１１８０の各行程は、同じ平均断面積を有する。ある実施形態では、上部流路１１８０の各行程は、均一な横断面を有する。ある実施形態では、上部流路１１８０の各行程は、均一な横断面を有し、上部流路はその長さに沿って実質的に均一な横断面を有する。上部流路にわたる一貫した断面積は、上部流路を通る層状の気流を促進し得る。あるいは、上部流路の断面積は、その長さに沿って変化してもよく、しかし、最小断面積が、例えば、少なくとも約４０ｍｍ2、少なくとも約５０ｍｍ2、又は少なくとも約６０ｍｍ2ある限り、層状気流はなお促進される。ある実施形態では、第二行程１１８６の平均断面積は、第一行程１１８４の平均断面積とは異なる。図２２は、図１７の線２２−２２に沿った、前方部１０１の横断面図を示し、第二行程１１８６の上から見た図を示す。ある実施形態では、第二行程１１８６は、第一行程軸１１８５と第三行程軸１１８９との間の距離として測定される、約７ｍｍ〜約１２ｍｍの長さを有する。ある実施形態では、第二行程１１８６の長さは、第一行程１１８４の長さの約５０％〜約６０％である。
【０２７７】
図１８に図示されている上部流路１１８０の第三行程１１８８は、第二行程１１８６と出口通路１１８２を接続し、空気と薬剤をユーザーに送達する。ある実施形態では、ハウジング１１０２の屈曲部１１０８は、第二行程１１８６と第三行程１１８８との間の移行部を含む。ある実施形態では、第二行程１１８６と第三行程１１８８は、まとめて単一の湾曲部となり、第一行程１１８４を出口通路１１８２に接続する。単一の湾曲部は、第一行程１１８４と出口通路１１８２(互いに横断する)を接続するＳ字状湾曲部であってもよい。中間部材１２０６の上方屈曲部１２００は、第二行程１１８６と第二行程１１８６との間の移行部の他方を形成するように構成される。ある実施形態では、屈曲部１１０８の丸みは、上方屈曲部１２００の丸みと等しい。ある実施形態では、屈曲部１１０８の丸みは、上方の第一行程の屈曲部１１９６の丸みと等しい。ある実施形態では、第一行程屈曲部１１９６、屈曲部１１０８、上方屈曲部１２００の丸みはそれぞれ同じである。ある実施形態では、第三行程１１８８は、第二行程軸１１８７から出口通路軸１２１０までの距離として測定される、約１０ｍｍ〜約１５ｍｍの長さを有する。ある実施形態では、第二行程１１８６の長さに対する第三行程１１８８の長さの比は、約１．０〜約１．５である。ある実施形態では、第一行程１１８４の長さに対する第三行程１１８８の長さの比は、約０．５〜約１．０である。ある実施形態では、第三行程１１８８は、第一行程１１８４又は第二行程１１８６のどちらかと同様の横断面形状(図１７の線２３−２３に沿った前方部１０１の横断面を示す図２３に最もよく表される)を有する。ある実施形態では、第三行程１１８８は、第一行程１１８４と平行である。ある実施形態では、第三行程１１８８は、第二行程１１８６に対して、傾斜しているか垂直である。ある実施形態では、第三行程１１８８は、出口通路１１８２に対して、傾斜しているか垂直である。
【０２７８】
図１８に図示される気流導管１１９５の出口通路１１８２は、投与チャンバ１１２２と直線状に並んでおり、気流導管１１９５を通って流れる空気の通路を提供し、投与チャンバからのエアロゾル化された薬剤が混合され、マウスピースを通じてユーザーに送達される。ある実施形態では、第三行程１１８８と出口通路１１８２との間の移行部は、出口通路の上方屈曲部１２１２と出口通路の下方屈曲部１２１４を含む。中間部材１２０６は、出口通路の上方屈曲部１２１２を含む。ハウジング１１０２の上部表面１１０４は、出口通路の下方屈曲部１２１４を含む。ある実施形態では、第三行程１１８８と出口通路１１８２との間の移行部は、比較的広い第三行程から比較的狭い出口通路への移行部として、凸面屈曲部を含む。ある実施形態では、出口通路１１８２は、約２０ｍｍ〜約２５ｍｍの長さを有する。ある実施形態では、出口通路１１８２は、気流導管１１９５の長さの約３０％〜約３５％を有する。ある実施形態では、出口通路１１８２は、直径約８ｍｍ〜約１３ｍｍの円形横断面(図２４に最もよく表される)を有する。ある実施形態では、出口通路１１８２の長さと、第二行程１１８６の長さは、吸入器１００の使用中に(例えば、ユーザーの口にマウスピース１２１６がある間)、ユーザーがインジケータ５５４(図５Ｂに最もよく表される)を視覚的に観察することを可能にする長さである。インジケータ５５４は、ＬＥＤインジケータであってもよく、ユーザーに吸入に関する信号を提供してもよい。例えば、インジケータ５５４は、ユーザーに、吸入を続ける、吸入を止める、より強く吸入するなどを示すために、点滅してもよく、色を変えてもよく、点滅パターンを変えてもよく、強度を変えてもよく、テキストを表示するなどしてもよい。ある実施形態では、出口通路１１８２は、トランスデューサが作動すると、エアロゾル化された薬剤が、投与チャンバから出口通路を通って送達されるように、開口部１１４８を経て投与チャンバ１１２２に流体連通していてもよい。
【０２７９】
いくつかの実施形態では、出口通路と投与チャンバは、投与チャンバから出てきて出口通路を通るエアロゾル化薬剤の層流を促進するために配置される。図１８の気流導管１１９５の出口通路１１８２において、出口通路は、好ましくは、エアロゾル化された薬剤が、出口通路の表面と接触するのを抑制又は防止する幅と、たとえ気流導管を通る気流が小さい場合でも、投与チャンバ内で生じたシンセティックジェットが薬剤を出口通路の外へ運ぶことを可能にする長さを有する。ある実施形態では、出口通路軸１２１０と投与チャンバ軸１１２４は同軸又は平行である。ある実施形態では、出口通路軸１２１０と、投与チャンバ１１２２の開口部１１４８の一つは、同軸である。出口通路軸１２１０と投与チャンバ軸１１２４の配置は、吸入器１００の使用中に、薬剤の沈着を減らす又は取り除くのを助けうる。ある実施形態では、出口通路軸１２１０と投与チャンバ軸１１２４は、一つの平面内で、互いからオフセットされる。ある実施形態では、出口通路軸１２１０と投与チャンバ軸１１２４は、平行であり、互いからオフセットされる。ある実施形態では、出口通路軸１２１０と投与チャンバ軸１１２４は、互いに交わる。ある実施形態では、出口通路軸１２１０と第一行程軸１１８５は、互いに垂直である。ある実施形態では、出口通路軸１２１０と第二行程軸１１８７は平行であり、出口通路の長さは、エアロゾル化された薬剤を効率的に送達するよう構成され(以下に説明するように)、他方吸入器は、吸入器１００の使用中に、ユーザーがインジケータ５５４を視覚的に観察することを可能にするのに十分な長さの全長を有する。ある実施形態では、投与チャンバ１１２２は、二以上の開口部１１４８を含む。
【０２８０】
ある実施形態では、カバー１１９２は、マウスピース１２１６を含む。マウスピース１２１６は、図２４に最もよく表されるように、吸入器１００の前方部１０１のカバー１１９２と一体化されていてもよい。マウスピース１２１６は、マウスピース１２１６が、出口通路１１８２からの気流をブロックしないように、出口通路１１８２の横断面形状と同様の形状の内部開口部１２１８を有するように構成される。ある実施形態では、マウスピース１２１６は、吸入器１００の使用中、マウスピースがユーザーの口になじむよう、楕円形の外形１２２０(あるいは、正方形、円、三角形、又は他の所望の形状)を有する。ある実施形態では、内部開口部１２１８は、リム１２２２を含み(図１８に最もよく表される)、これは楕円形外形１２２０に対してくぼんでいる。いくつかの実施形態では、マウスピース１２１６は、ユーザーが吸入器を使用する際、鼻を通じて呼吸できるように、鼻での使用に適している。ある実施形態では、マウスピースは、マウスピースがユーザーの鼻を覆うか、又はユーザーの鼻孔に挿入又は当接するように構成されてもよい(例えば、そのような大きさ又は形状を有する)。ある実施形態では、ユーザーは、その後、本明細書に記載の方法で吸入器を使用するために、鼻を通じて呼吸してもよい。ある実施形態では、マウスピース１２１６は、ユーザーが吸入器を使用するために、鼻と口の一方又は両方を通じて呼吸できるように、ユーザーの口と鼻を覆ってもよい；あるいは、ユーザーが、鼻と口の一方又は両方を通じて呼吸できるように、マウスピースの上にマスクを取り付けてもよい。
【０２８１】
本発明の薬剤送達装置は、振動エレメント(例えば、トランスデューサ)のための実装システムを含む。吸入器のハウジングに振動エレメントを連結させ、振動エレメントに十分な圧力を与え、その機械的及び音響的エネルギーをブリスターに伝える一方、振動エネルギーを弱めるほど大きな圧力を与えない、適切な実装システムを開発する間に、複数の課題に直面した。圧電トランスデューサは、例えば、振動性出力を妨げず、大量生産に適合し、且つ、取り外し可能なカートリッジが取り付けられていない時に吸入器内で保持できる方法で、吸入器に取り付けられるべきである。本発明の実装システムは、振動の減衰を防止するために、トランスデューサのハウジングとの接触を最小化するように設計される。好ましい実施形態によれば、渦巻波バネ(spiral wave spring)は、低プロファイルと合理的な低ばね定数により力を提供し、スペースを節約し、妥当なロバスト性を可能にする；例えば、コイルバネは、通常、同量の力を提供するために、より大きな長さを必要とする。トランスデューサ実装システムは、吸入器の使用寿命にわたって、十分なプリロード(pre-load)力を維持しながら、カートリッジが取り付けられていないときに、トランスデューサをその場に保持することを可能にする。
【０２８２】
ある実施形態によれば、吸入器は、ハウジング；薬剤を受け取るように構成された投与チャンバ；投与チャンバに対面しており、トランスデューサが作動したときに、薬剤をエアロゾル化するように構成されたトランスデューサ；トランスデューサをハウジングに固定するために構成されたホルダー；及びホルダーとハウジングとの間の付勢要素；を含む。
【０２８３】
別の実施形態によれば、薬剤送達装置は、ハウジング；ドライパウダー薬剤を含むように構成された投与チャンバ；投与チャンバに対面しているトランスデューサであって、投与チャンバとトランスデューサは、好ましくは音響的に共振性であり、投与チャンバはトランスデューサの作動に応じて共振するよう構成されている；及びトランスデューサ装着アセンブリ；を含む。トランスデューサ装着アセンブリは、好ましくは、(ｉ)トランスデューサをハウジングに固定するために構成されたホルダー、及び(ii)ホルダーとハウジングとの間に配置された付勢要素を含む。付勢要素は、トランスデューサが作動すると、振動エネルギーをトランスデューサから投与チャンバに伝え、それによりドライパウダー薬剤がエアロゾル化され、シンセティックジェットを経て投与チャンバから送達されるのに十分な力で、トランスデューサを投与チャンバに押し付ける(例えば、投与チャンバは、シンセティックジェットと機械的振動から明らかなように、音響エネルギーと共振する)。ホルダーは、付勢要素が、トランスデューサと相互作用するためのさらなる表面積を提供する；例えば、付勢要素がバネである場合、バネは、トランスデューサを投与チャンバに十分に押し付けるほどトランスデューサと接触する十分な表面積を有さないかもしれない。好ましくは、トランスデューサの外表面積の半分未満が、ホルダーと接触している。
【０２８４】
好ましい実施形態によれば、サブアセンブリは、トランスデューサを装置内のある場所に、厳密に固定するように構成されていない一方、トランスデューサ面と、投与チャンバの裏(例えば、投与チャンバ・ハウジング１１０２の外表面１１３４)との密接な接触を確実に維持するのに役立つ。この方法では、トランスデューサ面が投与チャンバの裏とわずかに位置ずれしている場合、トランスデューサには、付勢要素によって、適所に押し戻されるのに十分な動きの自由があり、それにより、トランスデューサ面と投与チャンバの裏(例えば、膜を有している)は、実質的に同一平面に保持される。本明細書に記載するように、投与チャンバ・ハウジング１１０２の裏部は、下方側壁１１２６の下部を形成するクラウン１１３５を含んでもよい。ある実施形態では、クラウン１１３５は、ハウジング１１３２の下面１１３７から突き出すように構成されている(図１３及び１６に最もよく表される)。ある実施形態によれば、サブアセンブリは、トランスデューサ面を、投与チャンバの裏に押し付け、それゆえ、トランスデューサ面の少なくとも外側部が、投与チャンバ・ハウジングのクラウン１１３５に押し付けられ、トランスデューサ面の内側部が、クラウン１１３５に連結している膜１１６６に押し付けられてもよい。サブアセンブリは、好ましくは、トランスデューサと投与チャンバの同心度を制約する、すなわち、トランスデューサ面と、投与チャンバの外表面は実質的に同心であり、投与チャンバ軸は、トランスデューサ対称軸と実質的に同軸となり、例えば、トランスデューサ面と投与チャンバの裏(例えば、クラウン１１３５)は、実質的に同心である。トランスデューサ装着アセンブリは、好ましくは、装着アセンブリ対称軸の周囲に配置されており、これは、投与チャンバ軸１１２４とトランスデューサ対称軸とも実質的に同軸である。
【０２８５】
物体が別の物体に取り付けられると、構造物の全体的な質量が変わるため、その物体の音響共振が変化することは周知である。好ましくは、トランスデューサの外表面積の半分未満が、ホルダーと接触しており、より好ましくは、トランスデューサの外表面積の１／３未満が、ホルダーと接触している。例えば、トランスデューサは、図２５に示すように、円柱状の形状であってもよく、その外表面積は前面(すなわち、トランスデューサ面１２８４)、円柱本体表面１２８２と、前面の反対側の裏面を含んでいる。好ましい実施形態によれば、トランスデューサの裏面のみ、又はその一部が、ホルダーと物理的に接触する。あるいは、円柱本体表面のごく一部も、ホルダーと接触してよいが、ホルダーと接触するのはなお、トランスデューサの外表面積の半分未満である。ホルダーと接触しているトランスデューサの表面積量を最小化することによって、トランスデューサの振動性出力に対する減衰効果も最小化される。好ましくは、ホルダーと付勢要素の質量は、それらがトランスデューサからの振動エネルギーの出力を弱めないほど十分に小さい。好ましくは、ホルダーと付勢要素とを含むトランスデューサ装着アセンブリは、トランスデューサが作動すると、振動する(例えば、トランスデューサ運動軸１２９８と平行に)。
【０２８６】
好ましくは、トランスデューサ装着アセンブリは、トランスデューサを投与チャンバに押し付け、これは、十分な力と、振動エネルギーの出力に対する最小の減衰効果を伴い、ドライパウダー薬剤(本明細書に記載した好ましい範囲のＭＭＡＤ，例えば約６μｍ以下、好ましくは、本明細書に記載した好ましい範囲の微粒子画分，例えば少なくとも３０％を有する)のエアロゾル化と送達を引き起こす。最大シンセティックジェットは、好ましくは、本明細書に記載の時間の範囲内、例えば、トランスデューサ作動の開始から約５００ｍｓ以下で達成される。
【０２８７】
好ましくは、付勢要素は、約１．０ｌｂ／ｉｎ(０．１８ｋｇ／ｃｍ)〜約４．０ｌｂ／ｉｎ(０．７１ｋｇ／ｃｍ)のばね定数を備えるように構成される。ある実施形態によれば、投与チャンバの高さに対するホルダーの高さの比は、約２〜約３．５である。
【０２８８】
ある実施形態によれば、ホルダーは、近位末端、遠位末端、及び近位末端から遠位末端へと延びる側壁を有し、前記側壁は、トランスデューサを受け入れるために構成される収容部を形成している。ある実施形態によれば、吸入器はさらに、トランスデューサをホルダーに連結するために構成された取付具を有する。ある実施形態によれば、ハウジングは、ホルダーをハウジングに固定するために構成されたアームを含む。好ましくは、前記ホルダーは、側壁開口部を含み、ハウジングは、ハウジングから離れて延びる第一部分、及び第一部分から離れて延びる第二部分を有するアームを含み、第二部分は主にハウジングに平行であり、第二部分は、側壁開口部内に位置している。ある実施形態によれば、吸入器はさらに、ハウジングから離れて延びる隆起部を含み、隆起部は、ホルダーの少なくとも一部を受けるように構成された受入領域を形成している。
【０２８９】
ある実施形態によれば、吸入器は側壁から延びるへりをさらに含み、ホルダーがハウジングに固定されているとき、ヘリは隆起部に接触している。好ましくは、ヘリはヘリ厚みを有し、ホルダーはホルダー高さを有し、ホルダー高さに対するへり厚みの比は、０．０７〜０．１２である。
【０２９０】
ある実施形態によれば、付勢要素は、ホルダーがハウジングに固定されているとき、受入領域内に位置する。好ましくは、付勢要素は、少なくとも、コイルバネ、板バネ、渦巻波バネ、及びベローズバネ(bellows spring)の少なくとも１つを含む。ある実施形態によれば、投与チャンバの高さに対するホルダーの高さの比は、約２〜約３．５、又は約１〜約２である。ある実施形態によれば、ヘリはヘリ厚みを有し、ホルダーはホルダー高さを有し、ホルダー高さに対するへり厚みの比は、０．０７〜０．１２である。
【０２９１】
図２５〜２７を参照すると、吸入器１００は、以下により詳細に説明するように、吸入器のエネルギー共役を増強するためにトランスデューサのわずかな動きを許容しながら、トランスデューサ１５０を吸入器１００内に固定するためのトランスデューサ実装システム１２２３を含む。ある実施形態では、トランスデューサ実装システム１２２３は、トランスデューサ１５０、トランスデューサホルダー１２２４、付勢要素１２３４を含む。実装システム１２２３は、好ましくは、前方部１０１(例えば、取り外し可能なカートリッジ)と後方部１０２(例えば、ベース)が互いから外れたときでも、トランスデューサ１５０を、吸入器１００の後方部１０２(又はハウジング)に固定するように構成されている。トランスデューサ実装システム１２２３は、トランスデューサ１５０の振動性出力の障害を減らす、最小化する、又は除去するために構成される。ある実施形態では、ホルダー１２２４は、側壁を有する本体１２２６を有し、この側壁には、側壁を貫通する固定用開口部１２２８と配線用開口部１２３０が設けられている。ある実施形態では、固定用開口部１２２８と配線用開口部１２３０は、同じ大きさ、形状、配向などを有し、及び開口部１２２８と１２３０は、ホルダー１２２４の周囲に等距離間隔で配置されている。ある実施形態では、固定用開口部１２２８は、配線用開口部１２３０より大きい。ある実施形態では、フランジ１２３２は、本体１２２６から離れて延び、付勢要素１２３４(例えば、板バネ、渦巻波バネ、ピストン、弾性材料)のための係合表面を提供し、吸入器１００の使用中に、トランスデューサ１５０の位置を維持する。ある実施形態では、フランジ１２３２は、本体１２２６の全周にわたって広がる。ある実施形態では、フランジ１２３２は、本体１２２６の一部の周りに広がる１又は複数の部分を有する。フランジ１２３２は、本体１２２６と同じ形状(例えば、円、矩形、多角形、ランダム)を有していてもよいが、フランジ１２３２が本体１２２６の周囲に広がるよう、本体１２２６より大きくてもよい。
【０２９２】
ある実施形態では、フィンガー１２３６が、フランジ１２３２から延びて、ホルダー１２２４を後方部１０２に整合させる。例えば、フィンガー１２３６は、ホルダーの中心軸の周囲をホルダー１２２４が回転することを防ぐために、ハウジングの突出部又は他の要素と接触してもよい(この回転は、配線(図示せず)を、トランスデューサ実装システム１２２３のホルダー１２２４又は他の要素と干渉させる可能性がある；例えば、配線が巻きつくことによって)。ホルダー１２２４は、最上部１２３８を有し、この最上部は１又は複数の貫通孔１２４０を有しており、この孔により、トランスデューサ１５０のリード１２４１が、最上部１２３８を通過し、トランスデューサが、最上部１２３８の上に乗る(図２７に最もよく表される)。本体１２２４は、トランスデューサ１５０に、活性化信号を提供しうるプリント回路基板(ＰＣＢ)１２４２を受け入れる中空部分を有する。ある実施形態では、突起１２４４がホルダーの最上部１２３８の下面から延び、ＰＣＢ上の切欠き１２４６内に収まり、ホルダー１２２４に対するＰＣＢの位置合わせを維持する。本体１２２６は、ＰＣＢ１２４２を受け入れる空洞を規定する内面１２４６を含むように構成されている。ある実施形態では、保持部１２４８が、内面１２４６から半径方向内側に突き出て、保持部と、ホルダーの最上部１２３８の下面との間にＰＣＢを固定する。ある実施形態では、保持部１２４８は、ＰＣＢが保持部１２４８を通過する際に押し込まれ、ＰＣＢが通過した後は圧迫されていない状態に戻るように構成された、押圧可能なウェッジであり、ＰＣＢが逆の方向へ移動することを防ぐ。
【０２９３】
製造の間、トランスデューサ１５０は、リード１２４１が貫通孔１２４０を通って延び、ＰＣＢ１２４２がホルダー１２２４の空洞内に位置し、保持部１２４８によって固定されるように、配置されてもよい。ある実施形態では、リード１２４１は、ホルダー１２２４を吸入器１００の後方部１０２に固定する前又は後のいずれかに、配線用開口部１２３０を通して、ＰＣＢ１２４２にはんだ付けされる。ある実施形態では、リード１２４１は、ホルダー１２２４を後方部１０２に取り付ける前に、ＰＣＢ１２４２にはんだ付けされ、それゆえ、配線用開口部１２３０は省略されてもよい。ある実施形態では、ホルダー１２２４の内面１２４６は、吸入器１００の後方部１０２からの突出部(図示せず)を受け入れる凹部１２４９を有し、ホルダー１２２４を適切な位置にさらに固定する。付勢要素１２３４は、ホルダー１２２４の本体１２２６の下部１２５２(フランジ１２３２の下にある)を受け入れる空洞１２５０を含む。ある実施形態では、付勢要素１２３４は、約１．０ｌｂ／ｉｎ(０．１８ｋｇ／ｃｍ)〜約４．０ｌｂ／ｉｎ(０．７１ｋｇ／ｃｍ)のばね定数を有する。ある実施形態では、付勢要素１２３４は、約０．１インチ(２．５ｍｍ)〜約０．８インチ(２０．３ｍｍ)、又は約０．１インチ(２．５ｍｍ)〜約０．６インチ(１５．２ｍｍ)、又は約０．１インチ(２．５ｍｍ)〜約０．４インチ(１０．２ｍｍ)、又は約０．２インチ(５．２ｍｍ)〜約０．３インチ(７．６ｍｍ)の自由高さを有する。ある実施形態では、付勢要素１２３４は、約０．０７５インチ(１．９ｍｍ)〜約０．３インチ(７．６ｍｍ)、又は約０．１インチ(２．５ｍｍ)〜約０．２インチ(５．１ｍｍ)の作用高さを有する。ある実施形態では、約０．０７５インチ〜約０．３インチ(７．６ｍｍ)、又は約０．１インチ(２．５ｍｍ)〜約０．２インチ(５．１ｍｍ)の作用高さにて、スプリング力は、約０．２５ポンド(０．１１ｋｇ)〜約０．７５ポンド(０．３４ｋｇ)であってもよく、好ましいスプリング力は、約０．７５ｌｂ／ｉｎ(０．１３ｋｇ／ｃｍ)〜約５．０ｌｂ／ｉｎ(０．８９ｋｇ／ｃｍ)であり、より好ましくは、約１．０ｌｂ／ｉｎ(０．１８ｋｇ／ｃｍ)〜約４．０ｌｂ／ｉｎ(０．７１ｋｇ／ｃｍ)である。好ましくは、付勢要素は、ベースとカートリッジが取り付けられて一つとなり、トランスデューサ面が膜に押し付けられたとき、その自由高さから、その作用高さへと圧縮される。
【０２９４】
吸入器１００の後方部１０２は、内部構成部品を吸入器内に固定し、適切な位置に内部構成部品を固定するための係合形状を提供するために、シェル１２５４(又はカバー)を含む。図２８には、後方部１０２のシェル１２５４の一実施形態が示される。シェル１２５４は、ホルダーをシェル１２５４又はハウジングに固定するために、ホルダー１２２４の固定用開口部１２２８と係合するアーム１２５６を含むように構成されてもよい。ある実施形態では、アーム１２５６は、中間側壁１２６０(アーム１２５６をおおむね横断する)を伴うウェッジ形状のヘッド部１２５８を含む。アーム１２５６は、ヘッド部１２５８のウェッジ形状が、アームを内側にそらせ、アームがホルダー１２２４の内部空洞に入るように、フレキシブルに構成されている。ある実施形態では、アーム１２５６は、ヘッド１２５８が固定用開口部１２２８と整合すると、その変形前の状態にもどるように構成されている。ある実施形態では、中間側壁１２６０は、固定用開口部１２２８の縁に係合し、ホルダー１２２４が外れるのを防ぐように構成されている。ある実施形態では、２つが連結されたとき、ホルダー１２２４がシェルベース１２６２と接触せず、トランスデューサ１５０が振動するときに、ホルダーの縦方向の動きがいくぶん可能となるように、中間側壁１２６０とシェル１２５４との間の距離は、固定用開口部１２２８と本体１２２６の底面との間の距離よりも大きい。ある実施形態では、シェル１２５４は、アーム１２５６と隣接する突起部１２６４を含み、これは、ホルダーがシェル１２５４に連結されたとき、ホルダー１２２４の空洞部に少なくとも部分的に入る。ある実施形態では、突起部１２６４とアーム１２５６は、ホルダー１２２４の内面１２４６によって決まる形状と同様の、しかしわずかに小さい形状を形成し、シェルへのホルダーの位置合わせを維持する。ある実施形態では、隆起部１２６６は、シェルベース１２６２から上方へ伸びる。ある実施形態では、付勢要素１２３４及び／又はホルダー１２２４のための受入領域１２６８は、隆起部１２６６とアーム１２５６／突起部１２６４との間に空間を有する。ある実施形態では、シェル１２５４は、隆起部１２６６から延びるポスト１２７０を有する。ポスト１２７０は、ホルダー１２２４がポストのほうへ過度に動く場合、フランジ１２３２と接触するように構成されてもよい。ある実施形態では、ポスト１２７０は、フランジ１２３２と絶え間なく接触しており、ホルダー１２２４の動き(例えば、縦方向の動き)に摩擦抵抗を提供する。ある実施形態では、付勢要素１２３４は、受入領域１２６８の中に位置するように構成され、付勢要素１２３４の下部は、シェルベース１２６２と接触する。ある実施形態では、ホルダー１２２４は、アーム１２５６と突起部１２６４の周囲に位置するように構成され(図２９に最もよく表される)、上述したように、ヘッド部１２５８は固定用開口部１２２８内にあり、フランジ１２３２は付勢要素１２３４と接触する。ある実施形態では、固定用開口部１２２８は、ヘッド部１２５８よりわずかに広く、これによりトランスデューサが振動すると、トランスデューサが膜１１６６にフラッシュし続けるように、ホルダーのわず���な回転が可能になる。ある実施形態では、ホルダー１２２４がアーム１２５６に連結されたとき、付勢要素１２３４は圧縮されないか、又はその無強勢時の長さを保持する。ある実施形態では、付勢要素１２３４は、ヘッド部１２５８が固定用開口部１２２８内にあるとき、圧縮される。ヘッド部１２５８は、固定用開口部１２２８の下方領域のほうに配置されてもよく、トランスデューサ１５０が作動すると、ホルダー１２２４がヘッド部１２５８に対して垂直に動くことを可能にする。さらなる突起部(図示せず)が、シェルベース１２６２から突出してもよく、これはフィンガー１２３６を受け、ホルダー１２２４の回転による(あるいは他の)動きを防止する。ある実施形態では、アーム１２５６は、ホルダー１２２４が、アーム１２５６によって形成される輪の中にあり、ホルダー１２２４がベース１２６２に連結すると、ヘッド部１２５８がフランジ１２３２と係合するように、配置されてもよい。ある実施形態では、投与チャンバの高さに対するホルダー１２２４の高さの比は、約２〜約３．５である。ある実施形態では、ホルダー１２２４の高さに対するフランジの厚みの比は、約０．０７〜約０．１２である。
【０２９５】
図３０に示すある実施形態では、トランスデューサ１５０は、吸入器１００の後方部１００２の表面１２７２から突き出ている。トランスデューサの突き出ている距離１２７４は、約０．１ｍｍ〜約５．０ｍｍ、又は約０．５ｍｍ〜約４．０ｍｍ、又は約１．０ｍｍ〜約４．０ｍｍ、又は約１．０ｍｍ〜約３．０ｍｍである。ある実施形態では、距離１２７４は、膜１１６６から前方部１０１の裏面１１７８への距離の割合と等しいかあるいは小さい(図１８に最もよく表される)。ある実施形態では、トランスデューサ１５０は組み立てたとき、後方部１０２の表面１２７２と同一平面であるか、表面１２７２に対してくぼんでいる。ある実施形態では、トランスデューサ１５０は、トランスデューサ１５０の一部が、前方部１０１の通路１１７２内に位置するように、後方部１０２から突き出ている(図１８に最もよく表される)。
【０２９６】
ある実施形態では、前方部１０１は、背面カバー１１７４から突き出ている第一行程カバー１１７５を含み、吸入器の前方部１０１と後方部１０２を整合させるのを助ける。図３１のある実施形態では、後方部１０２は、第一行程カバーを受け入れる切欠き１２７６又は凹部を有する。ある実施形態では、切欠き１２７６内の第一行程カバー１１７５は、吸入器１００が組み立てられたとき、トランスデューサ１１７２が膜１１６６に対面するよう、前方部と後方部の互いに対する位置決めを手助けする。ある実施形態では、切欠き１２７６は、センサ１２７８(例えば、圧力センサ、空気流速センサ又は温度センサの形式、好ましくは、ＭＥＭＳ圧力センサ又はＮＥＭＳ圧力センサ)を含み、ユーザーが気流導管１１９５を通じて息を吸っている及び／又は息を吐いている時を検出する。ある実施形態では、センサ１２７８は、第一行程１１８４の開口１１９０と整合するように構成され、センサ１２７８が、第一行程内で空気をサンプリングするのを可能にする。ある実施形態では、ガスケット１２８０がセンサ１２７８を取り囲んで、第一行程１１８４を効率よくシールし、開口１１９０に起因する圧力低下を低減又は除去してもよい。
【０２９７】
本明細書に記載される本発明の吸入器は、好ましくは、薬剤粉末をエアロゾル化するためにシンセティックジェットを採用する。以下のニーズが存在する：１) 患者の呼吸の発動(投薬トリガー)に応答して、シンセティックジェットを確立して、薬剤を送達するためのオンセット時間の短縮；２)エネルギーの節約；３)一貫した粒度分布を持つ送達量を確実にするための製剤の効率的な脱凝集；及び４)装置の寿命にわたって一貫した投与と粒度分布を確実にする。本発明の開発にあたって、これらの目的を達成できるように、投与チャンバに振動エレメント(トランスデューサ)のエネルギーを伝えるために、大規模な研究が行われた。トランスデューサと膜との間に広がるエアカラム(air column：ここで、エアカラムの少なくとも１部は、分離手段、例えばスペーサー１２８６によって決まる)を提供することによって、エアカラムが消費電力を増加させる(２つの間の接触なしで、トランスデューサ面と膜のより高い変位を可能にすることによって)ことが見い出された。好ましい実施形態では、患者の呼吸の発動に応答して、シンセティックジェットを確立し、薬剤を送達するためのオンセット時間を、エアカラムが短縮することも見い出された。このことは、周期的な呼吸の最中に装置を通じて短い吸入を行う患者にとって、特に利点があることが見い出された。ある実施形態で使用できる例示的なスペーサーは、ＷＯ２０１６/００７３５６(参照により本明細書に包含される)に記載されている。
【０２９８】
十分なシンセティックジェット、投与量送達及び空気力学的粒度分布を達成するためには、エアロゾルエンジンにスペーサーは必要ではなく、それは、エアロゾルエンジンの総合的なロバスト性を向上させうる任意の特徴である。システムの音響共振が全体として、トランスデューサから投与チャンバへの十分なエネルギー伝達を可能にする場合、例えば、吸入器のエアロゾルエンジンは、スペーサー無しでもなお、１０００ｍｓ以内、５００ｍｓ以内、又は１００ｍｓ以内の最大シンセティックジェットを達成し得る。特定の実施形態によれば、スペーサーは、最大シンセティックジェットまでの時間を短縮し、及び／又は最大シンセティックジェットを増加する；例えば、最大シンセティックジェットまでの時間は、スペーサーが使用される場合、少なくとも１０ｍｓ、又は少なくとも２０ｍｓ、又は少なくとも３０ｍｓ、又は少なくとも４０ｍｓ、又は少なくとも５０ｍｓ減少し得る。
【０２９９】
ある実施形態によれば、本発明の吸入器は、薬剤を受け取るように構成された投与チャンバ；投与チャンバに対面しており、トランスデューサが作動したときに薬剤をエアロゾル化するように構成されたトランスデューサ；投与チャンバとトランスデューサとの間に配置され、投与チャンバに貼付されている膜；トランスデューサと膜との間に広がるエアカラムであって、エアカラムの少なくとも一部は、分離手段(例えば、スペーサー)によって規定される；を有しており、前記吸入器は、トランスデューサが作動すると、ユーザーにエアロゾル化された薬剤を送達するためのシンセティックジェットを発生させる。
【０３００】
別の実施形態によれば、吸入器は、ドライパウダー薬剤を含むように構成された内部を有する投与チャンバ；投与チャンバに対面しているトランスデューサであって、投与チャンバとトランスデューサは音響的に共振性であり、投与チャンバはトランスデューサの作動に応じて共振するように構成されており、トランスデューサは、トランスデューサが作動した時に変形するトランスデューサ面を有している；投与チャンバとトランスデューサとの間に配置されている膜；膜とトランスデューサとの間に配置されたスペーサーであって、スペーサーはトランスデューサ面及び膜と接触しており、トランスデューサ面と膜との間のエアカラムを規定する；を含む。本明細書により詳細に記載するように、トランスデューサが作動したとき、トランスデューサ面の第一部分は、トランスデューサ面の第二部分よりも大きく変形し、スペーサーは、トランスデューサ面の第二部分に位置しており、ここで、第一部分はトランスデューサ面の中央部であり、第二部分はトランスデューサ面の外周部である。特定の実施形態によれば、前記装置は、第二部分の代わりに、トランスデューサ面の第一部分に配置されているスペーサーを有する同じ装置よりも大きな最大シンセティックジェットを達成することが見い出された(トランスデューサの作動の開始から測定)。特定の実施形態によれば、前記装置は、スペーサーを有さない同じ装置よりも大きな最大シンセティックジェットを達成することが見い出された(トランスデューサの作動の開始から測定)。好ましくは、トランスデューサ、投与チャンバ、膜、及びエアカラムの協同的音響共振は、本明細書に記載の好ましい範囲内のＭＭＡＤ(例えば、約６μｍ以下)と、好ましくは本明細書に記載の好ましい範囲内の微粒子画分(例えば、少なくとも３０％)を有するドライパウダー薬剤のエアロゾル化と送達をもたらすのに十分である。最大シンセティックジェットは、好ましくは、本明細書に記載の時間の範囲内(例えば、トランスデューサ作動の開始から約５００ｍｓ以下)で達成される。
【０３０１】
図３６Ａ，３６Ｂ及び３６Ｃはそれぞれ、トランスデューサ面の中央部に配置されたスペーサーを有するトランスデューサ(Ａ)、及びトランスデューサ面の外周部に配置されたスペーサーを有するトランスデューサであって、分割されたスペーサーを有するもの(Ｂ)、及び分割されていないスペーサーを有するもの(Ｃ)の一実施形態を図示する。一例では、実施形態Ｂ及びＣによる装置は、実施形態Ａよりも大きな最大シンセティックジェットを達成し、スペーサー無しの装置よりも大きな最大シンセティックジェットを達成した。
【０３０２】
スペーサーは、トランスデューサ面と膜との間に広がるエアカラムを少なくとも部分的に決めてもよい。好ましい実施形態によれば、スペーサーは、トランスデューサ面に配置される(例えば、トランスデューサに印刷された絶縁インク)。別の実施形態によれば、スペーサーは、膜に、あるいは投与チャンバの一部に配置される。スペーサーは、好ましくは、トランスデューサ面と膜との間に広がるエアカラムを少なくとも部分的に規定する。例えば、スペーサーは、トランスデューサから分離し、トランスデューサ面に連結されている材料、あるいはトランスデューサから分離していない材料を含んでもよい(すなわち、それは、隆起したトランスデューサ面の一体化部分であってもよい)。
【０３０３】
特定の実施形態によれば、トランスデューサは、例えばアルミニウムから形成された硬質のケースを含み、それは壁によって一端が閉じられ、前記壁の外表面はトランスデューサ面１２８４である。硬質ケースは好ましくは円柱形である。圧電素子(例えば、チタン酸バリウム又はチタン酸ジルコン酸鉛などのセラミック材)は、好ましくは、前記壁の内面と接触している円柱内に位置する。ある実施形態によれば、トランスデューサ面は、第一部分と第二部分を含む。第一部分は、圧電素子と連結した内面を有するトランスデューサ面の部分であり、第二部分は、圧電素子に連結した内面を有していないトランスデューサ面の部分である。典型的には、トランスデューサ面は、トランスデューサが作動すると変位し(変形し)、この際、トランスデューサ面の第一部分は、トランスデューサが作動した時、トランスデューサ面の第二部分よりも大きく変形する。例えば、第一部分は、トランスデューサ面の中央部に位置し、第二部分は、トランスデューサ面の外周部分である。ある実施形態によれば、スペーサーの表面積の０〜２５％が、第一部分上に位置し、スペーサーの表面積の７５〜１００％が、第二部分上に位置する；あるいはスペーサーの表面積の０〜１０％が、第一部分上に位置し、スペーサーの表面積の９０〜１００％が、第二部分上に位置する。好ましい実施形態によれば、スペーサーは完全に第二部分上に位置し、第一部分上には位置しない。トランスデューサ面の第一部分上に位置するスペーサー材が多すぎると、圧電素子に対する減衰効果があると考えられる。
【０３０４】
好ましい実施形態によれば、スペーサーは連続している(例えば、図３６Ｃに示されるように、スペーサーの外周に沿って隙間がないことを意味する)。例えば、スペーサーは、連続的な輪形、卵形、正方形、又は長方形であってもよい。好ましくは、スペーサーは非連続的である(スペーサーの外周に沿って、１又は複数の隙間、あるいは裂け目があることを意味する)。例えば、スペーサーは、１又は複数の裂け目を有する非連続的な輪形、卵形、正方形、又は長方形であってもよい(図３６Ｂに示すように)。好ましい実施形態によれば、スペーサーは、トランスデューサ面に配置された非連続的な輪形である。
【０３０５】
エアカラムは、好ましくは、トランスデューサからの機械的振動を、投与チャンバの音響共振に、効率的に連動するために(例えば、トランスデューサから投与チャンバへの、及び場合によってブリスターへのエネルギー移動が最大化されるように)最適化され；及び、トランスデューサの短いバースト持続時間に応答して、薬剤送達がより速やかに生じるよう、投与チャンバへの超音波エネルギー伝達のより速い開始を可能にするために最適化される。
【０３０６】
スペーサーを有する吸入器のある実施形態によれば、ドライパウダー薬剤は、スペーサー無しの同じ吸入器よりも短時間(作動の開始から測定して)で、トランスデューサの作動に応答して、投与チャンバの１又は複数の開口部から排出される。ある実施形態によれば、吸入器は、トランスデューサ面と投与チャンバ膜との間にスペーサーを有さない同じ吸入器の場合と比べて、トランスデューサ面と投与チャンバ膜との間にスペーサーを有する吸入器の場合に、より速く最大シンセティックジェットを達成する。例えば、吸入器は、トランスデューサ面と投与チャンバ膜との間にスペーサーを有する場合、トランスデューサ作動から２００ｍｓ未満の範囲内(好ましくは、１７５ｍｓ以下、又は１５０ｍｓ以下、又は１２５ｍｓ以下の範囲内、又は１００ｍｓ以下、又は５０〜１７５ｍｓ、又は５０〜１５０ｍｓ、又は５０〜１２５ｍｓ、又は５０〜１００ｍｓ、又は１００〜１７５ｍｓ、又は１００〜１５０ｍｓの範囲内)で、最大シンセティックジェットを達成し得る。これとは対照的に、特定の実施形態によれば、同じ吸入器でスペーサを使用しなかった場合、最大シンセティックジェットは、トランスデューサが２００ｍｓより長い間作動されるまで達成されないことが見い出された。これらの実施形態によれば、スペーサーの使用は、薬剤を、シンセティックジェットによって投与チャンバからより早く排出させ、それによって、薬剤が吸入時により早く、ユーザーの吸入空気中に取り込まれることを可能にする。これは、持続時間が短い吸入と、限られた量の追い込み空気によって、肺に薬剤を運ぶユーザーにとって、特に利点がある。ある実施形態によれば、スペーサーを有する吸入器は、スペーサー無しの同じ吸入器と比べて、少なくとも１０％短い時間(トランスデューサの作動の開始から)、又は少なくとも２０％短い時間、又は少なくとも３０％短い時間、又は少なくとも４０％短い時間、又は少なくとも５０％短い時間の範囲内で、最大シンセティックジェットを達成する。
【０３０７】
別の実施形態によれば、スペーサーを有する吸入器は、トランスデューサの作動に応答して最大シンセティックジェットを達成し、これはスペーサー無しの同じ吸入器によって達成される最大シンセティックジェットと比べてより大きい。例えば、特定の実施形態によれば、スペーサーを有する吸入器が、トランスデューサの作動に応答して、少なくとも０．５Ｖ(例えば、少なくとも０．５Ｖ、又は少なくとも０．６Ｖ、又は少なくとも０．７Ｖ、又は少なくとも０．８Ｖ、又は少なくとも０．９Ｖ、又は少なくとも１．０Ｖ、又は少なくとも１．１Ｖ、又は少なくとも１．２Ｖ、又は少なくとも１．３Ｖ、又は少なくとも１．４Ｖ、又は少なくとも１．５Ｖ、又は少なくとも１．６Ｖ、又は少なくとも１．７Ｖ；例えば、０．５Ｖ〜１．７Ｖ、又は０．５Ｖ〜１．６Ｖ、又は０．５Ｖ〜１．５Ｖ、又は０．５Ｖ〜１．４Ｖ、又は０．５Ｖ〜１．３Ｖ、又は０．５Ｖ〜１．２Ｖ、又は０．５Ｖ〜１．０Ｖ、又は０．６Ｖ〜１．７Ｖ、又は０．６Ｖ〜１．６Ｖ、又は０．６Ｖ〜１．５Ｖ、又は０．６Ｖ〜１．４Ｖ、又は０．６Ｖ〜１．３Ｖ、又は０．６Ｖ〜１．２Ｖ、又は０．６Ｖ〜１．０Ｖ)の最大シンセティックジェットを達成し、他方、スペーサー無しの同じ吸入器は、０．５Ｖ未満の最大シンセティックジェットを達成することが見い出された。ある実施形態によれば、スペーサー無しの吸入器によって達成される最大シンセティックジェットと、スペーサーを有する同じ吸入器によって達成される最大シンセティックジェットとの比は、約０．９：１あるいはそれ未満、又は約０．８：１あるいはそれ未満、又は約０．７：１あるいはそれ未満、又は約０．６：１あるいはそれ未満、又は約０．０１：１〜約０．９：１、又は約０．０１：１〜約０．８：１、又は約０．０１：１〜約０．７：１、又は約０．０１：１〜約０．６：１、又は約０．１：１〜約０．９：１、又は約０．１：１〜約０．８：１、又は約０．１：１〜約０．７：１、又は約０．１：１〜約０．６：１である。
【０３０８】
スペーサーの実施形態が、図面を参照して以下により詳細に記載される。好ましくは、スペーサーは、トランスデューサ面と膜の両方に接触している。以下に記載するように、スペーサー高さ(例えば、トランスデューサ面と膜との間を測定)は、好ましくは約１０μｍ〜約１００μｍである。シンセティックジェットは、既知の方法、例えば、実施例１に記載の方法に従って測定できる。
【０３０９】
いくつかの実施形態では、吸入器１００は、トランスデューサ１５０と膜１１６６との間の音響的振動と物理的振動の伝達を増強するために、トランスデューサ１５０と膜１１６６との間に、スペーサー１２８６を含む。いくつかの実施形態では、トランスデューサ１５０と膜１１６６との間の空気の存在は、この２つの間の振動エネルギーの移動を増強し、それゆえ、いくつかの実施形態では、吸入器１００は、スペーサーを含まず、トランスデューサと膜との間に隙間が設けられる。図２５のある実施形態では、トランスデューサ１５０は、圧電トランスデューサを含む。圧電トランスデューサは、周知であり、当業者にとって容易に入手できる。ある実施形態によれば、圧電トランスデューサは、約３７〜約４３ｋＨｚ、又は約３８〜約４１ｋＨｚで共振する。ある実施形態では、トランスデューサ１５０は、対称軸１２８５を有する円柱状本体１２８２とトランスデューサ面１２８４を含む。ある実施形態では、スペーサー１２８６は、トランスデューサ面１２８４上に位置している。ある実施形態では、スペーサー１２８６とトランスデューサ面１２８４は、一体型エレメントである。ある実施形態では、スペーサー１２８６は絶縁インクであり(例えば、Acheson ML25240 UV Cure Dielectric Ink、電気的非導電性インク)、トランスデューサ面１２８４上にスクリーン印刷される。
【０３１０】
スペーサー１２８６は、トランスデューサ１５０と膜１１６６の界面となるように構成されてもよい。いくつかの実施形態では、スペーサー１２８６は、膜１１６６に連結している。いくつかの実施形態では、スペーサー１２８６は、トランスデューサ１５０に連結している。スペーサーが、トランスデューサ又は膜のどちらかに接着している実施形態では、作動中に接着が持続するように適切な接着強度が選択される。
【０３１１】
いくつかの実施形態では、スペーサーは、トランスデューサ１５０から膜１１６６を通じて投与チャンバ・ハウジング１１０２へ物理的振動が伝達するように、構成される。ある実施形態では、トランスデューサ１５０及び投与チャンバ・ハウジング１１０２の一方又は両方とスペーサーが接触しているとき変形しないように、スペーサー１２８６は、硬質又は剛性である。スペーサー１２８６は、金属製又はプラスチック製のエレメントであり、トランスデューサ面１２８４又は本体１２８２に、接着剤、溶接、留め具又は同様のものによって固定される。いくつかの実施形態では、スペーサー１２８６は、スペーサーが膜１１６６と接触すると変形し、スペーサーが膜と接触しなくなると、変形していない状態に戻るように構成されている。
【０３１２】
いくつかの実施形態では、スペーサー１２８６は、トランスデューサ面１２８４と膜１１６６との接触を同時に維持しながら、膜１１６６をトランスデューサ面１２８４から分離するように構成されている。ある実施形態では、トランスデューサ面が膜有効面積１１７１に対面し、トランスデューサから膜への遮るもののない振動の伝達を可能にするよう、スペーサー１２８６は、内部開口部を有する。スペーサー１２８６は、割れ目１２９０によって分離された複数の区域１２８８を有する非連続的なリングを含んでもよい。ある実施形態では、割れ目１２９０は、スペーサー１２８６を完全に貫き、区域１２８８(複数)は互いから分離したエレメントである。ある実施形態では、割れ目１２９０は、スペーサー１２８６を完全に貫かず、薄い厚みを有するスペーサーの一部である。ある実施形態では、スペーサー区域１２８８と割れ目１２９０は、おおむね円形パターンに配置されており、割れ目１２９０の弧の長さに対するスペーサー区域１２８８の弧の長さの比は、約１８〜約２０である。ある実施形態では、スペーサー１２８６は、任意の所望の形状を有する(例えば、円形、三角形、長方形、又は不規則な形状)。トランスデューサとスペーサーは、吸入器１００の前方部１０１と後方部１０２が互いから分離しているときに視認可能であってもよく、スペーサー１２８６は、ロゴ又は他のしるしの形状とされてもよい。トランスデューサ面１２８４は、トランスデューサ面表面積を有してもよく、スペーサーは、トランスデューサ面表面積の約４５％〜約５５％に相当するスペーサー面表面積を有してもよい。スペーサー１２８６は、トランスデューサ面１２８４から上方への延びとして測定されるスペーサー高さを有していてもよい。スペーサー高さは、約１０μｍ〜約１００μｍ、又は約２０μｍ〜約１００μｍ、又は約３０μｍ〜約１００μｍ、又は約２０μｍ〜約９０μｍ、又は約３０μｍ〜約９０μｍ、又は約４０μｍ〜約１００μｍ、又は約４０μｍ〜約９０μｍ、又は約５０μｍ〜約１００μｍ、又は約５０μｍ〜約９０μｍ、又は約５０μｍ〜約８０μｍ、又は約５０μｍ〜約７０μｍ、又は約５０μｍ〜約６０μｍ、又は約２５μｍ〜約８０μｍであってもよい。ある実施形態では、スペーサー１２８６は、約７ｍｍ〜８ｍｍの内径、及び約１０ｍｍ〜約１１ｍｍの外径を有する。トランスデューサ面表面積は、約０．１ｉｎ2(６５ｍｍ2)〜約０．３ｉｎ2(１９４ｍｍ2)であってもよい。トランスデューサ面１２８４は、トランスデューサが振動するとき、変形してもよい。ある実施形態では、トランスデューサ面１２８４のある部分は、他より大きくそれてもよい。例えば、トランスデューサ面１２８４の第一部分又は中央部は、第二部分又は外周部より大きくそれてもよい。ある実施形態では、スペーサー１２８６は、トランスデューサ面１２８４上のスペーサーによってもたらされるたわみ距離の減少を回避又は除去するために、トランスデューサ面１２８４の第二部分に位置してもよい。スペーサー１２８６がトランスデューサ面に結合しており、トランスデューサ１５０が作動される場合、スペーサー１２８６は、トランスデューサ面１２８４とともにそれてもよい。ある実施形態では、スペーサー１２８６は、��ランスデューサ面１２８４の外周１２９２と隣接している。ある実施形態では、スペーサー１２８６は、オフセット１２９４によって、外周１２９２から分離されていてもよい。ある実施形態では、スペーサー１２８６は、スペーサー内周１２９６を含む。ある実施形態では、トランスデューサ面１２８４は、トランスデューサ有効面積１２９７(図２７に最もよく表される)を含み、これは、スペーサー１２８６によって覆われていないトランスデューサ面の部分、又はスペーサー内径１２９６の内側にあるトランスデューサ面の領域を含む。
【０３１３】
図１１は、投与チャンバ１１２２とトランスデューサ１５０の相対位置を含む吸入器１００の断面図を示す。図３２は、吸入器１００の拡大断面図を示す。トランスデューサ面１２８４は、前方部１０１と後方部１０２が互いに連結されたとき、投与チャンバ１１２２(又は膜１１６６)と対面するように構成されている。いくつかの実施形態では、トランスデューサ１５０の外径１２９２は、ハウジング１１０２のクラウン外面１１４１の大きさと等しいか、わずかに大きいか、又はわずかに小さい。いくつかの実施形態では、クラウン内面１１３９は、スペーサー内径１２９６と等しいか、わずかに大きいか、又はわずかに小さい。言い換えると、膜有効面積１１７１は、トランスデューサ面の有効面積１２９７と等しいか、わずかに大きいか、又はわずかに小さい。ある実施形態では、トランスデューサ面の有効面積１２９７は、約０．０５ｉｎ2(３２ｍｍ2)〜約０．０９ｉｎ2(５８ｍｍ2)である。好ましくは、スペーサー１２８６は、吸入器１００が組み立てられたとき、膜１１６６と接触し、吸入器１００の作動中に、トランスデューサ面１２８４を膜１１６６から隔てる。ある実施形態では、エアカラムは、トランスデューサ面１２８４と膜１１６６との間のスペーサー１２８４の内径１２９６の内側にある。
【０３１４】
ある実施形態では、使用中は、前方部１０１と後方部１０２が互いに連結しており、トランスデューサ１５０が作動すると、トランスデューサ１５０は、軸１２９８に沿って それる(又は振動する)。ある実施形態では、トランスデューサ１５０は、前方部１０１と後方部１０２が互いに連結しているとき、約０．０３ｉｎ(０．７６ｍｍ)〜約０．０８ｉｎ(２．０３ｍｍ)それる。ある実施形態では、付勢要素１２３４は、付勢要素からのエネルギーが、トランスデューサ１５０を通じて、膜１１６６に伝わるように、トランスデューサ１５０のたわみ(それ)を押し返す。
【０３１５】
いくつかの実施形態では、物理的振動は、トランスデューサ１５０から、ハウジング１１０２を通って、最終的にブリスター１３０に伝わる。いくつかの実施形態では、ブリスター１３０の物理的振動は、その中の薬剤がエアロゾル化するのを、少なくとも一部補助する。ある実施形態では、ブリスターストリップ１３１は、投与チャンバ・ハウジング１１０２と接触しており、ブリスター１３０は、吸入器１００が組み立てられ、ブリスターストリップが上述したように投与位置まで進んだとき、トンネル１１５２と一致する。ある実施形態では、スプリングフィンガー１７２(図１Ｉに最もよく表される)は、ハウジング１１０２と接触するようにブリスターストリップ１３１を付勢する。それゆえ、吸入器１００が組み立てられたとき、トランスデューサホルダー１２２４、トランスデューサ１５０、任意のスペーサー１２８４、膜１１６６、投与チャンバ・ハウジング１１０２、トンネル１１５２、及びブリスターストリップ１３１の間に連続的な物理リンクが確立されるように構成される。この連続的な物理リンクの音響共振は、トランスデューサからの振動エネルギーが、好ましくは、機械的振動及び音波(シンセティックジェット)によって、ドライパウダー薬剤をエアロゾル化し、ユーザーに放出する(いくつかの実施形態では、ブリスターからユーザーに)ことを可能にする。
【０３１６】
ある実施形態では、トランスデューサ１５０が動いていないとき、ブリスターストリップの縁１３００は、トランスデューサ面１２８４から、約０．１ｍｍ〜約５．０ｍｍ、又は約０．１ｍｍ〜約４．０ｍｍ、又は約０．１ｍｍ〜約３．０ｍｍ、又は約０．１ｍｍ〜約２．０ｍｍ、又は約０．５ｍｍ〜約５．０ｍｍ、又は約０．５ｍｍ〜約４．０ｍｍ、又は約０．５ｍｍ〜約３．０ｍｍ、又は約０．５ｍｍ〜約２．０ｍｍ、又は約０．５ｍｍ〜約１．５ｍｍ離れている。ある実施形態では、ブリスター１３０は、第一行程軸１１８５によって規定される平面と、第三行程軸１１８９によって規定される平面の間に位置している。ある実施形態では、ブリスターストリップ面１１６８は、第二行程軸１１８７及び出口通路軸１２１０の一方又は両方に平行である。ある実施形態では、ブリスターストリップ面１１６８は、トランスデューサ面対称軸１２８５、投与チャンバ対称軸１２２４、及び出口通路軸１２１０の１又は複数に平行である。ある実施形態では、トンネル軸１１５８は、ブリスターストリップ面１１６８に対して傾斜している。ある実施形態では、第一行程１１８４は、投与チャンバ対称軸１２２４に対して垂直である。ある実施形態では、第二行程１１８６は、投与チャンバ対称軸１２２４に対して平行である。ある実施形態では、第三行程１１８８は、投与チャンバ対称軸１２２４に対して垂直である。ある実施形態では、トランスデューサ面１２８４は、第一行程軸１１８５及び第三行程軸１１８９の一方又は両方に平行である。ある実施形態では、投与チャンバ１１２２は、第一行程軸１１８５によって規定される平面と、第三行程軸１１８９によって規定される平面との間に位置している。ある実施形態では、トランスデューサ面対称軸１２８５は、投与チャンバ対称軸１１２４に平行である。ある実施形態では、トランスデューサ面対称軸１２８５、投与チャンバ対称軸１１２４、及び出口通路軸１２１０はすべて、互いにおおむね平行である。ある実施形態では、ブリスター１３０は、投与チャンバ軸１１２４に垂直なブリスター軸１３２を含む。ある実施形態では、トランスデューサ運動軸１２９８は、出口通路軸１２１０に平行である。ある実施形態では、ブリスターが投与位置にあるとき、ブリスターストリップ１３１は、投与チャンバ１１２２及びトランスデューサ１５０から離れている。言い換えれば、ブリスターストリップ１３１は、ブリスター１３０が投与位置にあるとき、投与チャンバ１１２２及びトランスデューサ１５０のどちらとも接触しなくてよい。別の実施形態では、ポケットを取り囲むブリスターストリップの一部は、投与位置にあるとき、トンネルと接触するのみであり投与チャンバ又はトランスデューサと接触していない。ある実施形態では、ユーザーが吸入器１００から薬剤を吸入しているとき、気流導管１１９５は、ブリスター１３０の上方に位置する。ある実施形態では、第二行程１１８６と第三行程１１８８によって規定される湾曲部は、投与チャンバ１１２２の上方に位置する。ある実施形態では、付勢要素１２３４、トランスデューサホルダー１２２４、トランスデューサ１５０、任意のスペーサー１２８６、膜１１６６、投与チャンバ１１２２、及び出口通路１１８２はスタックされ、それぞれが、他の中心軸と、同軸又は平行の中心軸を有する。ある実施形態では、付勢要素１２３４、トランスデューサホルダー１２２４、トランスデューサ１５０、任意のスペーサー１２８６、膜１１６６、投与チャンバ１１２２のそれぞれは、中心軸を有し、全ての中心軸は同軸である。ある実施形態では、付勢要素１２３４、トランスデューサホルダー１２２４、トランスデューサ１５０、任意のスペーサー１２８６、膜１１６６、投与チャンバ１１２２、及び出口通路１１８２は、吸入器１００が組み立てられたとき、近位から遠位の順にスタックされる。
【０３１７】
好ましい実施形態では、トランスデューサ１５０の振動は、前述したように、ハウジング１１０２の物理的振動を通じて、並びに音響的振動を通じて振動エネルギーを伝えるように構成される。吸入器１００を通る振動エネルギーは、システムの様々な部品にわたって、共振周波数を一致させることによって、より効率的に伝達されてもよい。その共振周波数での構成要素の振動は、その構成要素の振動を増幅する。いくらかの振動は、構成要素が、その共振周波数以外の周波数で振動すると、相殺される。同じ(又は共通する)共振周波数を各構成要素が有するシステムは、そのシステムが、その共通共振周波数で動かされるとき、一致しない共振周波数を有する構成要素を含むシステムと比べて、より速くシンセティックジェットを達成しうる。いくつかの実施形態では、吸入器１００は、共通の共振周波数を有し、そのシステムの全体を通じて振動エネルギーを効率的に伝達する構成要素(例えば、トランスデューサ、投与チャンバ、膜及びエアカラム)を含む。トランスデューサ１５０は、音響共振周波数(又は共振周波数)を特徴としてもよい。ある実施形態では、スペーサー１２８６、膜１１６６、及び投与チャンバ１１２２のそれぞれの特徴(例えば、寸法、材質、配向)は、各部品の共振周波数、及びこれらの部品からなるシステムの共振周波数が、トランスデューサ１５０の共振周波数と一致するか、密接に関連するように調節される。例えば、いかなる特定の理論にも拘束されることはないが、部品のいずれかに使用される材質の変更は、各部品及び／又はシステム全体の共振周波数に影響を与えうる。しかしながら、これは、単にその材質を含む構成要素が置換されただけで、そのシステムの共通共振周波数が達成できないことを意味しない。代わりに、そのシステムの共振周波数を再調整するために、システムの他の構成要素又は特徴を変更することができる。例えば、投与チャンバの高さ又は幅又は壁厚の変更も、投与チャンバ１１２２及びシステムの共振周波数に影響を与える。このように、投与チャンバ及びシステムの共振周波数を維持するために、投与チャンバ１１２２を含んでいるハウジング１１０２を製造するために使用される材質を変えることができ、投与チャンバの寸法も変えることができる。各構成要素の、及びシステム全体にわたる共通共振周波数を維持するために、システムの任意の構成要素が変更されてもよく、システムのその他の構成要素の１又は複数も変更されてよい。個々の構成要素、システムの区域、及び／又は全体としてのシステムが、２以上の共振周波数又は高調波(一次共振周波数の倍数であってもよい)を有するように構成されてもよい。
【０３１８】
ある実施形態では、所望の共振周波数は、トランスデューサ１５０を選ぶこと、その共振周波数を測定すること、及びその後、同様の共振周波数を有するシステムを構成することによって、選択される。ある実施形態では、投与チャンバは所望の吸入器内に収まるように構成され、あるいは投与チャンバは、薬剤とのネガティブな相互作用を避けるために選ばれたある材料から製造され、及び構成要素の残りとシステムは、投与チャンバの共振周波数と調和するように構成される。ある実施形態では、システムの共振周波数は、投与チャンバ内に薬剤がないときに測定される。ある実施形態では、システムの共振周波数は、投与チャンバ内にエアロゾル化された薬剤があるときに測定される。ある実施形態では、同じ又は同様の音響共振を有するシステムは、シンセティックジェットを確立するためのオンセット時間を短縮し、吸入器を通じてユーザーに薬剤を送達するために必要とされるバッテリーパワーを減らす。
【０３１９】
音響インピーダンスは、一般的に、システムに加えられた音圧と、その結果もたらされる、その作用点での圧力の方向における粒子速度との間の関係である。音響インピーダンスは、一般に、Ｚ0＝ρ0・ｃ0と定義され、ここで、Ｚ0は、Ｒａｙｌｓの単位における音響インピーダンス(Ｐａ・ｓ／ｍ)であり、ρ0は、媒体の密度(ｋｇ／ｍ3)であり、ｃ0はその媒体を通る音の速度(ｍ／ｓ)である。システムの構成要素にわたって音響インピーダンスの変動が同一又は小さいシステムは、システムが稼働している間、より効率的なエネルギー伝達(又はエネルギー共役)を生み出す。シンセティックジェットのオンセット時間は、より小さい音響インピーダンスマッチングを有するシステムと比べて、より大きな音響インピーダンスマッチングを有するシステムにおいて短縮される。音響インピーダンスは、各構成要素の「剛性(stiffness)」と考えられてもよい。音響インピーダンスが整合されるか、又は狭い範囲内にあるとき、システムの構成要素(例えば、エアカラム、膜、及びチャンバ内の空気)は、トランスデューサが振動するとき、相対的に調和して動くことができ、このようにして、トランスデューサの各振動は、より多くの振動エネルギーを、投与チャンバ内の空気に伝えうる。
【０３２０】
ある実施形態では、トランスデューサ１５０は、トランスデューサ音響インピーダンスを特徴とする。ある実施形態では、トランスデューサ面１２８４と膜１１６６との間のスペーサー１２８６内のエアカラムは、エアカラム音響インピーダンスを特徴とする。ある実施形態では、エアカラム音響インピーダンスは、トランスデューサ音響インピーダンスより小さい。ある実施形態では、膜１１６６は、トランスデューサ音響インピーダンスより小さい膜音響インピーダンスを特徴とする。ある実施形態では、膜音響インピーダンスは、エアカラム音響インピーダンスよりも大きい。ある実施形態では、投与チャンバ１１２２内の空気は、トランスデューサ１５０、エアカラム、及び膜１１６６の１又は複数より小さい音響インピーダンスを有する。ある実施形態では、トランスデューサ音響インピーダンスは、チャンバ音響インピーダンス、膜音響インピーダンス、及びエアカラム音響インピーダンスの少なくとも１つと実質的に等しい。ある実施形態では、トランスデューサ音響インピーダンスは、吸入器の最大音響インピーダンスである。投与チャンバ音響インピーダンスは、投与チャンバ内のエアロゾル化薬剤とともに又はエアロゾル化薬剤無しで測定されてもよい。
【０３２１】
本発明の特定の実施形態に従って、出願人は、ドライパウダーが、投与チャンバの低圧ノード(振動圧力がほとんどない又は全くない領域)で「スタックする(立ち往生する)」傾向があり、これはシンセティックジェットとその結果として生じる送達量を実質的に減少させることを発見した。出願人は、さらに、この問題に対処するよう駆動スキームを変更できることを発見した；特に、特定の実施形態によれば、トランスデューサの共振周波数は、非-共振周波数(又は"ホップ周波数")への「スイッチオフ」で周期的に中断される。共振周波数のスイッチオフは、粒子が低圧ノードに滞留しないように、粒子の浮上を妨害する。好ましい実施形態によれば、ホップ周波数の組み込みは、投与量からの粉末の重量クリアランスを有意に改善する。例えば、ホップ周波数無しの駆動スキームは、投与量(例えば、ブリスターに収納されている用量)から、少なくとも５０％、又は少なくとも４０％の粉末の重量クリアランスをもたしうるが、これに対して、ホップ周波数を含む駆動スキームは、投与量(例えば、ブリスターに収納されている用量)から、６０％を超える、好ましくは７０％を超える、又は８０％を超える、又は９０％を超える、又は９５％を超える粉末の重量クリアランスをもたらし得る。
【０３２２】
ある実施形態によれば、薬剤送達装置において圧電トランスデューサを駆動させる方法は、所定の期間、トランスデューサに電気信号を提供することによって、トランスデューサを作動させることを含み、ここで、前記電気信号は、トランスデューサをその共振周波数で振動させる第一周波数、及び第一周波数とは異なる第二周波数(トランスデューサをその共振周波数で振動させない)を提供し、及び、前記電気信号は、前記所定の期間、第一周波数と第二周波数を行ったり来たりする。さらなる実施形態によれば、薬剤送達装置は、ドライパウダー薬剤を含むように構成された内部を有する投与チャンバ；投与チャンバと対面しているトランスデューサであって、投与チャンバとトランスデューサは音響的に共振性であり、投与チャンバは、トランスデューサの作動に応答して共振するよう構成されている；及び、トランスデューサ作動の間に、トランスデューサに、第一周波数と第二周波数を繰り返す電気信号を送るように構成されたコントローラを含み、ここで、第一周波数は、その共振周波数でトランスデューサを振動させ、第二周波数は、第一周波数とは異なっており、トランスデューサをその共振周波数で振動させない(例えば、装置は、前記電気信号を生成することができるプログラムコードを有する)。
【０３２３】
好ましくは、前記信号は、トランスデューサ作動の間に、第一周波数と第二周波数を、複数回繰り返す。第二周波数は「ホップ周波数」と称されてもよい。ホップ周波数の使用は、好ましくは、ドライパウダー薬剤のエアロゾル化と送達を引き起こし、前記ドライパウダー薬剤は、本明細書に記載の好ましい範囲内のＭＭＡＤ(例えば、約６μｍ以下)と、好ましくは本明細書に記載の好ましい範囲内の微粒子画分(例えば、少なくとも３０％)を有する。最大シンセティックジェットは、好ましくは、本明細書に記載の時間の範囲内(例えば、トランスデューサ作動の開始から約５００ｍｓ以下)で達成される。ある実施形態によれば、最大シンセティックジェット及び／又はシンセティックジェットの開始速度は、ホップ周波数を使用しない装置と比べて、ホップ周波数を使用する装置でより大きい。バーストあたりの送達量、合計送達量、及び空気力学的粒度分布も、ホップ周波数が使用される場合、向上しうる。
【０３２４】
好ましくは、第一周波数は、圧電トランスデューサの共振周波数と、実質的に等しい；及び、第二周波数は、圧電トランスデューサの共振周波数と、実質的に等しくない。圧電トランスデューサの共振周波数と実質的に等しい周波数とは、圧電トランスデューサの共振周波数と等しい周波数、又は、圧電トランスデューサの共振周波数に十分に近く、トランスデューサに、シンセティックジェットの生成に十分な振動を生じさせる周波数を指す。
【０３２５】
一例によれば、トランスデューサの共振周波数は、３７〜４２ｋＨｚである；投薬呼吸の間、トランスデューサは、第一周波数(同じく、３７〜４２ｋＨｚ)を有する電気信号によって作動され、第一周波数はその後、３７〜４２ｋＨｚの範囲外の第二周波数(すなわち、３７ｋＨｚ未満、又は４２ｋＨｚを超える周波数)によって、「中断」される。投薬呼吸の間、第一周波数は、トランスデューサの「オンタイム」の大部分のために提供され、他方、第二周波数は、第一周波数を間欠的に短時間中断し、それにより、ドライパウダー粒子は、投与チャンバ内の低ノードに滞留しない。第二周波数("ホップ周波数")による短時間の中断は、なお、オンタイムの一部と見なされる。
【０３２６】
ある実施形態によれば、前記方法は、トランスデューサを投薬呼吸ごとに、約５０ｍｓ〜約１０００ｍｓ間活性化(作動)することを含む；例えば、投薬呼吸ごとに、約５０ｍｓ〜約９００ｍｓ、又は約５０ｍｓ〜約８００ｍｓ、又は約５０ｍｓ〜約７００ｍｓ、約５０ｍｓ〜約６００ｍｓ、又は約５０ｍｓ〜約５００ｍｓ、約５０ｍｓ〜約４００ｍｓ、又は約５０ｍｓ〜約３００ｍｓ、約５０ｍｓ〜約２００ｍｓ、又は約５０ｍｓ〜約１００ｍｓ、又は約１００ｍｓ〜約９００ｍｓ、又は約１００ｍｓ〜約８００ｍｓ、又は約１００ｍｓ〜約７００ｍｓ、約１００ｍｓ〜約６００ｍｓ、又は約１００ｍｓ〜約５００ｍｓ、約１００ｍｓ〜約４００ｍｓ、又は約１００ｍｓ〜約３００ｍｓ、約１００ｍｓ〜約２００ｍｓ。本明細書に記載される吸入サイクルは、好ましくは、複数の投薬呼吸を含む。
【０３２７】
ある実施形態によれば、前記方法は、トランスデューサが作動される時間の少なくとも約７０％、又は少なくとも約７５％、又は少なくとも約８０％、又は少なくとも約８５％、又は少なくとも約９０％の間、第一周波数を提供すること、及び、トランスデューサが作動される時間の最大でも約３０％、又は最大でも約２５％、又は最大でも約２０％、又は最大でも約１５％、又は最大でも約１０％の間、第二周波数を提供することを含む。例えば、前記方法は、トランスデューサが作動される時間の約９０％の間、第一周波数を提供すること、及び、トランスデューサが作動される時間の約１０％の間、第二周波数を提供することを含んでもよい。
【０３２８】
ある実施形態によれば、前記方法は、トランスデューサを約５００ｍｓ間作動することを含み、ここで、その時間の間、信号は、第一周波数を約９０ｍｓ間、第二周波数を約１０ｍｓ間提供する；例えば、信号は、約９０ｍｓの第一周波数と約１０ｍｓ第二周波数を５回繰り返す。別の実施形態によれば、前記方法は、トランスデューサを約１００ｍｓ間作動することを含み、ここで、その時間の間、信号は、第一周波数の約９０ｍｓ間の提供と、第二周波数の約１０ｍｓ間の提供を交互に行う。
【０３２９】
ある実施形態によれば、第一周波数は、約３７ｋＨｚ〜約４２ｋＨｚであり、第二周波数は、３６ｋＨｚ以下であるか、又は４３ｋＨｚより大きい。例えば、第二周波数は、０ｋＨｚ〜約３０ｋＨｚ、又は約４５ｋＨｚ〜約７５ｋＨｚ、又は約５０ｋＨｚ〜約６０ｋＨｚであってもよい。
【０３３０】
ある実施形態によれば、呼吸器疾患又は障害(例えば、ＣＯＰＤ、喘息、嚢胞性線維症、突発性肺線維症など)を治療する方法は、治療的有効量の１種又は複数種の薬剤を投与するために、本明細書に記載の吸入器の一実施形態を使用することを含む(例えば、吸入器を通じて連続的な吸入を行うことによって)。
【０３３１】
本発明の吸入器は、多くの種類の薬剤の吸入による送達に適しており、様々な疾患及び障害の治療のために使用しうる。好ましい実施形態によれば、吸入器は、呼吸器疾患(例えば、ＣＯＰＤ、喘息、嚢胞性線維症、突発性肺線維症など)を治療するために使用される。吸入器は、非呼吸器疾患を治療するために使用されてもよい。
【０３３２】
特定の実施形態によれば、本明細書に記載の方法は、本明細書に記載のドライパウダー組成物の呼吸性送達による治療に適した、呼吸器疾患又は障害を治療するための方法を含む。例えば、本明細書に記載の組成物、方法及びシステムは、炎症性又は閉塞性肺疾患あるいはその状態を治療するために使用できる。特定の実施形態では、本明細書に記載の組成物、方法及びシステムは、喘息、慢性閉塞性肺疾患(ＣＯＰＤ)、他の薬剤治療の結果として生じた気道過敏性の増悪、アレルギー性鼻炎、副鼻腔炎、肺血管収縮、炎症、アレルギー、妨害性呼吸、呼吸窮迫症候群、肺高血圧、肺血管収縮、及び他の呼吸器疾患、状態、形質、遺伝子型又は表現型であって、例えば、ＬＡＭＡ、ＬＡＢＡ、コルチコステロイド、又は本明細書に記載の他の活性剤の投与(単独又は他の治療との併用にかかわらず)に応答しうるものから選択される疾患又は障害に苦しむ患者を治療するために使用できる。特定の実施形態では、本明細書に記載の組成物、方法及びシステムは、嚢胞性線維症に関連する肺の炎症及び閉塞を治療するために使用できる。本明細書に記載の「ＣＯＰＤ」及び「慢性閉塞性肺疾患」という用語は、慢性閉塞性肺疾患(ＣＯＬＤ)、慢性閉塞性気道疾患(ＣＯＡＤ)、慢性気流制限(ＣＡＬ)、及び慢性閉塞性呼吸器疾患(ＣＯＲＤ)を包含し、慢性気管支炎、気管支拡張症、及び肺気腫を含む。本明細書に記載の「喘息」という用語は、いかなるタイプ又は起源の喘息であってもよく、内因性(非アレルギー性)喘息及び外因性(アレルギー性)喘息、軽症喘息、中等度喘息、重症喘息、気管支炎喘息、運動誘発性喘息、職業性喘息、及び、細菌感染後に誘発される喘息を含む。喘息は、ぜーぜーする乳幼児(wheezy-infant)症候群を包含すると理解されてもよい。
【０３３３】
好ましい実施形態によれば、吸入器は、ＣＯＰＤを治療するため、特に、慢性気管支炎及び／又は肺気腫を含む慢性閉塞性肺疾患(ＣＯＰＤ)に罹患した患者における気流閉塞の長期にわたる維持的な気管支拡張剤治療のために、１種又は複数種の薬剤を送達する。
【０３３４】
様々な種類の薬剤が、呼吸器疾患を治療するために開発されており、各種類は、異なる標的及び効果を有する。
【０３３５】
気管支拡張剤は、気管支及び細気管支を拡張し、気道の抵抗を減少し、それによって、肺への気流を増加させるために使用される。気管支拡張剤は、短時間作用型であっても、長期間作用型であってもよい。一般的に、短時間作用型気管支拡張剤は、急性気管支収縮の急速な緩和を提供し、他方、長時間作用型気管支拡張剤は、長期的な症状をコントロール及び予防するのに役立つ。
【０３３６】
異なる種類の気管支拡張剤は、気道において異なるレセプターを標的にする。２つのよく使用される種類は、抗コリン作用薬とβ2-作用薬である。
【０３３７】
抗コリン作用薬(又は“抗ムスカリン薬”)は、神経細胞中のその受容体を選択的に遮断することによって、神経伝達物質アセチルコリンをブロックする。局所投与では、抗コリン作用薬は、気道内にあるＭ3ムスカリン受容体に主に作用し、平滑筋を弛緩させ、それにより気管支拡張効果を生じる。長時間作用型ムスカリン受容体遮断薬(ＬＡＭＡ)の非限定的な例には、チオトロピウム及び薬学的に許容できるその塩(例えば、臭化チオトロピウム)、オキシトロピウム及び薬学的に許容できるその塩(例えば、臭化オキシトロピウム)、アクリジニウム及び薬学的に許容できるその塩(例えば、臭化アクリジニウム)、イプラトロピウム及び薬学的に許容できるその塩(例えば、臭化イプラトロピウム)、グリコピロニウム及び薬学的に許容できるその塩(例えば、臭化グリコピロニウム；グリコピロレートとも呼ばれる)、オキシブチニン及び薬学的に許容できるその塩(例えば、オキシブチニン塩酸塩、又はオキシブチニン臭化水素酸塩)、トルテロジン及び薬学的に許容できるその塩(例えば、トルテロジン酒石酸塩)、トロスピウム及び薬学的に許容できるその塩(例えば、塩化トロスピウム)、ソリフェナシン及び薬学的に許容できるその塩(例えば、ソリフェナシンコハク酸塩)、フェソテロジン及び薬学的に許容できるその塩(例えば、フェソテロジンフマル酸塩)、ダリフェナシン及び薬学的に許容できるその塩(例えば、ダリフェナシン臭化水素酸塩)、及びウメクリジニウム及び薬学的に許容できるその塩(例えば、臭化ウメクリジニウム)が含まれる。
【０３３８】
β2-アドレナリン受容体刺激薬(又は"β2-作動薬")は、平滑筋の弛緩を誘発するβ2-アドレナリン受容体に作用し、気管支道の拡張をもたらす。長時間作用型β2-受容体刺激薬(ＬＡＢＡ)の非限定的な例には、ホルモテロール及び薬学的に許容できるその塩(例えば、ホルモテロールフマル酸塩)、サルメテロール及び薬学的に許容できるその塩(例えば、サルメテロールキシナホ酸塩)、インダカテロール及び薬学的に許容できるその塩(例えば、インダカテロールマレイン酸塩)、バンブテロール及び薬学的に許容できるその塩(例えば、バンブテロール塩酸塩)、クレンブテロール及び薬学的に許容できるその塩(例えば、クレンブテロール塩酸塩)、オロダテロール及び薬学的に許容できるその塩(例えば、オロダテロール塩酸塩)、カルモテロール及び薬学的に許容できるその塩(例えば、カルモテロール塩酸塩)、ツロブテロール及び薬学的に許容できるその塩(例えば、ツロブテロール塩酸塩)、及びビランテロール及び薬学的に許容できるその塩(例えば、ビランテロールトリフェニル酢酸塩)が含まれる。短時間作用型β2-作用薬(ＳＡＢＡ)の非限定的な例には、アルブテロール及び薬学的に許容できるその塩(例えば、アルブテロール硫酸塩) 、及びレブアルブテロール及び薬学的に許容できるその塩(例えば、レブアルブテロール酒石酸塩)が含まれる。ある実施形態によれば、製剤はアルブテロール(硫酸塩)を含む。
【０３３９】
呼吸器疾患の治療に用いられる別の種類の薬剤は、吸入コルチコステロイド(ＩＣＳ)である。ＩＣＳは、呼吸器疾患の長期間コントロールに用いられるステロイドホルモンである。それらは、気道の炎症を減じることによって機能する。吸入コルチコステロイドの非限定的な例には、ブデソニド及び薬学的に許容できるその塩, ベクロメタゾン及び薬学的に許容できるその塩(例えば、ベクロメタゾンジプロピオネート)、フルチカゾン及び薬学的に許容できるその塩(例えば、フルチカゾンプロピオネート)、モメタゾン及び薬学的に許容できるその塩(例えば、モメタゾンフロエート)、シクレソニド及び薬学的に許容できるその塩、及びデキサメタゾン及び薬学的に許容できるその塩(例えば、デキサメタゾンナトリウム)が含まれる。
【０３４０】
ある実施形態によれば、薬剤送達装置は、チオトロピウム及び薬学的に許容できるその塩(例えば、臭化チオトロピウム)、オキシトロピウム及び薬学的に許容できるその塩(例えば、臭化オキシトロピウム)、アクリジニウム及び薬学的に許容できるその塩(例えば、臭化アクリジニウム)、イプラトロピウム及び薬学的に許容できるその塩(例えば、臭化イプラトロピウム)、グリコピロニウム及び薬学的に許容できるその塩(例えば、臭化グリコピロニウム；グリコピロレートとも呼ばれる)、オキシブチニン及び薬学的に許容できるその塩(例えば、オキシブチニン塩酸塩、又は、オキシブチニン臭化水素酸塩)、トルテロジン及び薬学的に許容できるその塩(例えば、トルテロジン酒石酸塩)、トロスピウム及び薬学的に許容できるその塩(例えば、塩化トロスピウム)、ソリフェナシン及び薬学的に許容できるその塩(例えば、ソリフェナシンコハク酸塩)、フェソテロジン及び薬学的に許容できるその塩(例えば、フェソテロジンフマル酸塩)、ダリフェナシン及び薬学的に許容できるその塩(例えば、ダリフェナシン臭化水素酸塩)、ウメクリジニウム及び薬学的に許容できるその塩(例えば、臭化ウメクリジニウム)、ホルモテロール及び薬学的に許容できるその塩(例えば、ホルモテロールフマル酸塩)、サルメテロール及び薬学的に許容できるその塩(例えば、サルメテロールキシナホ酸塩)、インダカテロール及び薬学的に許容できるその塩(例えば、インダカテロールマレイン酸塩)、バンブテロール及び薬学的に許容できるその塩(例えば、バンブテロール塩酸塩)、クレンブテロール及び薬学的に許容できるその塩(例えば、クレンブテロール塩酸塩)、オロダテロール及び薬学的に許容できるその塩(例えば、オロダテロール塩酸塩)、カルモテロール及び薬学的に許容できるその塩(例えば、カルモテロール塩酸塩)、ツロブテロール及び薬学的に許容できるその塩(例えば、ツロブテロール塩酸塩)、ビランテロール及び薬学的に許容できるその塩(例えば、ビランテロールトリフェニル酢酸塩)、アルブテロール及び薬学的に許容できるその塩(例えば、アルブテロール硫酸塩)、レブアルブテロール及び薬学的に許容できるその塩(例えば、レブアルブテロール酒石酸塩)、ベクロメタゾン及び薬学的に許容できるその塩(例えば、ベクロメタゾンジプロピオネート)、フルチカゾン及び薬学的に許容できるその塩(例えば、フルチカゾンプロピオネート)、モメタゾン及び薬学的に許容できるその塩(例えば、モメタゾンフロエート)、シクレソニド及び薬学的に許容できるその塩、及びデキサメタゾン及び薬学的に許容できるその塩(例えば、デキサメタゾンナトリウム)及びそれらの組み合わせからなる群より選択される１種又は複数種の薬剤を送達する。
【０３４１】
ある実施形態によれば、薬剤送達装置は、デオキシリボヌクレアーゼ(ＤＮＡの切断を触媒する酵素)、好ましくは、デオキシリボヌクレアーゼＩ又はその変異体、最も好ましくは、ヒトデオキシリボヌクレアーゼＩ又はその変異体を含む製剤を送達する。デオキシリボヌクレアーゼは、組換えＤＮＡ技術の既知の方法によって製造されてもよい。デオキシリボヌクレアーゼは、呼吸器疾患又は障害、例えば嚢胞性線維症(ＣＦ)又は肺炎の治療のために投与されてもよい。好ましくは、薬剤送達装置は、ＣＦ又は肺炎などの疾患において、肺分泌物(粘液)の粘弾性を減らすのに有効であるデオキシリボヌクレアーゼを所定の量で投与し、それにより、呼吸気道をクリアにするのに役立つ。本明細書で使用される「ヒトデオキシリボヌクレアーゼＩ」という用語は、未変性のヒトデオキシリボヌクレアーゼＩのアミノ酸配列を有するポリペプチドを指す(例えば、ＵＳ６，３４８，３４３の配列番号１参照)。未変性のヒトデオキシリボヌクレアーゼＩの「変異体」は、未変性のヒトデオキシリボヌクレアーゼＩとは異なるアミノ酸配列を有するポリペプチドであり、例えば、未変性のヒトデオキシリボヌクレアーゼＩと、少なくとも８０％の配列相同性(ホモロジー)、好ましくは少なくとも９０％の配列相同性、より好ましくは少なくとも９５％の配列相同性、及び最も好ましくは少なくとも９８％の配列相同性を有する。ヒトデオキシリボヌクレアーゼＩ又はその変異体は、ＤＮＡ加水分解活性を示す。
【０３４２】
ある実施形態によれば、薬剤送達装置は、一又は複数の抗生物質を含む製剤を送達する。抗生物質(単数又は複数)は、嚢胞性線維症などの呼吸器疾患又は障害を治療するために投与されてもよい。前記薬剤送達装置によって送達されうる抗生物質の種類の非限定的な例には、テトラサイクリン(例えば、ドキシサイクリン、ミノサイクリン、オキシテトラサイクリン、チゲサイクリン)、フルオロキノリン(例えば、シプロフロキサシン、ゲミフロキサシン、レボフロキサシン、モキシフロキサシン、ノルフロキサシン、オフロキサシン、シタフロキサシン)、カルバペネム(例えば、メロペネム、イミペネム)、ポリミキシン(例えば、コリスチン、ポリミキシンＢ)及びそれらの組み合わせが含まれる。例えば、製剤は、ドキシサイクリン、ミノサイクリン、オキシテトラサイクリン、チゲサイクリン、シプロフロキサシン、ゲミフロキサシン、レボフロキサシン、モキシフロキサシン、ノルフロキサシン、オフロキサシン、シタフロキサシン、メロペネム、イミペネム、コリスチン、ポリミキシンＢ、及びそれらの組み合わせからなる群より選択される抗生物質を含んでもよい。製剤は、さらに、１又は複数の抗生物質との併用で、１又は複数のアジュバント(抗生物質活性の増強剤)を含んでもよい。ある実施形態によれば、製剤は、同じ種類又は異なる種類の抗生物質から、２以上の抗生物質を組み合わせて含む。製剤は、前述した薬剤のいずれかの１又は複数のプロドラッグを含んでもよい。
【０３４３】
ある実施形態によれば、薬剤送達装置は、嚢胞性線維症の治療のために、コリスチンメタンスルホン酸ナトリウム(コリスチンの一形態)を含む製剤、又は嚢胞性線維症の治療のために、ドキシサイクリン一水和物を含む製剤、又はコリスチンメタンスルホン酸ナトリウムとドキシサイクリン一水和物の両方を含む製剤を送達する。別の実施形態によれば、薬剤送達装置は、突発性肺線維症(ＩＰＦ)又はその症状を治療するために、ピルフェニドンを含む製剤を送達する。
【０３４４】
特定の実施形態によれば、吸入器は、同じ又は異なる種類に属する少なくとも２つ(２，３，４など)の異なる薬剤の組み合わせを送達する。ある実施形態によれば、薬剤送達装置は、３つの異なる薬剤の「三剤コンビネーション」を送達する。前記３つの薬剤は、３つの異なる薬剤クラス(例えば、ＬＡＭＡ、ＬＡＢＡ、ＩＣＳ)に属していてもよく；あるいは２つ又は３つの薬剤は、同じクラスに属してもよい。
【０３４５】
好ましい実施形態によれば、吸入器は、長時間作用型ムスカリン受容体遮断薬(ＬＡＭＡ)、長時間作用型β2-アドレナリン受容体刺激薬(ＬＡＢＡ)、及びそれらの組み合わせを含む群又はそれらからなる群より選択される１種又は複数種の薬剤を送達する。このように、薬剤送達装置は、１又は複数のＬＡＭＡと１又は複数のＬＡＢＡを組み合わせて含む製剤を送達してもよい。特に適切な組み合わせは、臭化グリコピロニウム(すなわち、グリコピロレート) 及びホルモテロールフマル酸塩を含む。別の適切な組み合わせは、臭化チオトロピウム及びホルモテロールフマル酸塩を含む。そのような組み合わせは、ＣＯＰＤの治療のために、特に、慢性気管支炎及び／又は肺気腫を含む、慢性閉塞性肺疾患(ＣＯＰＤ)を有する患者における気流閉塞の、長期的・維持的気管支拡張剤治療のために、使用されてもよい。ある実施形態によれば、グリコピロレートとホルモテロールフマル酸塩、又は臭化チオトロピウムとホルモテロールフマル酸塩の組み合わせが、経口による周期的な吸入を経て、１日２回投与される。好ましくは、前記組み合わせは、トラフ値を通るピークにて(例えば、＞１００ｍｌ)、プラセボに対して、臨床的に有意な気管支拡張を達成する、及び／又はトラフ値を通るピークにて、ＬＡＢＡ(例えば、ホルモテロールフマル酸塩)又はＬＡＭＡ(例えば、グリコピロレート又は臭化チオトロピウム)の単独療法と比べて、有意に優れた気管支拡張(ＦＥＶ1)、及び／又は、最初の投与量から５分の時点で、プラセボと比較して、有意に優れた気管支拡張の開始を達成する。
【０３４６】
さらなる実施形態によれば、吸入器は、長時間作用型ムスカリン受容体遮断薬(ＬＡＭＡ)、長時間作用型β2-アドレナリン受容体刺激薬(ＬＡＢＡ)、吸入コルチコステロイド(ＩＣＳ)、及びそれらの組み合わせを含む群又はそれらからなる群より選択される１種又は複数種の薬剤を送達する。このように、薬剤送達装置は、１又は複数のＬＡＭＡ、１又は複数のＬＡＢＡ、及び１又は複数のＩＣＳを含む製剤を送達してもよい。すなわち、装置は、ＬＡＭＡとＬＡＢＡ、ＬＡＭＡとＩＣＳ、又はＬＡＢＡとＩＣＳからなる２種の組み合わせ、又はＬＡＭＡ，ＬＡＢＡ，及びＩＣＳの３種の組み合わせを送達してもよい。
【０３４７】
通常、本明細書に記載するように、気管支又は肺の肺胞領域に送達するのに適切な粉末薬剤粒子は、１０μｍ未満、好ましくは６μｍ未満の空気動力学的直径を有する。気道の他の部分(鼻腔、口、咽頭など)への送達が望まれる場合、他のサイズの粒子が使用されてもよい。薬剤は、純粋な薬剤として送達されてもよく、又は、吸入に適した１又は複数のキャリア及び／又は１又は複数の賦形剤とともに、送達されてもよい。
【０３４８】
好ましい実施形態によれば、粉末製剤(又は、本明細書において「薬剤組成物」「組成物」「製剤」「医薬組成物」「薬剤製剤」又は「ＡＰＩ製剤」とも呼ばれる)は、薬剤を、１又は複数のキャリア及び／又は１又は複数の賦形剤とともに含む。例えば、一用量の薬剤は、少なくとも１つの薬剤、少なくとも１つのキャリア(例えば、ラクトース)及び任意で少なくとも１つの賦形剤を含む製剤の形で送達されてもよい。特定の実施形態によれば、ブリスターストリップ上の各ブリスターは、粉末形態の一用量(投与量)の製剤を含み、一用量の製剤はそれぞれ、少なくとも１つの薬剤(例えば、単一の薬剤、又はＬＡＭＡとＬＡＢＡなどの２つの薬剤の組み合わせ)、少なくとも１つのキャリア(例えば、ラクトース)及び任意で少なくとも１つの賦形剤(例えば、ステアリン酸マグネシウム)を含む。一例によれば、各用量は、賦形剤無しで、少なくとも１つの薬剤(例えば、単一の薬剤、又はＬＡＭＡとＬＡＢＡなどの２つの薬剤の組み合わせ)、及びキャリア(例えば、ラクトース)を含むか、本質的にそれらからなるか、それらのみからなる。
【０３４９】
ドライパウダー製剤のための、薬学的に許容できるキャリア及び賦形剤は、当該分野で既知である。ラクトースは好ましいキャリアであり、ステアリン酸マグネシウムは好ましい賦形剤である。製剤の粒子は、界面活性剤、壁形成物質(wall forming material)、又は当業者によって望ましいと考えられる他の成分を含んでもよい。粉末薬剤及び／又は粉末製剤の粒子は、従来技術、例えば、微粒子化、粉砕、篩又は噴霧乾燥によって製造することができる。さらに、薬剤粉末及び／又は製剤粉末は、特定の密度、粒径範囲、又は特性を有するように設計されてもよい。
【０３５０】
本発明の製剤は、好ましくは噴霧剤を含まない(例えば、ヒドロフルオロアルカン(ＨＦＡ)噴霧剤などの、吸入器で一般に使用される噴霧剤を含まない)。
【０３５１】
本発明の実施形態は以下の実施例を参照して、さらに理解することができる。
【実施例】
【０３５２】
他に指定のない限り、以下の実施例で使用される薬剤送達装置(例えば「周期的な吸入器」)は、本明細書に記載の、手で持って操作できる装置の一実施形態であり、それは、図５Ａ〜Ｄに図示される装置と同様、ベースと、ブリスターストリップを含む取り外し可能なカートリッジとを有し、再充電可能なバッテリーによって電力を供給される。圧電トランスデューサは、その面に、図２５と同様、トランスデューサ面の外周に位置する又はその近くに位置する非連続的な輪のパターンにてスクリーン印刷された絶縁インク(例えば、Acheson ML25240 UV Cure Dielectric Ink、電気的非導電性インク)からなるスペーサを有する。ピエゾ面の、スペーサーの名目上塗布厚みは、約５３μｍ±２５μｍである。ピエゾは、図２５〜２７と同様に、ホルダーとバネとを含む実装システムによって、投与チャンバ膜に押し付けられている。アルミニウム製ピエゾは、３８〜４２ｋＨｚの共振周波数(約５４ｋＨｚのホップ周波数を伴う)、及び２００〜２４０Ｖp-pの電圧で作動される。膜は、ヒートシール可能な非晶質ＰＥＴを、その片面に有するポリエチレン・テレフタレート(ＰＥＴ：DuPont マイラー(登録商標)813)からなる共押出品であり、約２３μｍ±１０μｍの公称厚さを有する。装置の投与チャンバと気流導管は、図１２，１３，１６及び１８に図示するものと同様である。投与チャンバは、頂部に、直径０．０１９インチ(０．４８ｍｍ)±０．０１２インチ(０．３０ｍｍ)の４つの開口部を有する。流れ抵抗は、３０ＬＰＭの流量で、約０．０５０〜０．０９ｃｍＨ2Ｏ0.5／ＬＰＭである。他に指定のない限り、以下に記載するインビトロ試験のために、３０ＬＰＭの流量が使用された。
【０３５３】
全ての空気力学的粒度分布(ＡＰＳＤ)は、ネクストジェネレーションインパクタ(Next Generation Impactor：ＮＧＩ)を使用して測定した。サンプルは、ＵＶ検出を備えた(２２０ｎｍ)ＨＰＬＣシステムで、単一点較正を使用して分析した。
【０３５４】
実施例１：シンセティックジェット試験手順
参照：Service and Instruction Manual, Rudolph Pneumotachometers (PNT)、及びHeater Controllers ISO 9001 / ISO 13485
材料及び設備：
Linear Pneumotachometer 3500 Series 0-35 L/min (Hans Rudolph社)(又は同等のもの)
Pneumotach Amplifier 1 Series 1110 (Hans Rudolph社)(又は同等のもの)
デジタル記憶オシロスコープ(又は同等のもの)
ジェット設備を有するエアロゾルエンジンを備えた吸入器サブアセンブリ(又は同等のもの
Breakout Board and Flat Flex Jumper Assembly S0363(又は同等のもの)
遠隔性始動スイッチ(又は同等のもの)
ＢＮＣ同軸ケーブル(又は同等のもの)
Ribbon Insertion Tool S0627(又は同等のもの)
Connector Latch Tool P2767(又は同等のもの)
【０３５５】
装置の配置の一例を、図３５に図示する。フラットフレキシブル・ケーブル(ＦＦＣ)は、ジェット信号が、オシロスコープに作用する圧電トランスデューサと連携できるように、制御信号とフィードバック信号を提供する。呼吸速度計は、好ましくは、マウスピース・ポートからの正味のジェット流が、オシロスコープに正の信号を発生させるように、設置される。ＰＮＴは、マスクポートを使用して投与チャンバの孔(開口部)の上に配置され、投与チャンバの全ての孔を出ていく正味の流れを捕える。正味の流れは、ピエゾ駆動周波数(例えば、約３７〜４２ｋＨｚ)で発生する個々のジェットのそれぞれの外向き運動量の累積的作用である。
【０３５６】
装置設定例：
１．吸入器に、フラットフレキシブル・ケーブル(ＦＦＣ)ジャンパー・ロック用レバーを接続する。ＦＦＣを吸入器内に案内するために、リボン挿入ツールを使用してもよい。ケーブルの端部の青色の絶縁体は、吸入器と面しているべきである。ロック用レバーは、適所にて、ＦＦＣをロックするために使用されてもよい。エアロゾルエンジン／ジェット設備は、適所にて、しっかりと固定されるべきである。
２．吸入器に、呼吸速度計(ＰＮＴ)を取り付ける。ＰＮＴのポート＃２側は、装置から見て外方向を向くべきである。
３．呼吸流量増幅器に呼吸速度計を接続するためのＰＮＴチューブを取り付ける。白いラベルを有するチューブは、「１」と表示されたＰＮＴインプットと、呼吸流量増幅器の「Ｐ+」インプットに取り付けられるべきである。黒いラベルを有するチューブは、「２」と表示されたＰＮＴインプットと、増幅器の「Ｐ-」インプットに取り付けられるべきである。
４．増幅器の「フローアウト」を、オシロスコープの「ＣＨ１」に接続するために、ＢＮＣ同軸ケーブルを使用する。
５．以下の設定で、オシロスコープを作動させる
ａ．Time Mode：Roll
６．ベースライン電圧がゼロであることを確認する。もし違えば、スクリュードライバーを使用して、ゼロ電圧測定値が表示されるまで呼吸流量増幅器の「ゼロ」設定を調節する。
７．ブレークアウトボードＴＰ１とＧＮＤピンに取り付けられた同軸ケーブルを、オシロスコープの「ＣＨ２」に接続する。
８．オシロスコープの設定を以下のように調節する：
ａ．CH1：50 mV/div (150 mV オフセット)
ｂ．CH2：200 mV/div (600 mV オフセット)
ｃ．Time Mode：nomal (100 ms ホールドオフ)
ｄ．TRIG：CH2 立ち上がりエッジ (850 mV レベル)
ｅ．HORZ：5 ms/div (10 ms左側位置遅延)
９．オシロスコープの「Quick Measure」ボタンを押し、Source 1 Pk-Pk電圧を測定するために選択を行う
１０．遠隔スタートスイッチを、ブレークアウトボードＳＷ１とＧＮＤピンに接続する。
１１．遠隔スタートスイッチを押し、装置をオンにする。装置のオーバーレイ上の点灯シーケンス表示を観察することによって、装置に電力が供給されていることを確認する
１２．装置がトリガーされるまで、少なくとも５秒間、遠隔スタートスイッチを押し続ける。これにより、追跡がオシロスコープに現れる。
１３．ピークＰＮＴ信号として、Pk-Pk(1)電圧を記録する。
１４．必要に応じて、工程１１〜１３を繰り返す。
【０３５７】
実施例２：気流導管の流れ抵抗を測定するための試験手順
参照：参照のそれぞれは、参照によりその全体が本明細書に本願される
１．United States Pharmacopia General Chapters <601> Aerosols, Nasal Sprays, Meter-Dose Inhalers, and Dry Powder Inhalers;
２．"Testing Inhalers" David Harris, Pharmaceutical Technology Europe, Sept 2007, pg 29-35;
３．A.R. Clarke and A.M. Hollingworth, J. Aerosol Med., 6 99-110 (1993).
【０３５８】
材料及び設備：
１．吸入器気流導管、及び試験装置ボリュームのためのマウスピース・アダプター(又は同等のもの)；
２．サブアセンブリ S0417Aの一部として、圧力ポートP1 part #1987Aを有する、気流導管アダプター・チャンバ(又は同等のもの)
３．Differential Pressure Meter-Digitron Model #2020P or 2000P for 0-10" W.C. range、及び Model #2022P for ＞10" W.C. (又は同等のもの)
４．Flow Meter-Cole Parmer Model# 32908-75 (又は同等のもの)
５．Flow Control Valve with a Cv ≧ 1.0 - Parker Hannifin type 8F-V12LN-SS (又は同等のもの)
６．Vacuum Pump - Gast Type 1023, 1423, or 2565 (又は同等のもの)
７．Tubing - Tygon B-44-4X 10 mm ID 及び Tygon 4 mm (5/32') ID (又は同等のもの)
【０３５９】
図３９に示す図表にて、システムをセットアップする
１．電力を、流量計と圧力センサの両方に供給し、１０分間ウォームアップする。１０分間ウォームアップ後、圧力センサと流量計の両方をゼロに設定する
２．全ての接続部で、タイトな気密性を確保する。気流導管アダプター・チャンバの開口部を親指で押さえたとき、流量計はゼロを示すべきである。
３．吸入器の流れ抵抗を測定するために、空のブリスターを、吸入器に挿入し、吸入器を気流導管アダプター・チャンバに挿入する。真空ポンプをオンにし、流量計が、要求される試験流量を表示するまで、流量制御バルブＦを調節する。差圧メーターから、圧力差(ＰＩ)をインチＷ.Ｃ.で記録し、ｃｍＷ.Ｃ.に換算する。
４．以下の等式を使用して、吸入器の流れ抵抗を計算する
流れ抵抗＝平方根 (圧力[ｃｍＷ.Ｃ.])／流量[Ｌ／分]
＝平方根 (Ｐ１×２．５４*)／流量
＝ｃｍＨ2Ｏ1/2・(Ｌ／分)-1
＊インチからセンチメートルへの換算；１インチ＝２．５４ｃｍ
【０３６０】
実施例３：臭化グリコピロニウムとホルモテロールフマル酸塩の製剤
臭化グリコピロニウム製剤：微粒子化臭化グリコピロニウム(ＧＢ)を、吸入グレードのラクトース(RESPITOSE(登録商標)ML001、DFE Pharma)と、原薬とをブレンドすることによって、吸入用のドライパウダーとして製剤化した。強度の範囲は、約５ｍｃｇ[低](０．２５％ ｗ/ｗのＧＢ)〜約３０ｍｃｇ[高](１．５％ ｗ/ｗのＧＢ)である。
【０３６１】
ホルモテロールフマル酸塩(ＦＦ)製剤：微粒子化ＦＦ二水和物を、吸入グレードのラクトース(RESPITOSE(登録商標)ML001、DFE Pharma)と、原薬とをブレンドすることによって、吸入用のドライパウダーとして製剤化した。強度の範囲は、約５ｍｃｇ[低](０．２６％ ｗ/ｗのＦＦ二水和物)、約１０ｍｃｇ[中](０．５２％ ｗ/ｗのＦＦ二水和物)、及び約１２ｍｃｇ[高](０．６２％ ｗ/ｗのＦＦ二水和物)である。
【０３６２】
臭化グリコピロニウム-ホルモテロールフマル酸塩の組み合わせ：微粒子化ＧＢとＦＦ二水和物を、吸入グレードのラクトース(RESPITOSE(登録商標)ML001、DFE Pharma)と、原薬とをブレンドすることによって、吸入用のドライパウダーとして製剤化した。強度は、単独療法の製剤のために上に示した値と同様である。
【０３６３】
活性剤のブレンドを、アルミニウム-ポリマーのラミネートからなるブリスターストリップに、目的とする投与量範囲(表１に表す)となるように充填した。目的送達量とは、吸入器のマウスピースから出ていくＧＢとＦＦ二水和物の量(マイクログラム)を指す。ブリスターストリップは、３２個の充填されたブリスターポケットを含む。
2019529061.tif 000003
【０３６４】
実施例４：ピエゾ駆動スキーム
ホルモテロールフマル酸塩(ＦＦ)製剤：微粒子化ＦＦ二水和物を、吸入グレードのラクトース(RESPITOSE(登録商標)ML001、DFE Pharma)と、原薬とをブレンドすることによって、吸入用のドライパウダーとして製剤化した。駆動スキーム研究のために使用された製剤は、約１２ｍｃｇＦＦ(０．６２％ ｗ/ｗのＦＦ二水和物)を含み、残りはラクトースであった。目的送達量は約１０ｍｃｇであった。
【０３６５】
図４４のグラフは、吸入器の様々なピエゾ駆動スキームを示す。１００／３００／５００ｍｓ、１００／４００／５００ｍｓ、及び５００／５００／５００ｍｓの駆動スキームについて、その３つの数値は、３回のバーストについての、バーストあたりのミリ秒(ｍｓ)の数値を表す。それらの最初の３回のバースト後のバーストは、それぞれ、５００ｍｓであった(すなわち、それらの例の４〜８回目のバーストは、それぞれ５００ｍｓである)。図４４のグラフにおける「現在の駆動スキーム」とは、１００ｍｓの４回のバーストと、それに続く３００ｍｓの４回のバーストを含む駆動スキームを指す。
【０３６６】
全ての投与スキームについて、全体の投与量は、８回のバースト後には送達され、少なくとも４ｍｃｇの薬剤が、最初のバーストで送達された。図４４に示すように、いくつかの例では、全体の投与量は、４バースト、５バースト、６バースト、又は７バースト後に送達された。１００／３００／５００ｍｓ、１００／４００／５００ｍｓ、及び５００／５００／５００ｍｓの駆動スキームの場合、全体の投与量又はほぼ全体の投与量は、４又は５回のバースト後に送達された。５００／５００／５００ｍｓの駆動スキームの場合、少なくとも８ｍｃｇの薬剤が、最初のバーストで送達され、全体の投与量は、４バースト後に送達された。
【０３６７】
実施例５：グリコピロレート及びホルモテロールを使用する、周期的な吸入器のための駆動スキーム
駆動スキームが、グリコピロレート及びホルモテロールの送達のために使用された。「対照」投与スキームによれば、ユーザーへの粉末送達を達成するために、ピエゾは、８回のバーストの間作動される(１００ｍｓの４回のバーストと、それに続く３００ｍｓの４回のバースト)。単一の使用セッションを完了するために、呼吸確認のために必要とされる最初の２回の呼吸と投与量推進とを併せて、１０回の呼吸が必要とされる。容認できるエアロゾルパフォーマンスを維持しながら、呼吸の数を減らすことができるかどうかを判定するために、修正駆動スキームをプログラムしたベースユニット(４回のバーストのために５００ｍｓのピエゾパルス長を有し、呼吸確認のために必要とされる最初の２回の呼吸と投与量推進とを併せると、呼吸は合計６回)が、最初の投与のソフトウェア(合計１０呼吸)をプログラムした対照ベースユニットと平行して、試験された。
【０３６８】
ＮＧＩによるＡＰＳＤのための報告要件：
１．±０．００１μｇでの、沈着量の報告
２．周期的な吸入器／投与量のために、派生送達量(ＤＤＤ：derived delivered dose)を有効数字３桁まで計算する
３．エアロゾル粒度分布(ＦＰＦを計算するために、投与量あたりのＤＤＤ値を使用する)
ａ．ＦＰＤ≦５．０μｍ：±０．０１μまで
ｂ．％ＦＰＦ≦５．０μｍ：±１％まで
ｃ．ＭＭＡＤとＧＳＤを、±０．１μｍまで報告
ｄ．全体的なＮＧＩプロファイルを報告(咽頭〜ＭＯＣ、平均及びＳＤ)
【０３６９】
２つの強度の臭化グリコピロニウム(ＧＰＢ)(すなわち５ｍｃｇと３０ｍｃｇ)を含むカートリッジを、各ベースユニットを使用して、送達量均一性(ＤＤＵ、ｎ＝１０)、及び空気力学的粒度分布(ＡＰＳＤ)(ｎ＝３)のために試験した(ネクストジェネレーションインパクター：ＮＧＩを使用)。以下の表２及び３に示されるように、対照及び５００ｍｓ(４バースト)の駆動スキームを有する５ｍｃｇのＧＰＢカートリッジから得られた送達量及びＡＰＳＤの結果は類似しており、これは、５００ｍｓ駆動スキームが完全な投与量を送達するために使用でき、ＡＰＳＤは駆動スキームの変更によって影響を受けないことを示した。
【０３７０】
送達のロバスト性は、幅広い範囲の駆動スキームにわたって、７５％〜１２５％又は８０％〜１２０％の平均送達量の範囲内の投与量送達を可能にし、ここで、駆動スキームは、バーストの数(例えば、４〜８バースト)、バーストあたりの活性化時間(例えば、１００ｍｓ〜５００ｍｓ)によって変わる。装置は、駆動スキームにわたって、実質的に一貫したＡＰＳＤも維持し、ここで、ＭＭＡＤは一貫して、６μｍ(ミクロン)以下、又は５μｍ以下、又は４μｍ以下、又は３．７５μｍ以下、又は３．５μｍ以下、又は３．０μｍ以下である。
2019529061.tif 000004
【０３７１】
以下の表４及び５に示されるように、５００ｍｓ(４バースト)の駆動スキームを有する３０ｍｃｇのＧＰＢカートリッジから得られた送達量及びＡＰＳＤの結果は、対照と比較して、エアロゾルパフォーマンスの増加を示した。これらのデータは、５００ｍｓの駆動スキームが、同等のＡＰＳＤにて、完全な投与量を送達するために使用できることを示す。
2019529061.tif 000005
【０３７２】
２つの強度のホルモテロールフマル酸塩二水和物(ＦＥＤ)(すなわち、５ｍｃｇと１２ｍｃｇ)を含むカートリッジを、各ベースユニットを使用して、送達量均一性(ＤＤＵ、ｎ＝１０)、及び空気力学的粒度分布(ＡＰＳＤ)(ｎ＝３)のために試験した(ネクストジェネレーションインパクター：ＮＧＩを使用)。以下の表６及び７に示されるように、送達量均一性データは、対照及び５００ｍｓの駆動スキームを有する５ｍｃｇのＦＦＤカートリッジにおいて、類似していた。ＡＰＳＤデータは、対照データと比較して、５００ｍｓの駆動スキームによる派生送達量、ＦＰＤ、及びＦＰＦでわずかな増加を示した。２つの駆動スキーム間で、ＭＭＡＤに差は無かった。
2019529061.tif 000006
【０３７３】
以下の表８及び９に示すように、送達量均一性及びＡＰＳＤは、対照と５００ｍｓの駆動スキームを有する１２ｍｃｇのＦＦＤカートリッジで類似していた。
2019529061.tif 000007
【０３７４】
実施例６：流量分析
周期的な吸入器のエアロゾルパフォーマンスを以下の呼気流量：１５Ｌ／分(ＬＰＭ)、３０Ｌ／分、６０Ｌ／分及び９０Ｌ／分で試験した。５マイクログラム(ｍｃｇ)のエアロゾルパフォーマンスは、ホルモテロールフマル酸塩二水和物(ＦＦ)を使用して、送達量均一性(ＤＤＵ)と空気力学的粒度分布(ＡＰＳＤ)によって測定した。微粒子化ＦＦ二水和物を、吸入グレードのラクトース(RESPITOSE(登録商標)ML001、DFE Pharma)と、原薬(０．２６％ｗ/ｗのＦＦ二水和物)とをブレンドすることによって、吸入用のドライパウダーとして製剤化した。駆動スキームは、合計８回のピエゾ活性化(バースト)：１００ｍｓの４回のバーストと、それに続く３００ｍｓの４回のバーストを含んだ。結果を、図４５Ａ〜Ｃと、以下の表１０及び１１に示す。送達量の増加が、上記３０Ｌ／分の流量で観察された；しかしながら、装置は、４つの流量にわたって、±２０％の平均送達量均一性(すなわち、目的送達量４ｍｃｇの８０％〜１２０％以内)を維持した。ＭＭＡＤは４
ミクロン未満であり、ＦＰＦは４つの全ての流量にわたって、３０％を超えた。
【０３７５】
2019529061.tif 000008
【０３７６】
実施例７：ホルモテロールフマル酸塩を用いた周期的な吸入器についての目的送達量
５μｇのホルモテロールフマル酸塩二水和物(ＦＦＤ)(０．２６％(ｗ/ｗ))を用いた周期的な吸入器カートリッジの投与含量均一性(ＤＣＵ：dose content uniformity)を、１８９のカートリッジについて、３つのプライミング用量の後、最初の用量を捕集することによって、評価した。以下の表１２に示すように、平均送達量は３．９９μｇであり、ＲＳＤは４．０％であった。平均ＤＣＵは、目的送達量(４．００μｇ)の１００％であり、その範囲は、目的送達量の８６％〜１１０％である(ｎ＝１８９)。
2019529061.tif 000009
【０３７７】
１０μｇのホルモテロールフマル酸塩二水和物(ＦＦＤ)(０．５２％(ｗ/ｗ))を有する周期的な吸入器カートリッジの投与含量均一性(ＤＣＵ)を、３２のカートリッジについて評価した。以下の表１３に示すように、平均送達量は８．５７μｇで、ＲＳＤは４．０％であった。平均ＤＣＵは、目的送達量(８．６０μｇ)の１００％であり、その範囲は、目的送達量の９１％〜１０８％であった(ｎ＝３２)。これらの３２のカートリッジのうち、３つのカートリッジについて、その寿命を通じて、送達量均一性(ＤＤＵ)と空気力学的粒度分布を、ネクストジェネレーションインパクター(ＮＧＩ)によって試験した。以下の表１４及び１５に示すように、研究デザインによって規定される全ての許容基準が満たされた。許容基準は、以下を含んだ：投与中にエラー状態(再利用可能なベースアセンブリのＬＣＤに「薬剤交換」と表示される) は存在しない；及び個々の送達量の値は、全体的な平均の±２５％以内である。
2019529061.tif 000010
2019529061.tif 000011
【０３７８】
１２μｇのホルモテロールフマル酸塩二水和物(ＦＦＤ)(０．６２％(ｗ/ｗ))を有する周期的な吸入器カートリッジの投与含量均一性(ＤＣＵ)を、１９７のカートリッジについて、３つのプライミング用量の後、最初の用量を捕集することによって、評価した。以下の表１６に示すように、平均送達量は９．３２μｇであり、ＲＳＤは４．５％であった。平均ＤＣＵは、目的送達量(９．３０μｇ)の１００％であり、その範囲は、目的送達量の８７％〜１１０％である(ｎ＝１９７)。
2019529061.tif 000012
【０３７９】
実施例８：臭化グリコピロニウムを含む周期的な吸入器についての送達量
１８μｇの臭化グリコピロニウム(０．９４％ｗ/ｗ)からなる投与量を含む、周期的な吸入装置を、ネクストジェネレーションインパクター(ＮＧＩ)を用いて、送達量均一性(ＤＤＵ)及び空気力学的粒度分布のために試験した。以下の表１７に結果を示す。
2019529061.tif 000013
【０３８０】
実施例９：膜物質の比較
表１８に示すように、複数の膜物質を、吸入器での使用のために試験した。
2019529061.tif 000014
【０３８１】
膜物質の好ましい仕様は、以下を含んだ：
１．引張強さ＝二軸延伸；
２．引張モジュラス ＜５Ｇｐａ (大きい変形);
３．伸び ＞１００％；
４．ＣＴＥ＜１００ｐｐｍ/Ｃ；
５．Ｔｇ＞１００℃ (より高いＴｇは、寸法安定性に対する懸念を減らす)
【０３８２】
実施例１に記載したシンセティックジェット試験に従って、複数の厚みのポリカーボネート(ＰＣ)膜を、吸入器に組み込んだ際のシンセティックジェット性能について試験した。３０，５０，７５，１００及び１５０μｍの厚みを有するサンプルを、ポリカーボネート(ＰＣ)膜(LEXAN(登録商標)Sabic SD8B14)で試験した。結果を図４６Ａに示す(５０ミクロン厚で、ピークジェットが発生したことを示す)。
【０３８３】
送達量パフォーマンスについても、５０μｍ厚のＰＣ膜及び２３μｍ厚のマイラー(登録商標)813膜を取り付けた投与チャンバで試験した。両方の膜は、投与量送達について類似する結果を有した。結果を図４６Ｂに示す(図中、Ｃ３０５，ＣＭ６４及びＣＭ６５はそれぞれ、異なる膜サンプルを表す)。約５０ミクロンの厚みを有するポリカーボネート膜(LEXAN(登録商標)SD8B14)、及び、約２３ミクロンの厚みを有するＰＥＴ膜(マイラー(登録商標)813)が、シンセティックジェットと送達量に関し、最適性能を有した。
【０３８４】
実施例１０：フェーズＩｂ  ホルモテロールフマル酸塩の臨床研究
臨床研究は、単回投与、二重盲検、無作為化、プラセボ及び実対照、５の治療交差、投与量決定試験から有効性評価、薬剤動態、及び安全性(慢性閉塞性肺疾患を有する患者における、周期的な吸入器を使用して投与された吸引ホルモテロールフマル酸塩及びFORADIL(登録商標)AEROLIZER(登録商標)についての)であった。
【０３８５】
周期的な吸入器内のドライパウダー製剤の各投与量が、８回の投薬呼吸によって送達された。各投薬呼吸を検出すると、圧電トランスデューサが作動して、合計８回の投薬呼吸の間に、最初の４回の投薬呼吸について１００ｍｓ間振動し、続く４回の投薬呼吸について３００ｍｓ間振動した(合計１．６秒)。８回の投薬呼吸に先立って、最初の２回の呼吸が、装置を作動させるための検証呼吸を構成し、その後、ブリスターを投与位置に前進させるための投与量進行呼吸が続いた。
【０３８６】
臨床研究の被検者は、マウスピースを口に入れ、あたかも通常の呼吸を行うように周期的な吸入器から吸引を行い(すなわち、速やかで深い呼吸ではなく、周期的な吸入を経る)、その後口からマウスピースを外し、周期的な吸入器の外へ息を吐くよう指示された。被検者は、普通に吸入を行い、周期的な吸入器の外に息を吐くことを、１０〜１２吸入にわたって繰り返すよう指示された。装置上のインジケータの光は、各吸入が検出されている間は、青に点滅し、投与が完了したとき、緑に点滅した。
【０３８７】
FORADIL(登録商標)AEROLIZER(登録商標)は、経口吸入により、ホルモテロールフマル酸塩のドライパウダー製剤を送達する。吸入粉末は、透明の硬ゼラチンカプセルに入っており、各カプセルは、１２μｇのホルモテロールフマル酸塩と、２５ｍｇのラクトース(キャリア)とのドライパウダー混合物を含む。肺に送達される薬剤量は、吸気流速及び吸気時間などのファクターによって決まる。２秒間の、定流量６０／分での標準化インビトロ試験において、AEROLIZER吸入器は、マウスピースから１０ｍｃｇのホルモテロールフマル酸塩を送達する。この送達システムを使用するために、FORADILカプセルを、AEROLIZER吸入器のウェルに入れ、装置側面のボタンを押して離すことによってカプセルに穴を開ける。ホルモテロールフマル酸塩製剤は、患者がマウスピースを通じて急速に且つ深く吸引すると、気流中に分散する。
【０３８８】
研究は、１０のシークエンス、５の治療、５の期間交差研究であった。期間、治療及び一次キャリーオーバーのバランスをとるために、Williamsデザインを使用した。本明細書に記載の「ＦＦＴＩ」は、周期的な吸入器中のホルモテロールフマル酸塩を指し、「ＰＴＩ」は、周期的な吸入器中のプラセボを指す。治療は以下を含んだ：治療Ａ：ＦＦＴＩ(５μｇ)； 治療Ｂ：ＦＦＴＩ(１０μｇ)； 治療Ｃ：ＦＦＴＩ(１２μｇ)； 治療Ｄ：非盲検のFORADIL(登録商標)AEROLIZER(登録商標)(１２μｇ)(１カプセル吸引)； 治療Ｅ：ＰＴＩ；
治療期間の間、患者は、投与後２４時間までの特定の時点で、連続的な肺活量測定を行った。
【０３８９】
患者集団は、４０才〜７５才までの慢性閉塞性肺疾患(ＣＯＰＤ)を有する男性又は女性であった。無作為化：全体で５０の完了患者を提供するために、５５の患者に、無作為化を計画した(薬剤動態サブセットの１５人の患者を含む)。１０の治療シークエンスのそれぞれに、５人の患者の無作為抽出を計画した。治療期間は、単回投与であった。
【０３９０】
この研究の第一の目的は、FORADIL(登録商標)AEROLIZER(登録商標)に匹敵する有効性を提供するＦＦＴＩの投与量を決定することであった。この研究の第二の目的は、ＦＦＴＩ及びFORADIL(登録商標)AEROLIZER(登録商標)による治療後の、安全性と薬剤動態を評価することであった。
【０３９１】
有効性の基準は、以下を含んだ：標準ベースライン−調整１秒間強制呼気容量(１２時間にわたる曲線下面積：ＦＥＶ1 ＡＵＣ0-12)；標準ベースライン−調整１秒間強制呼気容量(２４時間にわたる曲線下面積：ＦＥＶ1 ＡＵＣ0-24)；ベースライン−調整トラフ１２時間の１秒間強制呼気容量(ＦＥＶ1)；ベースライン−調整トラフ２４時間のＦＥＶ1；投与前から投与後６時間にわたるＦＥＶ1の最大変化；ベースライン−調整１２及び２４時間の強制呼気流量(強制肺活量(ＦＶＣ)の２５％〜７５％の間(ＦＥＦ25-75))；投与前から投与後６時間にわたるＦＥＦ25-75の最大変化；ベースライン−調整１２及び２４時間ＦＶＣ；及び最大応答までの時間(ＦＥＶ1、ＦＶＣ、及びＦＥＦ25-75)。
【０３９２】
薬剤動態評価項目は、以下を含んだ：薬剤投与研究後、０時点〜０．５時間の血漿中濃度−時間曲線下面積(ＡＵＣ0-0.5)；薬剤投与研究後、０時点〜１２時間の血漿中濃度−時間曲線下面積(ＡＵＣ0-12)；薬剤投与研究後、０時点〜２４時間の血漿中濃度−時間曲線下面積(ＡＵＣ0-24)；０時点から最後に定量化できた薬物濃度の時点までの血漿中濃度−時間曲線下の最大観察血漿中薬物濃度(Ｃmax)面積(ＡＵＣ0-t)；０時点〜無限大の血漿中濃度−時間曲線下面積(ＡＵＣ0-∞)；最大観察血漿中薬物濃度までの時間(ｔmax)；外挿に起因するＡＵＣ0-∞のパーセンテージ(％AUCextrap)；及び、見かけの血漿最終排出速度定数(λｚ)及び関連する見かけの排出半減期(ｔ1/2)。
【０３９３】
臨床研究結果：
以下の表１９は、ＦＥＶ1評価項目結果を提供し、表２０は、非ＦＥＶ1評価項目結果を提供する。図４７は、治療によるベースラインからのＦＥＶ1(ｍＬ)の平均変化を示す(投与後１２時間の時点まで)。
【０３９４】
2019529061.tif 000015
【０３９５】
2019529061.tif 000016
【０３９６】
以下の表２１は、薬剤動態評価項目の結果を示す。図４７及び４８は、２４時間にわたる(図４８)及び最初の４時間(図４９)の治療による、算術平均ホルモテロール血漿中濃度-対-時間プロファイルを示す。
【０３９７】
2019529061.tif 000017
【０３９８】
肺機能パラメータ全般に関して、周期的な吸入器を使用して投与されたホルモテロールフマル酸塩１０及び１２μｇは、FORADIL AEROLIZER１２μｇと同様の有効性を示した。周期的な吸入器を使用して投与された３つの投与量のホルモテロールフマル酸塩の全てに関し、最大ＦＥＶ1までの時間、最大ＦＶＣまでの時間、最大ＦＥＦ25-75までの時間は、FORADIL AEROLIZER１２μｇと比べて、数値的により短かった(約１〜２時間短い)。周期的な吸入器を使用して投与されたホルモテロールフマル酸塩１２μｇについての、最大ＦＥＶ1までの時間はより短く、FORADIL AEROLIZER１２μｇと比べて、その差は統計的に有意であった。
【０３９９】
周期的な吸入器を使用したホルモテロールフマル酸塩の投与後、各投与量についての、ホルモテロール平均血漿中濃度-対-時間プロファイルは、急速な吸収期とそれに続く双指数関数的な排出期を特徴とした。平均血漿ホルモテロール濃度は、周期的な吸入器を使用すると、用量の増加に伴って増加した。中央値ｔmaxは、周期的な吸入器を使用して投与された５〜１２μｇの用量にわたって０．１６７時間であり、FORADIL AEROLIZER１２μｇを使用した中央値ｔmax (０．９８３時間)より早く生じた。
【０４００】
ホルモテロールの平均ｔ1/2は、周期的な吸入器を使用した投与量範囲にわたって類似しており(範囲：７．６〜８．８時間)、FORADIL AEROLIZERを使用したホルモテロールｔ1/2 (７．７時間)に匹敵した。ホルモテロールのＣＬ/Ｆ及びＶｚ/Ｆの両方が、周期的な吸入器を使用した全ての投与量レベルにわたっておおむね同等であり、且つ周期的な吸入器とFORADIL AEROLIZER治療群との間でおおむね同等であった。
【０４０１】
１２μｇ投与量レベルにて、血漿ホルモテロール暴露(すなわち、ＡＵＣ0-12、ＡＵＣ0-t、ＡＵＣ0-24、及びＡＵＣ0-inf)についての幾何ＬＳ平均は、FORADIL AEROLIZER治療群と比較して、周期的な吸入器治療群で、約１．４〜１．５倍高かった。しかしながら、周期的な吸入器を使用して投与された１０μｇ投与量は、幾何ＬＳ平均の比が１．１〜１．２であり、FORADIL AEROLIZER１２μｇと同等のホルモテロールＡＵＣ暴露を生じた。ホルモテロールＡＵＣ0-0.5の幾何ＬＳ平均は、FORADIL AEROLIZER１２μｇと比較して、１０及び１２μｇの周期的な吸入器治療群で、それぞれ２．０倍及び２．６倍高く、FORADIL AEROLIZERを使用した場合のホルモテロールの遅い吸収を反映した。ピークのホルモテロール暴露(Ｃmax)の幾何ＬＳ平均は、FORADIL AEROLIZER１２μｇと比較して、１０及び１２μｇの周期的な吸入器治療群で、それぞれ１．６倍及び２．３倍高かった。
【０４０２】
臨床研究の結論：
承認済みの活性比較基準であるFORADIL AEROLIZERを含む全ての積極的な治療は、肺機能有効性反応においてプラセボとは解離しており、それゆえ、この研究の分析感度を実証した。周期的な吸入器を使用して投与されたホルモテロールフマル酸塩の１０μｇ投与量は、FORADIL AEROLIZER１２μｇと非常に近似した有効性を示し、これらの２つの治療の間では、どの有効性パラメータについても、統計的有意差は存在しなかった。周期的な吸入器を使用して投与されたホルモテロールフマル酸塩の１２μｇ投与量は、FORADIL AEROLIZER１２μｇに対して、統計的有意差を示さない同等の有効性応答を示したが、最大ＦＥＶ1までの時間は例外であり、これは周期的な吸入器を使用して投与されたホルモテロールフマル酸塩１２μｇのほうが、有意に早かった。
【０４０３】
ホルモテロールフマル酸塩を含む周期的な吸入器(１０μｇ)は、FORADIL AEROLIZER１２μｇに匹敵する、ホルモテロールＡＵＣ暴露(すなわち、ＡＵＣ0-12、ＡＵＣ0-24、ＡＵＣ0-t、及びＡＵＣ0-inf)を生じ、その幾何ＬＳ平均の比は１．１〜１．２であった。ホルモテロールフマル酸塩を含む周期的な吸入器(１０、及び１２μｇ)は、FORADIL AEROLIZER１２μｇと比べて、統計的に有意に高いＣmaxを示した。周期的な吸入器は、ｔmaxで実証されるように、FORADIL AEROLIZERと比べて、血漿中のホルモテロールのより早い出現をもたらした。
【０４０４】
周期的な吸入器を使用したホルモテロールフマル酸塩の５，１０及び１２μｇ、及び、FORADIL AEROLIZERを使用したホルモテロールフマル酸塩１２μｇの単回投与は、今回の研究のＣＯＰＤ患者において、おおむね安全であり、良好な耐容性を示し、その安全性プロファイルは、吸引ホルモテロールフマル酸塩の従前の研究と一致した。
【０４０５】
当業者は、広い発明の概念を逸脱することなく、上に示され、記載されてきた例示的な実施形態への変更が可能であることを理解し得るであろう。それゆえ、本発明は、上に示され、記載されてきた例示的な実施形態に限定されるものではなく、特許請求の範囲に規定された本発明の精神及び範囲内における修正を含むことを意図していることが理解される。例えば、例示的な実施形態の特定の特徴は、クレームされた発明の一部であるかもしれず、あるいはそうでないかもしれず、開示された様々な特徴が組み合わされてもよい。明らかに逆のことが述べられていないかぎり、任意の例示的な実施形態の選ばれた特徴が、別の実施形態に組み込まれてもよい。「右」「左」「下」及び「上」という語は、参照される図面の方向を指定する。「内側に」及び「外側に」という語は、それぞれ、吸入器の幾何学的中心に向かう方向及び離れる方向を指す。本明細書で特に明記しない限り、「a」「an」及び「the」という用語は、一つの(構成)要素への限定を示すものではなく、「少なくとも１つ」を意味するものとして理解されるべきである。図に示された構成要素は、必ずしも一定の縮尺で描かれておらず、単にオペレーションを図示するにすぎない。
【０４０６】
本明細書及び特許請求の範囲で使用される「有する」及び「含む」という用語は、包括的又は制約がなく、記載されていない更なる構成要素、組成物の成分、又は方法の工程を排除しない。したがって、「有する」及び「含む」という用語は、「本質的に〜のみからなる」及び「のみからなる」といった制限的な用語も包含する。別段の特定がない限り、本明細書に記載の全ての数値は、記載されたエンドポイントに至るまでとエンドポイントとを含み、組成物の構成要素又は成分の値は、組成物中の各成分の重量パーセントで表される。
【０４０７】
本発明の図面及び明細書の少なくともいくらかは、本発明の明確な理解に関連する構成要素にフォーカスするために単純化されており、他方、当業者が発明の一部を構成しうると認識するであろう他の構成要素は、明確化の目的のために、削除されていることが、理解されるべきである。しかしながら、そのような構成要素は当分野で周知であり、且つ、それらは必ずしも発明のよりよい理解を促進しないので、そのような構成要素の記載は、本明細書では提供されない。
【０４０８】
さらに、本発明の方法が、本明細書に述べられた特定の工程順序に依存するものでない限り、その特定の工程順序は、特許請求の範囲への限定と解釈されるべきではない。本発明の方法に係る請求項は、書かれた順序でその工程を行うことに限定されるべきではなく、当業者は、この工程が変更されても、本発明の精神及び範囲内になお留まることを容易に認識することができる。
【図１Ａ】
2019529061.tif 000018
【図１Ｂ】
2019529061.tif 000019
【図１Ｃ】
2019529061.tif 000020
【図１Ｄ】
2019529061.tif 000021
【図１Ｅ】
2019529061.tif 000022
【図１Ｆ】
2019529061.tif 000023
【図１Ｇ】
2019529061.tif 000024
【図１Ｈ】
2019529061.tif 000025
【図１Ｉ】
2019529061.tif 000026
【図２Ａ】
2019529061.tif 000027
【図２Ｂ】
2019529061.tif 000028
【図２Ｃ】
2019529061.tif 000029
【図３Ａ】
2019529061.tif 000030
【図３Ｂ】
2019529061.tif 000031
【図４Ａ】
2019529061.tif 000032
【図４Ｂ】
2019529061.tif 000033
【図５Ａ】
2019529061.tif 000034
【図５Ｂ】
2019529061.tif 000035
【図５Ｃ】
2019529061.tif 000036
【図５Ｄ】
2019529061.tif 000037
【図６】
2019529061.tif 000038
【図７Ａ】
2019529061.tif 000039
【図７Ｂ】
2019529061.tif 000040
【図８】
2019529061.tif 000041
【図９】
2019529061.tif 000042
【図１０】
2019529061.tif 000043
【図１１】
2019529061.tif 000044
【図１２】
2019529061.tif 000045
【図１３】
2019529061.tif 000046
【図１４】
2019529061.tif 000047
【図１５】
2019529061.tif 000048
【図１６】
2019529061.tif 000049
【図１７】
2019529061.tif 000050
【図１８】
2019529061.tif 000051
【図１９】
2019529061.tif 000052
【図２０】
2019529061.tif 000053
【図２１】
2019529061.tif 000054
【図２２】
2019529061.tif 000055
【図２３】
2019529061.tif 000056
【図２４】
2019529061.tif 000057
【図２５】
2019529061.tif 000058
【図２６】
2019529061.tif 000059
【図２７】
2019529061.tif 000060
【図２８】
2019529061.tif 000061
【図２９】
2019529061.tif 000062
【図３０】
2019529061.tif 000063
【図３１】
2019529061.tif 000064
【図３２】
2019529061.tif 000065
【図３３】
2019529061.tif 000066
【図３４】
2019529061.tif 000067
【図３５】
2019529061.tif 000068
【図３６Ａ】
2019529061.tif 000069
【図３６Ｂ】
2019529061.tif 000070
【図３６Ｃ】
2019529061.tif 000071
【図３７】
2019529061.tif 000072
【図３８Ａ】
2019529061.tif 000073
【図３８Ｂ】
2019529061.tif 000074
【図３８Ｃ】
2019529061.tif 000075
【図３９】
2019529061.tif 000076
【図４０】
2019529061.tif 000077
【図４１Ａ】
2019529061.tif 000078
【図４１Ｂ】
2019529061.tif 000079
【図４２】
2019529061.tif 000080
【図４３Ａ】
2019529061.tif 000081
【図４３Ｂ】
2019529061.tif 000082
【図４４】
2019529061.tif 000083
【図４５Ａ】
2019529061.tif 000084
【図４５Ｂ】
2019529061.tif 000085
【図４５Ｃ】
2019529061.tif 000086
【図４６Ａ】
2019529061.tif 000087
【図４６Ｂ】
2019529061.tif 000088
【図４７】
2019529061.tif 000089
【図４８】
2019529061.tif 000090
【図４９】
2019529061.tif 000091
【国際調査報告】
2019529061.tif 000092
2019529061.tif 000093